(57)【要約】受信信号を３つの信号に分岐する第１の分岐回路と、ローカル信号を２つの信号に分岐する第２の分岐回路と、第２の分岐回路による第１および第２のローカル信号をそれぞれ異なるシフト量をもって位相シフトする第１の移相器および第２の移相器と、第１の分岐回路による第２の受信信号と第１の移相器から出力されるローカル信号を結合する第１の結合回路と、第１の分岐回路による第３の受信信号と第２の移相器から出力されたローカル信号を結合する第２の結合回路と、第１の分岐回路による第１の受信信号のレベルを検出する第１の電力検波回路と、第１の結合回路によるベクトル和信号のレベルを検出する第２の電力検波回路と、第２の結合回路によるベクトル和信号のレベルを検出する第３の電力検波回路と、第１−第３の電力検波回路の出力信号を受けて、同相信号Ｉおよび直交信号Ｑに変換するマルチポート信号−ＩＱ信号変換回路とを含むマルチポート復調器。
2002091564.tif 000002
【特許請求の範囲】
【請求項１】
受信信号が入力される第１の信号入力端子と、
ローカル信号が入力される第２の信号入力端子と、
入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、
入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、
上記第２の分岐回路の第１出力端子から出力された第１のローカル信号の位相を所定量だけシフトさせて出力する第１の移相器と、
上記第２の分岐回路の第２出力端子から出力された第２のローカル信号の位相を所定量だけシフトさせて出力する第２の移相器と、
上記第１の分岐回路の第２出力端子から出力された第２の受信信号と上記第１の移相器から出力された位相が所定量だけシフトされた第１のローカル信号とを結合して出力する第１の結合回路と、
上記第１の分岐回路の第３出力端子から出力された第３の受信信号と上記第２の移相器から出力された位相が所定量だけシフトされた第２のローカル信号とを結合して出力する第２の結合回路と、
上記第１の分岐回路の第１出力端子から出力された信号レベルを検出する第１の信号レベル検出回路と、
上記第１の結合回路から出力された信号レベルを検出する第２の信号レベル検出回路と、
上記第２の結合回路から出力された信号レベルを検出する第３の信号レベル検出回路と
を有する復調器。
【請求項２】
上記第１の信号レベル検出回路の出力信号、第２の信号レベル検出回路の出力信号、および第３の信号レベル検出回路の出力信号を、受信信号に含まれる複数の信号成分に変換する変換回路
をさらに有する請求項１記載の復調器。
【請求項３】
上記変換回路は、
上記第１の信号レベル検出回路の出力信号から所望のチャネルを選択する第１のチャネル選択手段と、
上記第２の信号レベル検出回路の出力信号から所望のチャネルを選択する第２のチャネル選択手段と、
上記第３の信号レベル検出回路の出力信号から所望のチャネルを選択する第３のチャネル選択手段と、
上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路と
を含む請求項２記載の復調器。
【請求項４】
上記演算回路は、以下の式に基づいた演算により同相成分信号Ｉおよび直交成分信号Ｑを得る
請求項３記載の復調器。
2002091564.tif 000037
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
【請求項５】
上記第１のチャネル選択手段、第２のチャネル選択手段、および第３のチャネル選択手段のうちの少なくとも一つは、ローパスフィルタを含む
請求項３記載の復調器。
【請求項６】
上記第１のチャネル選択手段、第２のチャネル選択手段、および第３のチャネル選択手段のうちの少なくとも一つは、ローパスフィルタを含む
請求項４記載の復調器。
【請求項７】
上記第１の信号レベル検出回路、第２の信号レベル検出回路、および第３の信号レベル検出回路のうちの少なくとも一つは、
ゲートに入力信号が供給される第１の電界効果トランジスタと、
ソースが上記第１の電界効果トランジスタのソースに接続された第２の電界効果トランジスタと、
上記第１の電界効果トランジスタのゲートにゲートバイアス電圧を供給する第１のゲートバイアス供給回路と、
上記第２の電界効果トランジスタのゲートにゲートバイアス電圧を供給する第２のゲートバイアス供給回路と、
上記第１の電界効果トランジスタおよび第２の電界効果トランジスタのソース同士の接続点に接続された電流源と、
上記第１の電界効果トランジスタおよび第２の電界効果トランジスタのドレインにドレインバイアス電圧を供給するドレインバイアス供給回路と、
上記第１の電界効果トランジスタのドレインと基準電位間に接続された第１のキャパシタと、
上記第２の電界効果トランジスタのドレインと基準電位間に接続された第２のキャパシタと、を有し、
上記第１の電界効果トランジスタのドレイン電圧と第２の電界効果トランジスタのドレイン電圧間の電圧差を検波出力とする
請求項１記載の復調器。
【請求項８】
上記第１の電界効果トランジスタと第２の電界効果トランジスタは略同一特性を有し、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値と第２のドレインバイアス用抵抗素子の抵抗値が略等しい値に設定され、
上記第１のキャパシタの容量値と第２のキャパシタの容量値が略等しい値に設定されている
請求項７記載の復調器。
【請求項９】
上記第１の電界効果トランジスタのゲート幅Ｗｇａと第２の電界効果トランジスタのゲート幅Ｗｇｂの比Ｗｇａ／ＷｇｂがＮに設定され、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値Ｒａと第２のドレインバイアス用抵抗素子の抵抗値ＲｂはＲａ／Ｒｂ＝１／Ｎの条件を満足するように設定され、
上記第１のキャパシタの容量値と第２のキャパシタの容量値が略等しい値に設定されている
請求項７記載の復調器。
【請求項１０】
受信信号が入力される第１の信号入力端子と、
ローカル信号が入力される第２の信号入力端子と、
入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、
入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、
上記第２の分岐回路の第１出力端子から出力された第１のローカル信号の位相を所定量だけシフトさせて出力する第１の移相器と、
上記第２の分岐回路の第２出力端子から出力された第２のローカル信号の位相を所定量だけシフトさせて出力する第２の移相器と、
上記第１の分岐回路の第２出力端子から出力された第２の受信信号と上記第１の移相器から出力された位相が所定量だけシフトされた第１のローカル信号とを結合して出力する第１の結合回路と、
上記第１の分岐回路の第３出力端子から出力された第３の受信信号と上記第２の移相器から出力された位相が所定量だけシフトされた第２のローカル信号とを結合して出力する第２の結合回路と、
上記第１の分岐回路の第１出力端子から出力された信号レベルを検出する第１の信号レベル検出回路と、
上記第１の結合回路から出力された信号レベルを検出する第２の信号レベル検出回路と、
上記第２の結合回路から出力された信号レベルを検出する第３の信号レベル検出回路と、
上記第１の信号レベル検出回路の出力信号をアナログ信号からディジタル信号に変換する第１のアナログ／ディジタルコンバータと、
上記第２の信号レベル検出回路の出力信号をアナログ信号からディジタル信号に変換する第２のアナログ／ディジタルコンバータと、
上記第３の信号レベル検出回路の出力信号をアナログ信号からディジタル信号に変換する第３のアナログ／ディジタルコンバータと、
上記第１のアナログ／ディジタルコンバータの出力ディジタル信号、第２のアナログ／ディジタルコンバータの出力ディジタル信号、および第３のアナログ／ディジタルコンバータの出力ディジタル信号を、受信信号に含まれる複数の信号成分に変換する変換回路と
を有する復調器。
【請求項１１】
上記第１の信号レベル検出回路の出力信号の高域成分を除去して上記第１のアナログ／ディジタルコンバータに入力させる第１のフィルタと、
上記第２の信号レベル検出回路の出力信号の高域成分を除去して上記第２のアナログ／ディジタルコンバータに入力させる第２のフィルタと、
上記第３の信号レベル検出回路の出力信号の高域成分を除去して上記第３のアナログ／ディジタルコンバータに入力させる第３のフィルタと、
をさらに有し、
上記変換回路は、
上記第１のアナログ／ディジタルコンバータの出力信号から所望のチャネルを選択する第１のチャネル選択手段と、
上記第２のアナログ／ディジタルコンバータの出力信号から所望のチャネルを選択する第２のチャネル選択手段と、
上記第３のアナログ／ディジタルコンバータの出力信号から所望のチャネルを選択する第３のチャネル選択手段と、
上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路と
を含む請求項１０記載の復調器。
【請求項１２】
上記演算回路は、以下の式に基づいた演算により同相成分信号Ｉおよび直交成分信号Ｑを得る
請求項１１記載の復調器。
2002091564.tif 000038
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
【請求項１３】
上記第１のチャネル選択手段、第２のチャネル選択手段、および第３のチャネル選択手段のうちの少なくとも一つは、ローパスフィルタを含む
請求項１１記載の復調器。
【請求項１４】
上記第１のチャネル選択手段、第２のチャネル選択手段、および第３のチャネル選択手段のうちの少なくとも一つは、ローパスフィルタを含む
請求項１２記載の復調器。
【請求項１５】
上記第１の信号レベル検出回路の出力信号から所望のチャネルを選択して上記第１のアナログ／ディジタルコンバータに入力させる第１のチャネル選択手段と、
上記第２の信号レベル検出回路の出力信号から所望のチャネルを選択して上記第２のアナログ／ディジタルコンバータに入力させる第２のチャネル選択手段と、
上記第３の信号レベル検出回路の出力信号から所望のチャネルを選択して上記第３のアナログ／ディジタルコンバータに入力させる第３のチャネル選択手段と、
をさらに有し、
上記変換回路は、
上記第１のアナログ／ディジタルコンバータの出力ディジタル信号、第２のアナログ／ディジタルコンバータの出力ディジタル信号、および第３のアナログ／ディジタルコンバータの出力ディジタル信号および所定の回路パラメータ定数に基づいて、同相成分信号Ｉおよび直交成分信号Ｑを復調する演算回路と
を含む請求項１０記載の復調器。
【請求項１６】
上記演算回路は、以下の式に基づいた演算により同相成分信号Ｉおよび直交成分信号Ｑを得る
請求項１５記載の復調器。
2002091564.tif 000039
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
【請求項１７】
上記第１のチャネル選択手段、第２のチャネル選択手段、および第３のチャネル選択手段のうちの少なくとも一つは、ローパスフィルタを含む
請求項１５記載の復調器。
【請求項１８】
上記第１のチャネル選択手段、第２のチャネル選択手段、および第３のチャネル選択手段のうちの少なくとも一つは、ローパスフィルタを含む
請求項１６記載の復調器。
【請求項１９】
上記第１の信号レベル検出回路、第２の信号レベル検出回路、および第３の信号レベル検出回路のうちの少なくとも一つは、
ゲートに入力信号が供給される第１の電界効果トランジスタと、
ソースが上記第１の電界効果トランジスタのソースに接続された第２の電界効果トランジスタと、
上記第１の電界効果トランジスタのゲートにゲートバイアス電圧を供給する第１のゲートバイアス供給回路と、
上記第２の電界効果トランジスタのゲートにゲートバイアス電圧を供給する第２のゲートバイアス供給回路と、
上記第１の電界効果トランジスタおよび第２の電界効果トランジスタのソース同士の接続点に接続された電流源と、
上記第１の電界効果トランジスタおよび第２の電界効果トランジスタのドレインにドレインバイアス電圧を供給するドレインバイアス供給回路と、
上記第１の電界効果トランジスタのドレインと基準電位間に接続された第１のキャパシタと、
上記第２の電界効果トランジスタのドレインと基準電位間に接続された第２のキャパシタと、を有し、
上記第１の電界効果トランジスタのドレイン電圧と第２の電界効果トランジスタのドレイン電圧間の電圧差を検波出力とする
請求項１０記載の復調器。
【請求項２０】
上記第１の電界効果トランジスタと第２の電界効果トランジスタは略同一特性を有し、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値と第２のドレインバイアス用抵抗素子の抵抗値が略等しい値に設定され、
上記第１のキャパシタの容量値と第２のキャパシタの容量値が略等しい値に設定されている
請求項１９記載の復調器。
【請求項２１】
上記第１の電界効果トランジスタのゲート幅Ｗｇａと第２の電界効果トランジスタのゲート幅Ｗｇｂの比Ｗｇａ／ＷｇｂがＮに設定され、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値Ｒａと第２のドレインバイアス用抵抗素子の抵抗値ＲｂはＲａ／Ｒｂ＝１／Ｎの条件を満足するように設定され、
上記第１のキャパシタの容量値と第２のキャパシタの容量値が略等しい値に設定されている
請求項１９記載の復調器。
【請求項２２】
受信信号が入力される第１の信号入力端子と、
ローカル信号が入力される第２の信号入力端子と、
入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、
入力端子、第１出力端子、第２出力端子および第３出力端子を有し、入力端子が上記第２の信号入力端子に接続され、入力端子に入力されたローカル信号を第１、第２および第３のローカル信号に分岐し、第１出力端子から第１のローカル信号を出力し、第２出力端子から第２のローカル信号を出力し、第３出力端子から第３のローカル信号を出力する第２の分岐回路と、
上記第２の分岐回路の第１出力端子から出力された第１のローカル信号の位相を所定量だけシフトさせて出力する第１の移相器と、
上記第２の分岐回路の第２出力端子から出力された第２のローカル信号の位相を所定量だけシフトさせて出力する第２の移相器と、
上記第１の分岐回路の第２出力端子から出力された第２の受信信号と上記第１の移相器から出力された位相が所定量だけシフトされた第１のローカル信号とを結合して出力する第１の結合回路と、
上記第１の分岐回路の第３出力端子から出力された第３の受信信号と上記第２の移相器から出力された位相が所定量だけシフトされた第２のローカル信号とを結合して出力する第２の結合回路と、
上記第１の分岐回路の第１出力端子から出力された第１の受信信号と上記第２の分岐回路の第３出力端子から出力された第３のローカル信号とを結合して出力する第３の結合回路と、
上記第３の結合回路から出力された信号レベルを検出する第１の信号レベル検出回路と、
上記第１の結合回路から出力された信号レベルを検出する第２の信号レベル検出回路と、
上記第２の結合回路から出力された信号レベルを検出する第３の信号レベル検出回路と
を有する復調器。
【請求項２３】
上記第１の信号レベル検出回路の出力信号、第２の信号レベル検出回路の出力信号、および第３の信号レベル検出回路の出力信号を、受信信号に含まれる複数の信号成分に変換する変換回路
をさらに有する請求項２２記載の復調器。
【請求項２４】
上記変換回路は、
上記第１の信号レベル検出回路の出力信号から所望のチャネルを選択する第１のチャネル選択手段と、
上記第２の信号レベル検出回路の出力信号から所望のチャネルを選択する第２のチャネル選択手段と、
上記第３の信号レベル検出回路の出力信号から所望のチャネルを選択する第３のチャネル選択手段と、
上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路と
を含む請求項２３記載の復調器。
【請求項２５】
上記演算回路は、以下の式に基づいた演算により同相成分信号Ｉおよび直交成分信号Ｑを得る
請求項２４記載の復調器。
2002091564.tif 000040
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
【請求項２６】
上記第１のチャネル選択手段、第２のチャネル選択手段、および第３のチャネル選択手段のうちの少なくとも一つは、ローパスフィルタを含む
請求項２４記載の復調器。
【請求項２７】
上記第１のチャネル選択手段、第２のチャネル選択手段、および第３のチャネル選択手段のうちの少なくとも一つは、ローパスフィルタを含む
請求項２５記載の復調器。
【請求項２８】
上記第１の信号レベル検出回路、第２の信号レベル検出回路、および第３の信号レベル検出回路のうちの少なくとも一つは、
ゲートに入力信号が供給される第１の電界効果トランジスタと、
ソースが上記第１の電界効果トランジスタのソースに接続された第２の電界効果トランジスタと、
上記第１の電界効果トランジスタのゲートにゲートバイアス電圧を供給する第１のゲートバイアス供給回路と、
上記第２の電界効果トランジスタのゲートにゲートバイアス電圧を供給する第２のゲートバイアス供給回路と、
上記第１の電界効果トランジスタおよび第２の電界効果トランジスタのソース同士の接続点に接続された電流源と、
上記第１の電界効果トランジスタおよび第２の電界効果トランジスタのドレインにドレインバイアス電圧を供給するドレインバイアス供給回路と、
上記第１の電界効果トランジスタのドレインと基準電位間に接続された第１のキャパシタと、
上記第２の電界効果トランジスタのドレインと基準電位間に接続された第２のキャパシタと、を有し、
上記第１の電界効果トランジスタのドレイン電圧と第２の電界効果トランジスタのドレイン電圧間の電圧差を検波出力とする
請求項２２記載の復調器。
【請求項２９】
上記第１の電界効果トランジスタと第２の電界効果トランジスタは略同一特性を有し、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値と第２のドレインバイアス用抵抗素子の抵抗値が略等しい値に設定され、
上記第１のキャパシタの容量値と第２のキャパシタの容量値が略等しい値に設定されている
請求項２８記載の復調器。
【請求項３０】
上記第１の電界効果トランジスタのゲート幅Ｗｇａと第２の電界効果トランジスタのゲート幅Ｗｇｂの比Ｗｇａ／ＷｇｂがＮに設定され、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値Ｒａと第２のドレインバイアス用抵抗素子の抵抗値ＲｂはＲａ／Ｒｂ＝１／Ｎの条件を満足するように設定され、
上記第１のキャパシタの容量値と第２のキャパシタの容量値が略等しい値に設定されている
請求項２８記載の復調器。
【請求項３１】
受信信号が入力される第１の信号入力端子と、
ローカル信号が入力される第２の信号入力端子と、
入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する第１の分岐回路と、
入力端子、第１出力端子、および第２出力端子を有し、入力端子が上記第１の分岐回路の第１出力端子に接続され、入力端子に入力された受信信号を第３および第４の受信信号に分岐し、第１出力端子から第３の受信信号を出力し、第２出力端子から第４の受信信号を出力する第２の分岐回路と、
入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第３の分岐回路と、
上記第３の分岐回路の第１出力端子から出力された第１のローカル信号の位相を所定量だけシフトさせて出力する第１の移相器と、
上記第３の分岐回路の第２出力端子から出力された第２のローカル信号の位相を所定量だけシフトさせて出力する第２の移相器と、
上記第２の分岐回路の第１出力端子から出力された第３の受信信号と上記第１の移相器から出力された位相が所定量だけシフトされた第１のローカル信号とを結合して出力する第１の結合回路と、
上記第２の分岐回路の第２出力端子から出力された第４の受信信号と上記第２の移相器から出力された位相が所定量だけシフトされた第２のローカル信号とを結合して出力する第２の結合回路と、
上記第１の結合回路から出力された信号レベルを検出する第１の信号レベル検出回路と、
上記第２の結合回路から出力された信号レベルを検出する第２の信号レベル検出回路と、
上記第１の分岐回路の第２出力端子から出力された信号レベルを検出する第３の信号レベル検出回路と
を有する復調器。
【請求項３２】
上記第１の信号レベル検出回路の出力信号、第２の信号レベル検出回路の出力信号、および第３の信号レベル検出回路の出力信号を、受信信号に含まれる複数の信号成分に変換する変換回路
をさらに有する請求項３１記載の復調器。
【請求項３３】
上記変換回路は、
上記第１の信号レベル検出回路の出力信号から所望のチャネルを選択する第１のチャネル選択手段と、
上記第２の信号レベル検出回路の出力信号から所望のチャネルを選択する第２のチャネル選択手段と、
上記第３の信号レベル検出回路の出力信号から所望のチャネルを選択する第３のチャネル選択手段と、
上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路と
を含む請求項３２記載の復調器。
【請求項３４】
上記演算回路は、以下の式に基づいた演算により同相成分信号Ｉおよび直交成分信号Ｑを得る
請求項３３記載の復調器。
2002091564.tif 000041
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
【請求項３５】
上記第１のチャネル選択手段、第２のチャネル選択手段、および第３のチャネル選択手段のうちの少なくとも一つは、ローパスフィルタを含む
請求項３３記載の復調器。
【請求項３６】
上記第１のチャネル選択手段、第２のチャネル選択手段、および第３のチャネル選択手段のうちの少なくとも一つは、ローパスフィルタを含む
請求項３４記載の復調器。
【請求項３７】
上記第１の信号レベル検出回路、第２の信号レベル検出回路、および第３の信号レベル検出回路のうちの少なくとも一つは、
ゲートに入力信号が供給される第１の電界効果トランジスタと、
ソースが上記第１の電界効果トランジスタのソースに接続された第２の電界効果トランジスタと、
上記第１の電界効果トランジスタのゲートにゲートバイアス電圧を供給する第１のゲートバイアス供給回路と、
上記第２の電界効果トランジスタのゲートにゲートバイアス電圧を供給する第２のゲートバイアス供給回路と、
上記第１の電界効果トランジスタおよび第２の電界効果トランジスタのソース同士の接続点に接続された電流源と、
上記第１の電界効果トランジスタおよび第２の電界効果トランジスタのドレインにドレインバイアス電圧を供給するドレインバイアス供給回路と、
上記第１の電界効果トランジスタのドレインと基準電位間に接続された第１のキャパシタと、
上記第２の電界効果トランジスタのドレインと基準電位間に接続された第２のキャパシタと、を有し、
上記第１の電界効果トランジスタのドレイン電圧と第２の電界効果トランジスタのドレイン電圧間の電圧差を検波出力とする
請求項３１記載の復調器。
【請求項３８】
上記第１の電界効果トランジスタと第２の電界効果トランジスタは略同一特性を有し、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値と第２のドレインバイアス用抵抗素子の抵抗値が略等しい値に設定され、
上記第１のキャパシタの容量値と第２のキャパシタの容量値が略等しい値に設定されている
請求項３７記載の復調器。
【請求項３９】
上記第１の電界効果トランジスタのゲート幅Ｗｇａと第２の電界効果トランジスタのゲート幅Ｗｇｂの比Ｗｇａ／ＷｇｂがＮに設定され、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値Ｒａと第２のドレインバイアス用抵抗素子の抵抗値ＲｂはＲａ／Ｒｂ＝１／Ｎの条件を満足するように設定され、
上記第１のキャパシタの容量値と第２のキャパシタの容量値が略等しい値に設定されている
請求項３７記載の復調器。
【請求項４０】
上記第１の分岐回路の第１出力端子および第２出力端子の少なくとも第１出力端子に、当該第１出力端子からの出力信号を増幅する増幅器が接続されている
請求項３１記載の復調器。
【請求項４１】
受信信号が入力される第１の信号入力端子と、
ローカル信号が入力される第２の信号入力端子と、
入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、
入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、
上記第２の分岐回路の第１出力端子から出力された第１のローカル信号の位相を所定量だけシフトさせて出力する第１の移相器と、
上記第１の分岐回路の第３出力端子から出力された第３の受信信号の位相を所定量だけシフトさせて出力する第２の移相器と、
上記第１の分岐回路の第２出力端子から出力された第２の受信信号と上記第１の移相器から出力された位相が所定量だけシフトされた第１のローカル信号とを結合して出力する第１の結合回路と、
上記第２の移相器から出力された位相が所定量だけシフトされた第３の受信信号と上記第２の分岐回路から出力された第２のローカル信号とを結合して出力する第２の結合回路と、
上記第１の分岐回路の第１出力端子から出力された信号レベルを検出する第１の信号レベル検出回路と、
上記第１の結合回路から出力された信号レベルを検出する第２の信号レベル検出回路と、
上記第２の結合回路から出力された信号レベルを検出する第３の信号レベル検出回路と
を有する復調器。
【請求項４２】
上記第１の信号レベル検出回路の出力信号、第２の信号レベル検出回路の出力信号、および第３の信号レベル検出回路の出力信号を、受信信号に含まれる複数の信号成分に変換する変換回路
をさらに有する請求項４１記載の復調器。
【請求項４３】
上記変換回路は、
上記第１の信号レベル検出回路の出力信号から所望のチャネルを選択する第１のチャネル選択手段と、
上記第２の信号レベル検出回路の出力信号から所望のチャネルを選択する第２のチャネル選択手段と、
上記第３の信号レベル検出回路の出力信号から所望のチャネルを選択する第３のチャネル選択手段と、
上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路と
を含む請求項４２記載の復調器。
【請求項４４】
上記演算回路は、以下の式に基づいた演算により同相成分信号Ｉおよび直交成分信号Ｑを得る
請求項４３記載の復調器。
2002091564.tif 000042
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
【請求項４５】
上記第１のチャネル選択手段、第２のチャネル選択手段、および第３のチャネル選択手段のうちの少なくとも一つは、ローパスフィルタを含む
請求項４３記載の復調器。
【請求項４６】
上記第１のチャネル選択手段、第２のチャネル選択手段、および第３のチャネル選択手段のうちの少なくとも一つは、ローパスフィルタを含む
請求項４４記載の復調器。
【請求項４７】
上記第１の信号レベル検出回路、第２の信号レベル検出回路、および第３の信号レベル検出回路のうちの少なくとも一つは、
ゲートに入力信号が供給される第１の電界効果トランジスタと、
ソースが上記第１の電界効果トランジスタのソースに接続された第２の電界効果トランジスタと、
上記第１の電界効果トランジスタのゲートにゲートバイアス電圧を供給する第１のゲートバイアス供給回路と、
上記第２の電界効果トランジスタのゲートにゲートバイアス電圧を供給する第２のゲートバイアス供給回路と、
上記第１の電界効果トランジスタおよび第２の電界効果トランジスタのソース同士の接続点に接続された電流源と、
上記第１の電界効果トランジスタおよび第２の電界効果トランジスタのドレインにドレインバイアス電圧を供給するドレインバイアス供給回路と、
上記第１の電界効果トランジスタのドレインと基準電位間に接続された第１のキャパシタと、
上記第２の電界効果トランジスタのドレインと基準電位間に接続された第２のキャパシタと、を有し、
上記第１の電界効果トランジスタのドレイン電圧と第２の電界効果トランジスタのドレイン電圧間の電圧差を検波出力とする
請求項４１記載の復調器。
【請求項４８】
上記第１の電界効果トランジスタと第２の電界効果トランジスタは略同一特性を有し、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値と第２のドレインバイアス用抵抗素子の抵抗値が略等しい値に設定され、
上記第１のキャパシタの容量値と第２のキャパシタの容量値が略等しい値に設定されている
請求項４７記載の復調器。
【請求項４９】
上記第１の電界効果トランジスタのゲート幅Ｗｇａと第２の電界効果トランジスタのゲート幅Ｗｇｂの比Ｗｇａ／ＷｇｂがＮに設定され、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値Ｒａと第２のドレインバイアス用抵抗素子の抵抗値ＲｂはＲａ／Ｒｂ＝１／Ｎの条件を満足するように設定され、
上記第１のキャパシタの容量値と第２のキャパシタの容量値が略等しい値に設定されている
請求項４７記載の復調器。
【請求項５０】
受信信号が入力される第１の信号入力端子と、
ローカル信号が入力される第２の信号入力端子と、
入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する第１の分岐回路と、
入力端子、第１出力端子、および第２出力端子を有し、入力端子が上記第１の分岐回路の第１出力端子に接続され、入力端子に入力された受信信号を第３および第４の受信信号に分岐し、第１出力端子から第３の受信信号を出力し、第２出力端子から第４の受信信号を出力する第２の分岐回路と、
入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第３の分岐回路と、
入力端子、第１出力端子、および第２出力端子を有し、入力端子が上記第３の分岐回路の第１出力端子に接続され、入力端子に入力されたローカル信号を第３および第４のローカル信号に分岐し、第１出力端子から第３のローカル信号を出力し、第２出力端子から第４のローカル信号を出力する第４の分岐回路と、
上記第４の分岐回路の第１出力端子から出力された第３のローカル信号の位相を所定量だけシフトさせて出力する第１の移相器と、
上記第４の分岐回路の第２出力端子から出力された第４のローカル信号の位相を所定量だけシフトさせて出力する第２の移相器と、
上記第２の分岐回路の第１出力端子から出力された第３の受信信号と上記第１の移相器から出力された位相が所定量だけシフトされた第３のローカル信号とを結合して出力する第１の結合回路と、
上記第２の分岐回路の第２出力端子から出力された第４の受信信号と上記第２の移相器から出力された位相が所定量だけシフトされた第４のローカル信号とを結合して出力する第２の結合回路と、
上記第１の結合回路から出力された信号レベルを検出する第１の信号レベル検出回路と、
上記第２の結合回路から出力された信号レベルを検出する第２の信号レベル検出回路と、
上記第１の分岐回路の第２出力端子から出力された信号レベルを検出する第３の信号レベル検出回路と、
上記第３の分岐回路の第２出力端子から出力された信号レベルを検出する第４の信号レベル検出回路と
を有する復調器。
【請求項５１】
上記第１の信号レベル検出回路の出力信号、第２の信号レベル検出回路の出力信号、第３の信号レベル検出回路の出力信号、および第４の信号レベル検出回路の出力信号を、受信信号に含まれる複数の信号成分に変換する変換回路
をさらに有する請求項５０記載の復調器。
【請求項５２】
上記変換回路は、以下の式に基づいた演算により同相成分信号Ｉおよび直交成分信号Ｑを得る
請求項５１記載の復調器。
2002091564.tif 000043
ただし、Ｐ１は第１の信号レベル検出回路の出力信号、およびＰ４は第４の信号レベル検出回路の出力信号であり、ｈｉＫ、ｈｑｋ、ｋ＝０，１，２，３は本復調器の回路素子から求められる回路パラメータ定数である。
【請求項５３】
上記第１の信号レベル検出回路、第２の信号レベル検出回路、第３の信号レベル検出回路、および第４の信号レベル検出回路のうちの少なくとも一つは、
ゲートに入力信号が供給される第１の電界効果トランジスタと、
ソースが上記第１の電界効果トランジスタのソースに接続された第２の電界効果トランジスタと、
上記第１の電界効果トランジスタのゲートにゲートバイアス電圧を供給する第１のゲートバイアス供給回路と、
上記第２の電界効果トランジスタのゲートにゲートバイアス電圧を供給する第２のゲートバイアス供給回路と、
上記第１の電界効果トランジスタおよび第２の電界効果トランジスタのソース同士の接続点に接続された電流源と、
上記第１の電界効果トランジスタおよび第２の電界効果トランジスタのドレインにドレインバイアス電圧を供給するドレインバイアス供給回路と、
上記第１の電界効果トランジスタのドレインと基準電位間に接続された第１のキャパシタと、
上記第２の電界効果トランジスタのドレインと基準電位間に接続された第２のキャパシタと、を有し、
上記第１の電界効果トランジスタのドレイン電圧と第２の電界効果トランジスタのドレイン電圧間の電圧差を検波出力とする
請求項５０記載の復調器。
【請求項５４】
上記第１の電界効果トランジスタと第２の電界効果トランジスタは略同一特性を有し、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値と第２のドレインバイアス用抵抗素子の抵抗値が略等しい値に設定され、
上記第１のキャパシタの容量値と第２のキャパシタの容量値が略等しい値に設定されている
請求項５３記載の復調器。
【請求項５５】
上記第１の電界効果トランジスタのゲート幅Ｗｇａと第２の電界効果トランジスタのゲート幅Ｗｇｂの比Ｗｇａ／ＷｇｂがＮに設定され、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値Ｒａと第２のドレインバイアス用抵抗素子の抵抗値ＲｂはＲａ／Ｒｂ＝１／Ｎの条件を満足するように設定され、
上記第１のキャパシタの容量値と第２のキャパシタの容量値が略等しい値に設定されている
請求項５３記載の復調器。
【請求項５６】
上記第１の分岐回路の第１出力端子および第２出力端子の少なくとも第１出力端子に、当該第１出力端子からの出力信号を増幅する増幅器が接続されている
請求項５０記載の復調器。
【請求項５７】
受信信号が入力される第１の信号入力端子と、
ローカル信号が入力される第２の信号入力端子と、
入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する分岐回路と、
入力端子、第１出力端子、および第２出力端子を有し、入力端子が上記分岐回路の第１出力端子に接続され、入力端子に入力された受信信号をそれぞれ逆位相の関係を持つ第３および第４の受信信号に分岐し、第１出力端子から第３の受信信号を出力し、第２出力端子から第４の受信信号を出力する第１の位相ディバイダと、
入力端子、第１出力端子、および第２出力端子を有し、入力端子が上記第２の信号入力端子に接続され、入力端子に入力されたローカル信号をそれぞれ逆位相の関係を持つ第１および第２のローカル信号に分岐し、第１出力端子から第１のローカル信号を出力し、第２出力端子から第２のローカル信号を出力する第２の位相ディバイダと、
上記第２の位相ディバイダの第１出力端子から出力された第１のローカル信号の位相を所定量だけシフトさせて出力する第１の移相器と、
上記第２の位相ディバイダの第２出力端子から出力された第２のローカル信号の位相を所定量だけシフトさせて出力する第２の移相器と、
上記第１の位相ディバイダの第１出力端子から出力された第３の受信信号と上記第１の移相器から出力された位相が所定量だけシフトされた第１のローカル信号とを結合して出力する第１の結合回路と、
上記第１の位相ディバイダの第２出力端子から出力された第４の受信信号と上記第２の移相器から出力された位相が所定量だけシフトされた第２のローカル信号とを結合して出力する第２の結合回路と、
上記第１の結合回路から出力された信号レベルを検出する第１の信号レベル検出回路と、
上記第２の結合回路から出力された信号レベルを検出する第２の信号レベル検出回路と、
上記分岐回路の第２出力端子から出力された信号レベルを検出する第３の信号レベル検出回路と
を有する復調器。
【請求項５８】
上記第１の信号レベル検出回路の出力信号、第２の信号レベル検出回路の出力信号、および第３の信号レベル検出回路の出力信号を、受信信号に含まれる複数の信号成分に変換する変換回路
をさらに有する請求項５７記載の復調器。
【請求項５９】
上記変換回路は、
上記第１の信号レベル検出回路の出力信号から所望のチャネルを選択する第１のチャネル選択手段と、
上記第２の信号レベル検出回路の出力信号から所望のチャネルを選択する第２のチャネル選択手段と、
上記第３の信号レベル検出回路の出力信号から所望のチャネルを選択する第３のチャネル選択手段と、
上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路と
を含む請求項５８記載の復調器。
【請求項６０】
上記演算回路は、以下の式に基づいた演算により同相成分信号Ｉおよび直交成分信号Ｑを得る
請求項５９記載の復調器。
2002091564.tif 000044
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
【請求項６１】
上記第１のチャネル選択手段、第２のチャネル選択手段、および第３のチャネル選択手段のうちの少なくとも一つは、ローパスフィルタを含む
請求項５９記載の復調器。
【請求項６２】
上記第１のチャネル選択手段、第２のチャネル選択手段、および第３のチャネル選択手段のうちの少なくとも一つは、ローパスフィルタを含む
請求項６０記載の復調器。
【請求項６３】
上記第１の信号レベル検出回路、第２の信号レベル検出回路、および第３の信号レベル検出回路のうちの少なくとも一つは、
ゲートに入力信号が供給される第１の電界効果トランジスタと、
ソースが上記第１の電界効果トランジスタのソースに接続された第２の電界効果トランジスタと、
上記第１の電界効果トランジスタのゲートにゲートバイアス電圧を供給する第１のゲートバイアス供給回路と、
上記第２の電界効果トランジスタのゲートにゲートバイアス電圧を供給する第２のゲートバイアス供給回路と、
上記第１の電界効果トランジスタおよび第２の電界効果トランジスタのソース同士の接続点に接続された電流源と、
上記第１の電界効果トランジスタおよび第２の電界効果トランジスタのドレインにドレインバイアス電圧を供給するドレインバイアス供給回路と、
上記第１の電界効果トランジスタのドレインと基準電位間に接続された第１のキャパシタと、
上記第２の電界効果トランジスタのドレインと基準電位間に接続された第２のキャパシタと、を有し、
上記第１の電界効果トランジスタのドレイン電圧と第２の電界効果トランジスタのドレイン電圧間の電圧差を検波出力とする
請求項５７記載の復調器。
【請求項６４】
上記第１の電界効果トランジスタと第２の電界効果トランジスタは略同一特性を有し、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値と第２のドレインバイアス用抵抗素子の抵抗値が略等しい値に設定され、
上記第１のキャパシタの容量値と第２のキャパシタの容量値が略等しい値に設定されている
請求項６３記載の復調器。
【請求項６５】
上記第１の電界効果トランジスタのゲート幅Ｗｇａと第２の電界効果トランジスタのゲート幅Ｗｇｂの比Ｗｇａ／ＷｇｂがＮに設定され、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値Ｒａと第２のドレインバイアス用抵抗素子の抵抗値ＲｂはＲａ／Ｒｂ＝１／Ｎの条件を満足するように設定され、
上記第１のキャパシタの容量値と第２のキャパシタの容量値が略等しい値に設定されている
請求項６３記載の復調器。
【請求項６６】
上記分岐回路の第１出力端子および第２出力端子の少なくとも第１出力端子に、当該第１出力端子からの出力信号を増幅する増幅器が接続されている
請求項５７記載の復調器。
【請求項６７】
受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、上記第２の分岐回路の第１出力端子から出力された第１のローカル信号の位相を所定量だけシフトさせて出力する第１の移相器と、上記第２の分岐回路の第２出力端子から出力された第２のローカル信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第１の分岐回路の第３出力端子から出力された第３の受信信号と上記第２の移相器から出力された位相が所定量だけシフトされた第２のローカル信号とを結合して出力する第２の結合回路と、上記第１の分岐回路の第１出力端子から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、
受信信号のレベルを所望のレベルに調整して上記復調器の第１の信号入力端子に供給する利得制御回路と、
所望の発振周波数でローカル信号を発生し、上記復調器の第２の信号入力端子に供給するローカル信号発生回路と
を有する受信機。
【請求項６８】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項６７記載の受信機。
【請求項６９】
上記平均信号電力演算回路は、以下に信号に基づいた演算により平均信号電力を得る
請求項６８記載の受信機。
2002091564.tif 000045
ただし、ｄ２は受信信号電力、ｈｄｋ、ｋ＝０，１，２，３は上記復調器の回路素子から求められる回路パラメータ定数である。
【請求項７０】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項６７記載の受信機。
【請求項７１】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項６８記載の受信機。
【請求項７２】
上記復調器の変換回路は、
上記第１の信号レベル検出回路の出力信号から所望のチャネルを選択する第１のチャネル選択手段と、
上記第２の信号レベル検出回路の出力信号から所望のチャネルを選択する第２のチャネル選択手段と、
上記第３の信号レベル検出回路の出力信号から所望のチャネルを選択する第３のチャネル選択手段と、
上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路と
を含む請求項６７記載の受信機。
【請求項７３】
上記演算回路は、以下の式に基づいた演算により同相成分信号Ｉおよび直交成分信号Ｑを得る
請求項７２記載の受信機。
2002091564.tif 000046
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
【請求項７４】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項７２記載の受信機。
【請求項７５】
上記平均信号電力演算回路は、以下に信号に基づいた演算により平均信号電力を得る
請求項７４記載の受信機。
2002091564.tif 000047
ただし、ｄ２は受信信号電力、ｈｄｋ、ｋ＝０，１，２，３は上記復調器の回路素子から求められる回路パラメータ定数である。
【請求項７６】
復調器の変換回路で得られた同相成分信号Ｉおよび直交成分信号Ｑに基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項７２記載の受信機。
【請求項７７】
復調器の変換回路で得られた同相成分信号Ｉおよび直交成分信号Ｑに基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項７４記載の受信機。
【請求項７８】
上記第１のチャネル選択手段、第２のチャネル選択手段、および第３のチャネル選択手段のうちの少なくとも一つは、ローパスフィルタを含む
請求項７２記載の受信機。
【請求項７９】
上記第１のチャネル選択手段、第２のチャネル選択手段、および第３のチャネル選択手段のうちの少なくとも一つは、ローパスフィルタを含む
請求項７３記載の受信機。
【請求項８０】
上記復調器の第１の信号レベル検出回路、第２の信号レベル検出回路、および第３の信号レベル検出回路のうちの少なくとも一つは、
ゲートに入力信号が供給される第１の電界効果トランジスタと、
ソースが上記第１の電界効果トランジスタのソースに接続された第２の電界効果トランジスタと、
上記第１の電界効果トランジスタのゲートにゲートバイアス電圧を供給する第１のゲートバイアス供給回路と、
上記第２の電界効果トランジスタのゲートにゲートバイアス電圧を供給する第２のゲートバイアス供給回路と、
上記第１の電界効果トランジスタおよび第２の電界効果トランジスタのソース同士の接続点に接続された電流源と、
上記第１の電界効果トランジスタおよび第２の電界効果トランジスタのドレインにドレインバイアス電圧を供給するドレインバイアス供給回路と、
上記第１の電界効果トランジスタのドレインと基準電位間に接続された第１のキャパシタと、
上記第２の電界効果トランジスタのドレインと基準電位間に接続された第２のキャパシタと、を有し、
上記第１の電界効果トランジスタのドレイン電圧と第２の電界効果トランジスタのドレイン電圧間の電圧差を検波出力とする
請求項６７記載の受信機。
【請求項８１】
上記第１の電界効果トランジスタと第２の電界効果トランジスタは略同一特性を有し、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値と第２のドレインバイアス用抵抗素子の抵抗値が略等しい値に設定され、
上記第１のキャパシタの容量値と第２のキャパシタの容量値が略等しい値に設定されている
請求項８０記載の受信機。
【請求項８２】
上記第１の電界効果トランジスタのゲート幅Ｗｇａと第２の電界効果トランジスタのゲート幅Ｗｇｂの比Ｗｇａ／ＷｇｂがＮに設定され、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値Ｒａと第２のドレインバイアス用抵抗素子の抵抗値ＲｂはＲａ／Ｒｂ＝１／Ｎの条件を満足するように設定され、
上記第１のキャパシタの容量値と第２のキャパシタの容量値が略等しい値に設定されている
請求項８０記載の受信機。
【請求項８３】
受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、上記第２の分岐回路の第１出力端子から出力された第１のローカル信号の位相を所定量だけシフトさせて出力する第１の移相器と、上記第２の分岐回路の第２出力端子から出力された第２のローカル信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第１の分岐回路の第３出力端子から出力された第３の受信信号と上記第２の移相器から出力された位相が所定量だけシフトされた第２のローカル信号とを結合して出力する第２の結合回路と、上記第１の分岐回路の第１出力端子から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号をアナログ信号からディジタル信号に変換する第１のアナログ／ディジタルコンバータと、上記第２の信号レベル検出回路の出力信号をアナログ信号からディジタル信号に変換する第２のアナログ／ディジタルコンバータと、上記第３の信号レベル検出回路の出力信号をアナログ信号からディジタル信号に変換する第３のアナログ／ディジタルコンバータと、上記第１のアナログ／ディジタルコンバータの出力ディジタル信号、第２のアナログ／ディジタルコンバータの出力ディジタル信号、および第３のアナログ／ディジタルコンバータの出力ディジタル信号を、受信信号に含まれる複数の信号成分に変換する変換回路とを有する復調器と、
受信信号のレベルを所望のレベルに調整して上記復調器の第１の信号入力端子に供給する利得制御回路と、
所望の発振周波数でローカル信号を発生し、上記復調器の第２の信号入力端子に供給するローカル信号発生回路と
を有する受信機。
【請求項８４】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項８３記載の受信機。
【請求項８５】
上記平均信号電力演算回路は、以下に信号に基づいた演算により平均信号電力を得る
請求項８４記載の受信機。
2002091564.tif 000048
ただし、ｄ２は受信信号電力、ｈｄｋ、ｋ＝０，１，２，３は上記復調器の回路素子から求められる回路パラメータ定数である。
【請求項８６】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項８３記載の受信機。
【請求項８７】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項８４記載の受信機。
【請求項８８】
上記復調器は、
上記第１の信号レベル検出回路の出力信号の高域成分を除去して上記第１のアナログ／ディジタルコンバータに入力させる第１のフィルタと、
上記第２の信号レベル検出回路の出力信号の高域成分を除去して上記第２のアナログ／ディジタルコンバータに入力させる第２のフィルタと、
上記第３の信号レベル検出回路の出力信号の高域成分を除去して上記第３のアナログ／ディジタルコンバータに入力させる第３のフィルタと、
をさらに有し、
上記変換回路は、
上記第１のアナログ／ディジタルコンバータの出力信号から所望のチャネルを選択する第１のチャネル選択手段と、
上記第２のアナログ／ディジタルコンバータの出力信号から所望のチャネルを選択する第２のチャネル選択手段と、
上記第３のアナログ／ディジタルコンバータの出力信号から所望のチャネルを選択する第３のチャネル選択手段と、
上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路と
を含む請求項８３記載の受信機。
【請求項８９】
上記演算回路は、以下の式に基づいた演算により同相成分信号Ｉおよび直交成分信号Ｑを得る
請求項８８記載の受信機。
2002091564.tif 000049
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
【請求項９０】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項８８記載の受信機。
【請求項９１】
上記平均信号電力演算回路は、以下に信号に基づいた演算により平均信号電力を得る
請求項９０記載の受信機。
2002091564.tif 000050
ただし、ｄ２は受信信号電力、ｈｄｋ、ｋ＝０，１，２，３は上記復調器の回路素子から求められる回路パラメータ定数である。
【請求項９２】
復調器の変換回路で得られた同相成分信号Ｉおよび直交成分信号Ｑに基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項８８記載の受信機。
【請求項９３】
復調器の変換回路で得られた同相成分信号Ｉおよび直交成分信号Ｑに基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項９０記載の受信機。
【請求項９４】
上記第１のチャネル選択手段、第２のチャネル選択手段、および第３のチャネル選択手段のうちの少なくとも一つは、ローパスフィルタを含む
請求項９８記載の受信機。
【請求項９５】
上記第１のチャネル選択手段、第２のチャネル選択手段、および第３のチャネル選択手段のうちの少なくとも一つは、ローパスフィルタを含む
請求項８９記載の受信機。
【請求項９６】
上記第１の信号レベル検出回路の出力信号から所望のチャネルを選択して上記第１のアナログ／ディジタルコンバータに入力させる第１のチャネル選択手段と、
上記第２の信号レベル検出回路の出力信号から所望のチャネルを選択して上記第２のアナログ／ディジタルコンバータに入力させる第２のチャネル選択手段と、
上記第３の信号レベル検出回路の出力信号から所望のチャネルを選択して上記第３のアナログ／ディジタルコンバータに入力させる第３のチャネル選択手段と、
をさらに有し、
上記変換回路は、
上記第１のアナログ／ディジタルコンバータの出力ディジタル信号、第２のアナログ／ディジタルコンバータの出力ディジタル信号、および第３のアナログ／ディジタルコンバータの出力ディジタル信号および所定の回路パラメータ定数に基づいて、同相成分信号Ｉおよび直交成分信号Ｑを復調する演算回路と
を含む請求項８３記載の受信機。
【請求項９７】
上記演算回路は、以下の式に基づいた演算により同相成分信号Ｉおよび直交成分信号Ｑを得る
請求項９６記載の受信機。
2002091564.tif 000051
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
【請求項９８】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項９６記載の受信機。
【請求項９９】
上記平均信号電力演算回路は、以下に信号に基づいた演算により平均信号電力を得る
請求項９８記載の受信機。
2002091564.tif 000052
ただし、ｄ２は受信信号電力、ｈｄｋ、ｋ＝０，１，２，３は上記復調器の回路素子から求められる回路パラメータ定数である。
【請求項１００】
復調器の変換回路で得られた同相成分信号Ｉおよび直交成分信号Ｑに基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項９６記載の受信機。
【請求項１０１】
復調器の変換回路で得られた同相成分信号Ｉおよび直交成分信号Ｑに基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項９７記載の受信機。
【請求項１０２】
上記第１のチャネル選択手段、第２のチャネル選択手段、および第３のチャネル選択手段のうちの少なくとも一つは、ローパスフィルタを含む
請求項９８記載の受信機。
【請求項１０３】
上記第１のチャネル選択手段、第２のチャネル選択手段、および第３のチャネル選択手段のうちの少なくとも一つは、ローパスフィルタを含む
請求項９７記載の受信機。
【請求項１０４】
上記復調器の第１の信号レベル検出回路、第２の信号レベル検出回路、および第３の信号レベル検出回路のうちの少なくとも一つは、
ゲートに入力信号が供給される第１の電界効果トランジスタと、
ソースが上記第１の電界効果トランジスタのソースに接続された第２の電界効果トランジスタと、
上記第１の電界効果トランジスタのゲートにゲートバイアス電圧を供給する第１のゲートバイアス供給回路と、
上記第２の電界効果トランジスタのゲートにゲートバイアス電圧を供給する第２のゲートバイアス供給回路と、
上記第１の電界効果トランジスタおよび第２の電界効果トランジスタのソース同士の接続点に接続された電流源と、
上記第１の電界効果トランジスタおよび第２の電界効果トランジスタのドレインにドレインバイアス電圧を供給するドレインバイアス供給回路と、
上記第１の電界効果トランジスタのドレインと基準電位間に接続された第１のキャパシタと、
上記第２の電界効果トランジスタのドレインと基準電位間に接続された第２のキャパシタと、を有し、
上記第１の電界効果トランジスタのドレイン電圧と第２の電界効果トランジスタのドレイン電圧間の電圧差を検波出力とする
請求項８３記載の受信機。
【請求項１０５】
上記第１の電界効果トランジスタと第２の電界効果トランジスタは略同一特性を有し、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値と第２のドレインバイアス用抵抗素子の抵抗値が略等しい値に設定され、
上記第１のキャパシタの容量値と第２のキャパシタの容量値が略等しい値に設定されている
請求項１０４記載の受信機。
【請求項１０６】
上記第１の電界効果トランジスタのゲート幅Ｗｇａと第２の電界効果トランジスタのゲート幅Ｗｇｂの比Ｗｇａ／ＷｇｂがＮに設定され、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値Ｒａと第２のドレインバイアス用抵抗素子の抵抗値ＲｂはＲａ／Ｒｂ＝１／Ｎの条件を満足するように設定され、
上記第１のキャパシタの容量値と第２のキャパシタの容量値が略等しい値に設定されている
請求項１０４記載の受信機。
【請求項１０７】
受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、第２出力端子および第３出力端子を有し、入力端子が上記第２の信号入力端子に接続され、入力端子に入力されたローカル信号を第１、第２および第３のローカル信号に分岐し、第１出力端子から第１のローカル信号を出力し、第２出力端子から第２のローカル信号を出力し、第３出力端子から第３のローカル信号を出力する第２の分岐回路と、上記第２の分岐回路の第１出力端子から出力された第１のローカル信号の位相を所定量だけシフトさせて出力する第１の移相器と、上記第２の分岐回路の第２出力端子から出力された第２のローカル信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第１の分岐回路の第３出力端子から出力された第３の受信信号と上記第２の移相器から出力された位相が所定量だけシフトされた第２のローカル信号とを結合して出力する第２の結合回路と、上記第１の分岐回路の第１出力端子から出力された第１の受信信号と上記第２の分岐回路の第３出力端子から出力された第３のローカル信号とを結合して出力する第３の結合回路と、上記第３の結合回路から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、
受信信号のレベルを所望のレベルに調整して上記復調器の第１の信号入力端子に供給する利得制御回路と、
所望の発振周波数でローカル信号を発生し、上記復調器の第２の信号入力端子に供給するローカル信号発生回路と
を有する受信機。
【請求項１０８】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項１０７記載の受信機。
【請求項１０９】
上記平均信号電力演算回路は、以下に信号に基づいた演算により平均信号電力を得る
請求項１０８記載の受信機。
2002091564.tif 000053
ただし、ｄ２は受信信号電力、ｈｄｋ、ｋ＝０，１，２，３は上記復調器の回路素子から求められる回路パラメータ定数である。
【請求項１１０】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１０７記載の受信機。
【請求項１１１】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１０８記載の受信機。
【請求項１１２】
上記復調器の変換回路は、
上記第１の信号レベル検出回路の出力信号から所望のチャネルを選択する第１のチャネル選択手段と、
上記第２の信号レベル検出回路の出力信号から所望のチャネルを選択する第２のチャネル選択手段と、
上記第３の信号レベル検出回路の出力信号から所望のチャネルを選択する第３のチャネル選択手段と、
上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路と
を含む請求項１０７記載の受信機。
【請求項１１３】
上記演算回路は、以下の式に基づいた演算により同相成分信号Ｉおよび直交成分信号Ｑを得る
請求項１１２記載の受信機。
2002091564.tif 000054
2002091564.tif 000055
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
【請求項１１４】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項１１２記載の受信機。
【請求項１１５】
上記平均信号電力演算回路は、以下に信号に基づいた演算により平均信号電力を得る
請求項１１４記載の受信機。
2002091564.tif 000056
ただし、ｄ２は受信信号電力、ｈｄｋ、ｋ＝０，１，２，３は上記復調器の回路素子から求められる回路パラメータ定数である。
【請求項１１６】
復調器の変換回路で得られた同相成分信号Ｉおよび直交成分信号Ｑに基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１１２記載の受信機。
【請求項１１７】
復調器の変換回路で得られた同相成分信号Ｉおよび直交成分信号Ｑに基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１１４記載の受信機。
【請求項１１８】
上記第１のチャネル選択手段、第２のチャネル選択手段、および第３のチャネル選択手段のうちの少なくとも一つは、ローパスフィルタを含む
請求項１１２記載の受信機。
【請求項１１９】
上記第１のチャネル選択手段、第２のチャネル選択手段、および第３のチャネル選択手段のうちの少なくとも一つは、ローパスフィルタを含む
請求項１１３記載の受信機。
【請求項１２０】
上記復調器の第１の信号レベル検出回路、第２の信号レベル検出回路、および第３の信号レベル検出回路のうちの少なくとも一つは、
ゲートに入力信号が供給される第１の電界効果トランジスタと、
ソースが上記第１の電界効果トランジスタのソースに接続された第２の電界効果トランジスタと、
上記第１の電界効果トランジスタのゲートにゲートバイアス電圧を供給する第１のゲートバイアス供給回路と、
上記第２の電界効果トランジスタのゲートにゲートバイアス電圧を供給する第２のゲートバイアス供給回路と、
上記第１の電界効果トランジスタおよび第２の電界効果トランジスタのソース同士の接続点に接続された電流源と、
上記第１の電界効果トランジスタおよび第２の電界効果トランジスタのドレインにドレインバイアス電圧を供給するドレインバイアス供給回路と、
上記第１の電界効果トランジスタのドレインと基準電位間に接続された第１のキャパシタと、
上記第２の電界効果トランジスタのドレインと基準電位間に接続された第２のキャパシタと、を有し、
上記第１の電界効果トランジスタのドレイン電圧と第２の電界効果トランジスタのドレイン電圧間の電圧差を検波出力とする
請求項１０７記載の受信機。
【請求項１２１】
上記第１の電界効果トランジスタと第２の電界効果トランジスタは略同一特性を有し、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値と第２のドレインバイアス用抵抗素子の抵抗値が略等しい値に設定され、
上記第１のキャパシタの容量値と第２のキャパシタの容量値が略等しい値に設定されている
請求項１２０記載の受信機。
【請求項１２２】
上記第１の電界効果トランジスタのゲート幅Ｗｇａと第２の電界効果トランジスタのゲート幅Ｗｇｂの比Ｗｇａ／ＷｇｂがＮに設定され、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値Ｒａと第２のドレインバイアス用抵抗素子の抵抗値ＲｂはＲａ／Ｒｂ＝１／Ｎの条件を満足するように設定され、
上記第１のキャパシタの容量値と第２のキャパシタの容量値が略等しい値に設定されている
請求項１２０記載の受信機。
【請求項１２３】
受信信号が入力される第１の信号入力端子と、ローカル信号が入力される第２の信号入力端子と、入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する第１の分岐回路と、入力端子、第１出力端子、および第２出力端子を有し、入力端子が上記第１の分岐回路の第１出力端子に接続され、入力端子に入力された受信信号を第３および第４の受信信号に分岐し、第１出力端子から第３の受信信号を出力し、第２出力端子から第４の受信信号を出力する第２の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第３の分岐回路と、上記第３の分岐回路の第１出力端子から出力された第１のローカル信号の位相を所定量だけシフトさせて出力する第１の移相器と、上記第３の分岐回路の第２出力端子から出力された第２のローカル信号の位相を所定量だけシフトさせて出力する第２の移相器と、上記第２の分岐回路の第１出力端子から出力された第３の受信信号と上記第１の移相器から出力された位相が所定量だけシフトされた第１のローカル信号とを結合して出力する第１の結合回路と、上記第２の分岐回路の第２出力端子から出力された第４の受信信号と上記第２の移相器から出力された位相が所定量だけシフトされた第２のローカル信号とを結合して出力する第２の結合回路と、上記第１の結合回路から出力された信号レベルを検出する第１の信号レベル検出回路と、上記第２の結合回路から出力された信号レベルを検出する第２の信号レベル検出回路と、上記第１の分岐回路の第２出力端子から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、
受信信号のレベルを所望のレベルに調整して上記復調器の第１の信号入力端子に供給する利得制御回路と、
所望の発振周波数でローカル信号を発生し、上記復調器の第２の信号入力端子に供給するローカル信号発生回路と
を有する受信機。
【請求項１２４】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項１２３記載の受信機。
【請求項１２５】
上記平均信号電力演算回路は、以下に信号に基づいた演算により平均信号電力を得る
請求項１２４記載の受信機。
2002091564.tif 000057
ただし、ｄ２は受信信号電力、ｈｄｋ、ｋ＝０，１，２，３は上記復調器の回路素子から求められる回路パラメータ定数である。
【請求項１２６】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１２３記載の受信機。
【請求項１２７】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１２４記載の受信機。
【請求項１２８】
上記復調器の変換回路は、
上記第１の信号レベル検出回路の出力信号から所望のチャネルを選択する第１のチャネル選択手段と、
上記第２の信号レベル検出回路の出力信号から所望のチャネルを選択する第２のチャネル選択手段と、
上記第３の信号レベル検出回路の出力信号から所望のチャネルを選択する第３のチャネル選択手段と、
上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路と
を含む請求項１２３記載の受信機。
【請求項１２９】
上記演算回路は、以下の式に基づいた演算により同相成分信号Ｉおよび直交成分信号Ｑを得る
請求項１２８記載の受信機。
2002091564.tif 000058
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
【請求項１３０】
上記復調器の第１の信号レベル検出回路の出力信号の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項１２８記載の受信機。
【請求項１３１】
上記平均信号電力演算回路は、以下に信号に基づいた演算により平均信号電力を得る
請求項１３０記載の受信機。
2002091564.tif 000059
ただし、ｄ２は受信信号電力、ｈｄｋ、ｋ＝０，１，２，３は上記復調器の回路素子から求められる回路パラメータ定数である。
【請求項１３２】
復調器の変換回路で得られた同相成分信号Ｉおよび直交成分信号Ｑに基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１２８記載の受信機。
【請求項１３３】
復調器の変換回路で得られた同相成分信号Ｉおよび直交成分信号Ｑに基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１３０記載の受信機。
【請求項１３４】
上記第１のチャネル選択手段、第２のチャネル選択手段、および第３のチャネル選択手段のうちの少なくとも一つは、ローパスフィルタを含む
請求項１２８記載の受信機。
【請求項１３５】
上記第１のチャネル選択手段、第２のチャネル選択手段、および第３のチャネル選択手段のうちの少なくとも一つは、ローパスフィルタを含む
請求項１２９記載の受信機。
【請求項１３６】
上記復調器の第１の信号レベル検出回路、第２の信号レベル検出回路、および第３の信号レベル検出回路のうちの少なくとも一つは、
ゲートに入力信号が供給される第１の電界効果トランジスタと、
ソースが上記第１の電界効果トランジスタのソースに接続された第２の電界効果トランジスタと、
上記第１の電界効果トランジスタのゲートにゲートバイアス電圧を供給する第１のゲートバイアス供給回路と、
上記第２の電界効果トランジスタのゲートにゲートバイアス電圧を供給する第２のゲートバイアス供給回路と、
上記第１の電界効果トランジスタおよび第２の電界効果トランジスタのソース同士の接続点に接続された電流源と、
上記第１の電界効果トランジスタおよび第２の電界効果トランジスタのドレインにドレインバイアス電圧を供給するドレインバイアス供給回路と、
上記第１の電界効果トランジスタのドレインと基準電位間に接続された第１のキャパシタと、
上記第２の電界効果トランジスタのドレインと基準電位間に接続された第２のキャパシタと、を有し、
上記第１の電界効果トランジスタのドレイン電圧と第２の電界効果トランジスタのドレイン電圧間の電圧差を検波出力とする
請求項１２３記載の受信機。
【請求項１３７】
上記第１の電界効果トランジスタと第２の電界効果トランジスタは略同一特性を有し、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値と第２のドレインバイアス用抵抗素子の抵抗値が略等しい値に設定され、
上記第１のキャパシタの容量値と第２のキャパシタの容量値が略等しい値に設定されている
請求項１３６記載の受信機。
【請求項１３８】
上記第１の電界効果トランジスタのゲート幅Ｗｇａと第２の電界効果トランジスタのゲート幅Ｗｇｂの比Ｗｇａ／ＷｇｂがＮに設定され、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値Ｒａと第２のドレインバイアス用抵抗素子の抵抗値ＲｂはＲａ／Ｒｂ＝１／Ｎの条件を満足するように設定され、
上記第１のキャパシタの容量値と第２のキャパシタの容量値が略等しい値に設定されている
請求項１３６記載の受信機。
【請求項１３９】
上記第１の分岐回路の第１出力端子および第２出力端子の少なくとも第１出力端子に、当該第１出力端子からの出力信号を増幅する増幅器が接続されている
請求項１２３記載の受信機
【請求項１４０】
受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、上記第２の分岐回路の第１出力端子から出力された第１のローカル信号の位相を所定量だけシフトさせて出力する第１の移相器と、上記第１の分岐回路の第３出力端子から出力された第３の受信信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第２の移相器から出力された位相が所定量だけシフトされた第３の受信信号と上記第２の分岐回路から出力された第２のローカル信号とを結合して出力する第２の結合回路と、上記第１の分岐回路の第１出力端子から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、
受信信号のレベルを所望のレベルに調整して上記復調器の第１の信号入力端子に供給する利得制御回路と、
所望の発振周波数でローカル信号を発生し、上記復調器の第２の信号入力端子に供給するローカル信号発生回路と
を有する受信機。
【請求項１４１】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項１４０記載の受信機。
【請求項１４２】
上記平均信号電力演算回路は、以下に信号に基づいた演算により平均信号電力を得る
請求項１４１記載の受信機。
2002091564.tif 000060
ただし、ｄ２は受信信号電力、ｈｄｋ、ｋ＝０，１，２，３は上記復調器の回路素子から求められる回路パラメータ定数である。
【請求項１４３】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１４０記載の受信機。
【請求項１４４】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１４１記載の受信機。
【請求項１４５】
上記復調器の変換回路は、
上記第１の信号レベル検出回路の出力信号から所望のチャネルを選択する第１のチャネル選択手段と、
上記第２の信号レベル検出回路の出力信号から所望のチャネルを選択する第２のチャネル選択手段と、
上記第３の信号レベル検出回路の出力信号から所望のチャネルを選択する第３のチャネル選択手段と、
上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路と
を含む請求項１４０記載の受信機。
【請求項１４６】
上記演算回路は、以下の式に基づいた演算により同相成分信号Ｉおよび直交成分信号Ｑを得る
請求項１４５記載の受信機。
2002091564.tif 000061
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
【請求項１４７】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項１４５記載の受信機。
【請求項１４８】
上記平均信号電力演算回路は、以下に信号に基づいた演算により平均信号電力を得る
請求項１４７記載の受信機。
2002091564.tif 000062
ただし、ｄ２は受信信号電力、ｈｄｋ、ｋ＝０，１，２，３は上記復調器の回路素子から求められる回路パラメータ定数である。
【請求項１４９】
復調器の変換回路で得られた同相成分信号Ｉおよび直交成分信号Ｑに基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１４５記載の受信機。
【請求項１５０】
復調器の変換回路で得られた同相成分信号Ｉおよび直交成分信号Ｑに基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１４７記載の受信機。
【請求項１５１】
上記第１のチャネル選択手段、第２のチャネル選択手段、および第３のチャネル選択手段のうちの少なくとも一つは、ローパスフィルタを含む
請求項１４５記載の受信機。
【請求項１５２】
上記第１のチャネル選択手段、第２のチャネル選択手段、および第３のチャネル選択手段のうちの少なくとも一つは、ローパスフィルタを含む
請求項１４６記載の受信機。
【請求項１５３】
上記復調器の第１の信号レベル検出回路、第２の信号レベル検出回路、および第３の信号レベル検出回路のうちの少なくとも一つは、
ゲートに入力信号が供給される第１の電界効果トランジスタと、
ソースが上記第１の電界効果トランジスタのソースに接続された第２の電界効果トランジスタと、
上記第１の電界効果トランジスタのゲートにゲートバイアス電圧を供給する第１のゲートバイアス供給回路と、
上記第２の電界効果トランジスタのゲートにゲートバイアス電圧を供給する第２のゲートバイアス供給回路と、
上記第１の電界効果トランジスタおよび第２の電界効果トランジスタのソース同士の接続点に接続された電流源と、
上記第１の電界効果トランジスタおよび第２の電界効果トランジスタのドレインにドレインバイアス電圧を供給するドレインバイアス供給回路と、
上記第１の電界効果トランジスタのドレインと基準電位間に接続された第１のキャパシタと、
上記第２の電界効果トランジスタのドレインと基準電位間に接続された第２のキャパシタと、を有し、
上記第１の電界効果トランジスタのドレイン電圧と第２の電界効果トランジスタのドレイン電圧間の電圧差を検波出力とする
請求項１４０記載の受信機。
【請求項１５４】
上記第１の電界効果トランジスタと第２の電界効果トランジスタは略同一特性を有し、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値と第２のドレインバイアス用抵抗素子の抵抗値が略等しい値に設定され、
上記第１のキャパシタの容量値と第２のキャパシタの容量値が略等しい値に設定されている
請求項１５３記載の受信機。
【請求項１５５】
上記第１の電界効果トランジスタのゲート幅Ｗｇａと第２の電界効果トランジスタのゲート幅Ｗｇｂの比Ｗｇａ／ＷｇｂがＮに設定され、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値Ｒａと第２のドレインバイアス用抵抗素子の抵抗値ＲｂはＲａ／Ｒｂ＝１／Ｎの条件を満足するように設定され、
上記第１のキャパシタの容量値と第２のキャパシタの容量値が略等しい値に設定されている
請求項１５３記載の受信機。
【請求項１５６】
受信信号が入力される第１の信号入力端子と、ローカル信号が入力される第２の信号入力端子と、入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する第１の分岐回路と、入力端子、第１出力端子、および第２出力端子を有し、入力端子が上記第１の分岐回路の第１出力端子に接続され、入力端子に入力された受信信号を第３および第４の受信信号に分岐し、第１出力端子から第３の受信信号を出力し、第２出力端子から第４の受信信号を出力する第２の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第３の分岐回路と、入力端子、第１出力端子、および第２出力端子を有し、入力端子が上記第３の分岐回路の第１出力端子に接続され、入力端子に入力されたローカル信号を第３および第４のローカル信号に分岐し、第１出力端子から第３のローカル信号を出力し、第２出力端子から第４のローカル信号を出力する第４の分岐回路と、上記第４の分岐回路の第１出力端子から出力された第３のローカル信号の位相を所定量だけシフトさせて出力する第１の移相器と、上記第４の分岐回路の第２出力端子から出力された第４のローカル信号の位相を所定量だけシフトさせて出力する第２の移相器と、上記第２の分岐回路の第１出力端子から出力された第３の受信信号と上記第１の移相器から出力された位相が所定量だけシフトされた第３のローカル信号とを結合して出力する第１の結合回路と、上記第２の分岐回路の第２出力端子から出力された第４の受信信号と上記第２の移相器から出力された位相が所定量だけシフトされた第４のローカル信号とを結合して出力する第２の結合回路と、上記第１の結合回路から出力された信号レベルを検出する第１の信号レベル検出回路と、上記第２の結合回路から出力された信号レベルを検出する第２の信号レベル検出回路と、上記第１の分岐回路の第２出力端子から出力された信号レベルを検出する第３の信号レベル検出回路と、上記第３の分岐回路の第２出力端子から出力された信号レベルを検出する第４の信号レベル検出回路と、上記第１の信号レベル検出回路の出力信号、第２の信号レベル検出回路の出力信号、第３の信号レベル検出回路の出力信号、および第４の信号レベル検出回路の出力信号を、受信信号に含まれる複数の信号成分に変換する変換回路とを有する復調器と、
受信信号のレベルを所望のレベルに調整して上記復調器の第１の信号入力端子に供給する利得制御回路と、
所望の発振周波数でローカル信号を発生し、上記復調器の第２の信号入力端子に供給するローカル信号発生回路と
を有する受信機。
【請求項１５７】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項１５６記載の受信機。
【請求項１５８】
上記平均信号電力演算回路は、以下に信号に基づいた演算により平均信号電力を得る
請求項１５７記載の受信機。
2002091564.tif 000063
ただし、ｄ２は受信信号電力、ｈｄｋ、ｋ＝０，１，２，３は上記復調器の回路素子から求められる回路パラメータ定数である。
【請求項１５９】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１５６記載の受信機。
【請求項１６０】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１５７記載の受信機。
【請求項１６１】
上記変換回路は、以下の式に基づいた演算により同相成分信号Ｉおよび直交成分信号Ｑを得る
請求項１５６記載の受信機。
2002091564.tif 000064
ただし、Ｐ１は第１の信号レベル検出回路の出力信号、およびＰ４は第４の信号レベル検出回路の出力信号であり、ｈｉｋ、ｈｑｋ、ｋ＝０，１，２，３は本復調器の回路素子から求められる回路パラメータ定数である。
【請求項１６２】
上記復調器の第１の信号レベル検出回路、第２の信号レベル検出回路、第３の信号レベル検出回路、および第４の信号レベル検出回路のうちの少なくとも一つは、
ゲートに入力信号が供給される第１の電界効果トランジスタと、
ソースが上記第１の電界効果トランジスタのソースに接続された第２の電界効果トランジスタと、
上記第１の電界効果トランジスタのゲートにゲートバイアス電圧を供給する第１のゲートバイアス供給回路と、
上記第２の電界効果トランジスタのゲートにゲートバイアス電圧を供給する第２のゲートバイアス供給回路と、
上記第１の電界効果トランジスタおよび第２の電界効果トランジスタのソース同士の接続点に接続された電流源と、
上記第１の電界効果トランジスタおよび第２の電界効果トランジスタのドレインにドレインバイアス電圧を供給するドレインバイアス供給回路と、
上記第１の電界効果トランジスタのドレインと基準電位間に接続された第１のキャパシタと、
上記第２の電界効果トランジスタのドレインと基準電位間に接続された第２のキャパシタと、を有し、
上記第１の電界効果トランジスタのドレイン電圧と第２の電界効果トランジスタのドレイン電圧間の電圧差を検波出力とする
請求項１５６記載の受信機。
【請求項１６３】
上記第１の電界効果トランジスタと第２の電界効果トランジスタは略同一特性を有し、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値と第２のドレインバイアス用抵抗素子の抵抗値が略等しい値に設定され、
上記第１のキャパシタの容量値と第２のキャパシタの容量値が略等しい値に設定されている
請求項１６２記載の受信機。
【請求項１６４】
上記第１の電界効果トランジスタのゲート幅Ｗｇａと第２の電界効果トランジスタのゲート幅Ｗｇｂの比Ｗｇａ／ＷｇｂがＮに設定され、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値Ｒａと第２のドレインバイアス用抵抗素子の抵抗値ＲｂはＲａ／Ｒｂ＝１／Ｎの条件を満足するように設定され、
上記第１のキャパシタの容量値と第２のキャパシタの容量値が略等しい値に設定されている
請求項１６２記載の受信機。
【請求項１６５】
受信信号が入力される第１の信号入力端子と、ローカル信号が入力される第２の信号入力端子と、入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する分岐回路と、入力端子、第１出力端子、および第２出力端子を有し、入力端子が上記分岐回路の第１出力端子に接続され、入力端子に入力された受信信号をそれぞれ逆位相の関係を持つ第３および第４の受信信号に分岐し、第１出力端子から第３の受信信号を出力し、第２出力端子から第４の受信信号を出力する第１の位相ディバイダと、入力端子、第１出力端子、および第２出力端子を有し、入力端子が上記第２の信号入力端子に接続され、入力端子に入力されたローカル信号をそれぞれ逆位相の関係を持つ第１および第２のローカル信号に分岐し、第１出力端子から第１のローカル信号を出力し、第２出力端子から第２のローカル信号を出力する第２の位相ディバイダと、上記第２の位相ディバイダの第１出力端子から出力された第１のローカル信号の位相を所定量だけシフトさせて出力する第１の移相器と、上記第２の位相ディバイダの第２出力端子から出力された第２のローカル信号の位相を所定量だけシフトさせて出力する第２の移相器と、上記第１の位相ディバイダの第１出力端子から出力された第３の受信信号と上記第１の移相器から出力された位相が所定量だけシフトされた第１のローカル信号とを結合して出力する第１の結合回路と、上記第１の位相ディバイダの第２出力端子から出力された第４の受信信号と上記第２の移相器から出力された位相が所定量だけシフトされた第２のローカル信号とを結合して出力する第２の結合回路と、上記第１の結合回路から出力された信号レベルを検出する第１の信号レベル検出回路と、上記第２の結合回路から出力された信号レベルを検出する第２の信号レベル検出回路と、上記第１の分岐回路の第２出力端子から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、
受信信号のレベルを所望のレベルに調整して上記復調器の第１の信号入力端子に供給する利得制御回路と、
所望の発振周波数でローカル信号を発生し、上記復調器の第２の信号入力端子に供給するローカル信号発生回路と
を有する受信機。
【請求項１６６】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項１６５記載の受信機。
【請求項１６７】
上記平均信号電力演算回路は、以下に信号に基づいた演算により平均信号電力を得る
請求項１６６記載の受信機。
2002091564.tif 000065
ただし、ｄ２は受信信号電力、ｈｄｋ、ｋ＝０，１，２，３は上記復調器の回路素子から求められる回路パラメータ定数である。
【請求項１６８】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１６５記載の受信機。
【請求項１６９】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１６６記載の受信機。
【請求項１７０】
上記復調器の変換回路は、
上記第１の信号レベル検出回路の出力信号から所望のチャネルを選択する第１のチャネル選択手段と、
上記第２の信号レベル検出回路の出力信号から所望のチャネルを選択する第２のチャネル選択手段と、
上記第３の信号レベル検出回路の出力信号から所望のチャネルを選択する第３のチャネル選択手段と、
上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路と
を含む請求項１６５記載の受信機。
【請求項１７１】
上記演算回路は、以下の式に基づいた演算により同相成分信号Ｉおよび直交成分信号Ｑを得る
請求項１７０記載の受信機。
2002091564.tif 000066
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
【請求項１７２】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項１７０記載の受信機。
【請求項１７３】
上記平均信号電力演算回路は、以下に信号に基づいた演算により平均信号電力を得る
請求項１７２記載の受信機。
2002091564.tif 000067
ただし、ｄ２は受信信号電力、ｈｄｋ、ｋ＝０，１，２，３は上記復調器の回路素子から求められる回路パラメータ定数である。
【請求項１７４】
復調器の変換回路で得られた同相成分信号Ｉおよび直交成分信号Ｑに基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１７０記載の受信機。
【請求項１７５】
復調器の変換回路で得られた同相成分信号Ｉおよび直交成分信号Ｑに基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１７２記載の受信機。
【請求項１７６】
上記第１のチャネル選択手段、第２のチャネル選択手段、および第３のチャネル選択手段のうちの少なくとも一つは、ローパスフィルタを含む
請求項１７０記載の受信機。
【請求項１７７】
上記第１のチャネル選択手段、第２のチャネル選択手段、および第３のチャネル選択手段のうちの少なくとも一つは、ローパスフィルタを含む
請求項１７１記載の受信機。
【請求項１７８】
上記復調器の第１の信号レベル検出回路、第２の信号レベル検出回路、および第３の信号レベル検出回路のうちの少なくとも一つは、
ゲートに入力信号が供給される第１の電界効果トランジスタと、
ソースが上記第１の電界効果トランジスタのソースに接続された第２の電界効果トランジスタと、
上記第１の電界効果トランジスタのゲートにゲートバイアス電圧を供給する第１のゲートバイアス供給回路と、
上記第２の電界効果トランジスタのゲートにゲートバイアス電圧を供給する第２のゲートバイアス供給回路と、
上記第１の電界効果トランジスタおよび第２の電界効果トランジスタのソース同士の接続点に接続された電流源と、
上記第１の電界効果トランジスタおよび第２の電界効果トランジスタのドレインにドレインバイアス電圧を供給するドレインバイアス供給回路と、
上記第１の電界効果トランジスタのドレインと基準電位間に接続された第１のキャパシタと、
上記第２の電界効果トランジスタのドレインと基準電位間に接続された第２のキャパシタと、を有し、
上記第１の電界効果トランジスタのドレイン電圧と第２の電界効果トランジスタのドレイン電圧間の電圧差を検波出力とする
請求項１６５記載の受信機。
【請求項１７９】
上記第１の電界効果トランジスタと第２の電界効果トランジスタは略同一特性を有し、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値と第２のドレインバイアス用抵抗素子の抵抗値が略等しい値に設定され、
上記第１のキャパシタの容量値と第２のキャパシタの容量値が略等しい値に設定されている
請求項１７８記載の受信機。
【請求項１８０】
上記第１の電界効果トランジスタのゲート幅Ｗｇａと第２の電界効果トランジスタのゲート幅Ｗｇｂの比Ｗｇａ／ＷｇｂがＮに設定され、
上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、
上記第１のドレインバイアス用抵抗素子の抵抗値Ｒａと第２のドレインバイアス用抵抗素子の抵抗値ＲｂはＲａ／Ｒｂ＝１／Ｎの条件を満足するように設定され、
上記第１のキャパシタの容量値と第２のキャパシタの容量値が略等しい値に設定されている
請求項１８０記載の受信機。
【請求項１８１】
上記第１の分岐回路の第１出力端子および第２出力端子の少なくとも第１出力端子に、当該第１出力端子からの出力信号を増幅する増幅器が接続されている
請求項１６５記載の受信機
【請求項１８２】
無線信号を受信する複数のアンテナ素子と、上記各アンテナ素子で受信された信号の位相を所望の位相に制御する複数の位相可変回路と、上記複数の位相可変回路の出力信号を合成する信号合成回路とを含むフェーズドアレイアンテナ部と、
上記フェーズドアレイアンテナ部の信号合成回路による合成受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、上記第２の分岐回路の第１出力端子から出力された第１のローカル信号の位相を所定量だけシフトさせて出力する第１の移相器と、上記第２の分岐回路の第２出力端子から出力された第２のローカル信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第１の分岐回路の第３出力端子から出力された第３の受信信号と上記第２の移相器から出力された位相が所定量だけシフトされた第２のローカル信号とを結合して出力する第２の結合回路と、上記第１の分岐回路の第１出力端子から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、
受信信号のレベルを所望のレベルに調整して上記復調器の第１の信号入力端子に供給する利得制御回路と、
所望の発振周波数でローカル信号を発生し、上記復調器の第２の信号入力端子に供給するローカル信号発生回路と
を有する受信機。
【請求項１８３】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項１８２記載の受信機。
【請求項１８４】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１８２記載の受信機。
【請求項１８５】
無線信号を受信する複数のアンテナ素子と、上記各アンテナ素子で受信された信号の位相を所望の位相に制御する複数の位相可変回路と、上記複数の位相可変回路の出力信号を合成する信号合成回路とを含むフェーズドアレイアンテナ部と、
上記フェーズドアレイアンテナ部の信号合成回路による合成受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、上記第２の分岐回路の第１出力端子から出力された第１のローカル信号の位相を所定量だけシフトさせて出力する第１の移相器と、上記第２の分岐回路の第２出力端子から出力された第２のローカル信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第１の分岐回路の第３出力端子から出力された第３の受信信号と上記第２の移相器から出力された位相が所定量だけシフトされた第２のローカル信号とを結合して出力する第２の結合回路と、上記第１の分岐回路の第１出力端子から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号をアナログ信号からディジタル信号に変換する第１のアナログ／ディジタルコンバータと、上記第２の信号レベル検出回路の出力信号をアナログ信号からディジタル信号に変換する第２のアナログ／ディジタルコンバータと、上記第３の信号レベル検出回路の出力信号をアナログ信号からディジタル信号に変換する第３のアナログ／ディジタルコンバータと、上記第１のアナログ／ディジタルコンバータの出力ディジタル信号、第２のアナログ／ディジタルコンバータの出力ディジタル信号、および第３のアナログ／ディジタルコンバータの出力ディジタル信号を、受信信号に含まれる複数の信号成分に変換する変換回路とを有する復調器と、
受信信号のレベルを所望のレベルに調整して上記復調器の第１の信号入力端子に供給する利得制御回路と、
所望の発振周波数でローカル信号を発生し、上記復調器の第２の信号入力端子に供給するローカル信号発生回路と
を有する受信機。
【請求項１８６】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項１８５記載の受信機。
【請求項１８７】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１８５記載の受信機。
【請求項１８８】
無線信号を受信する複数のアンテナ素子と、上記各アンテナ素子で受信された信号の位相を所望の位相に制御する複数の位相可変回路と、上記複数の位相可変回路の出力信号を合成する信号合成回路とを含むフェーズドアレイアンテナ部と、
上記フェーズドアレイアンテナ部の信号合成回路による合成受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、第２出力端子および第３出力端子を有し、入力端子が上記第２の信号入力端子に接続され、入力端子に入力されたローカル信号を第１、第２および第３のローカル信号に分岐し、第１出力端子から第１のローカル信号を出力し、第２出力端子から第２のローカル信号を出力し、第３出力端子から第３のローカル信号を出力する第２の分岐回路と、上記第２の分岐回路の第１出力端子から出力された第１のローカル信号の位相を所定量だけシフトさせて出力する第１の移相器と、上記第２の分岐回路の第２出力端子から出力された第２のローカル信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第１の分岐回路の第３出力端子から出力された第３の受信信号と上記第２の移相器から出力された位相が所定量だけシフトされた第２のローカル信号とを結合して出力する第２の結合回路と、上記第１の分岐回路の第１の出力端子から出力された第１の受信信号と上記第２の分岐回路の第３出力端子から出力された第３のローカル信号とを結合して出力する第３の結合回路と、上記第３の結合回路から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、
受信信号のレベルを所望のレベルに調整して上記復調器の第１の信号入力端子に供給する利得制御回路と、
所望の発振周波数でローカル信号を発生し、上記復調器の第２の信号入力端子に供給するローカル信号発生回路と
を有する受信機。
【請求項１８９】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項１８８記載の受信機。
【請求項１９０】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１８８記載の受信機。
【請求項１９１】
無線信号を受信する複数のアンテナ素子と、上記各アンテナ素子で受信された信号の位相を所望の位相に制御する複数の位相可変回路と、上記複数の位相可変回路の出力信号を合成する信号合成回路とを含むフェーズドアレイアンテナ部と、
上記フェーズドアレイアンテナ部の信号合成回路による合成受信信号が入力される第１の信号入力端子と、ローカル信号が入力される第２の信号入力端子と、入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する第１の分岐回路と、入力端子、第１出力端子、および第２出力端子を有し、入力端子が上記第１の分岐回路の第１出力端子に接続され、入力端子に入力された受信信号を第３および第４の受信信号に分岐し、第１出力端子から第３の受信信号を出力し、第２出力端子から第４の受信信号を出力する第２の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第３の分岐回路と、上記第３の分岐回路の第１出力端子から出力された第１のローカル信号の位相を所定量だけシフトさせて出力する第１の移相器と、上記第３の分岐回路の第２出力端子から出力された第２のローカル信号の位相を所定量だけシフトさせて出力する第２の移相器と、上記第２の分岐回路の第１出力端子から出力された第３の受信信号と上記第１の移相器から出力された位相が所定量だけシフトされた第１のローカル信号とを結合して出力する第１の結合回路と、上記第２の分岐回路の第２出力端子から出力された第４の受信信号と上記第２の移相器から出力された位相が所定量だけシフトされた第２のローカル信号とを結合して出力する第２の結合回路と、上記第１の結合回路から出力された信号レベルを検出する第１の信号レベル検出回路と、上記第２の結合回路から出力された信号レベルを検出する第２の信号レベル検出回路と、上記第１の分岐回路の第２出力端子から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、
受信信号のレベルを所望のレベルに調整して上記復調器の第１の信号入力端子に供給する利得制御回路と、
所望の発振周波数でローカル信号を発生し、上記復調器の第２の信号入力端子に供給するローカル信号発生回路と
を有する受信機。
【請求項１９２】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項１９１記載の受信機。
【請求項１９３】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１９１記載の受信機。
【請求項１９４】
無線信号を受信する複数のアンテナ素子と、上記各アンテナ素子で受信された信号の位相を所望の位相に制御する複数の位相可変回路と、上記複数の位相可変回路の出力信号を合成する信号合成回路とを含むフェーズドアレイアンテナ部と、
上記フェーズドアレイアンテナ部の信号合成回路による合成受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、上記第２の分岐回路の第１出力端子から出力された第１のローカル信号の位相を所定量だけシフトさせて出力する第１の移相器と、上記第１の分岐回路の第３出力端子から出力された第３の受信信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第２の移相器から出力された位相が所定量だけシフトされた第３の受信信号と上記第２の分岐回路から出力された第２のローカル信号とを結合して出力する第２の結合回路と、上記第１の分岐回路の第１出力端子から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、
受信信号のレベルを所望のレベルに調整して上記復調器の第１の信号入力端子に供給する利得制御回路と、
所望の発振周波数でローカル信号を発生し、上記復調器の第２の信号入力端子に供給するローカル信号発生回路と
を有する受信機。
【請求項１９５】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項１９４記載の受信機。
【請求項１９６】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１９４記載の受信機。
【請求項１９７】
無線信号を受信する複数のアンテナ素子と、上記各アンテナ素子で受信された信号の位相を所望の位相に制御する複数の位相可変回路と、上記複数の位相可変回路の出力信号を合成する信号合成回路とを含むフェーズドアレイアンテナ部と、
上記フェーズドアレイアンテナ部の信号合成回路による合成受信信号が入力される第１の信号入力端子と、ローカル信号が入力される第２の信号入力端子と、入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する第１の分岐回路と、入力端子、第１出力端子、および第２出力端子を有し、入力端子が上記第１の分岐回路の第１出力端子に接続され、入力端子に入力された受信信号を第３および第４の受信信号に分岐し、第１出力端子から第３の受信信号を出力し、第２出力端子から第４の受信信号を出力する第２の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第３の分岐回路と、入力端子、第１出力端子、および第２出力端子を有し、入力端子が上記第３の分岐回路の第１出力端子に接続され、入力端子に入力されたローカル信号を第３および第４のローカル信号に分岐し、第１出力端子から第３のローカル信号を出力し、第２出力端子から第４のローカル信号を出力する第４の分岐回路と、上記第４の分岐回路の第１出力端子から出力された第３のローカル信号の位相を所定量だけシフトさせて出力する第１の移相器と、上記第４の分岐回路の第２出力端子から出力された第４のローカル信号の位相を所定量だけシフトさせて出力する第２の移相器と、上記第２の分岐回路の第１出力端子から出力された第３の受信信号と上記第１の移相器から出力された位相が所定量だけシフトされた第３のローカル信号とを結合して出力する第１の結合回路と、上記第２の分岐回路の第２出力端子から出力された第４の受信信号と上記第２の移相器から出力された位相が所定量だけシフトされた第４のローカル信号とを結合して出力する第２の結合回路と、上記第１の結合回路から出力された信号レベルを検出する第１の信号レベル検出回路と、上記第２の結合回路から出力された信号レベルを検出する第２の信号レベル検出回路と、上記第１の分岐回路の第２出力端子から出力された信号レベルを検出する第３の信号レベル検出回路と、上記第３の分岐回路の第２出力端子から出力された信号レベルを検出する第４の信号レベル検出回路と、上記第１の信号レベル検出回路の出力信号、第２の信号レベル検出回路の出力信号、第３の信号レベル検出回路の出力信号、および第４の信号レベル検出回路の出力信号を、受信信号に含まれる複数の信号成分に変換する変換回路とを有する復調器と、
受信信号のレベルを所望のレベルに調整して上記復調器の第１の信号入力端子に供給する利得制御回路と、
所望の発振周波数でローカル信号を発生し、上記復調器の第２の信号入力端子に供給するローカル信号発生回路と
を有する受信機。
【請求項１９８】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項１９７記載の受信機。
【請求項１９９】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項１９７記載の受信機。
【請求項２００】
無線信号を受信する複数のアンテナ素子と、上記各アンテナ素子で受信された信号の位相を所望の位相に制御する複数の位相可変回路と、上記複数の位相可変回路の出力信号を合成する信号合成回路とを含むフェーズドアレイアンテナ部と、
上記フェーズドアレイアンテナ部の信号合成回路による合成受信信号が入力される第１の信号入力端子と、ローカル信号が入力される第２の信号入力端子と、入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する分岐回路と、入力端子、第１出力端子、および第２出力端子を有し、入力端子が上記分岐回路の第１出力端子に接続され、入力端子に入力された受信信号をそれぞれ逆位相の関係を持つ第３および第４の受信信号に分岐し、第１出力端子から第３の受信信号を出力し、第２出力端子から第４の受信信号を出力する第１の位相ディバイダと、入力端子、第１出力端子、および第２出力端子を有し、入力端子が上記第２の信号入力端子に接続され、入力端子に入力されたローカル信号をそれぞれ逆位相の関係を持つ第１および第２のローカル信号に分岐し、第１出力端子から第１のローカル信号を出力し、第２出力端子から第２のローカル信号を出力する第２の位相ディバイダと、上記第２の位相ディバイダの第１出力端子から出力された第１のローカル信号の位相を所定量だけシフトさせて出力する第１の移相器と、上記第２の位相ディバイダの第２出力端子から出力された第２のローカル信号の位相を所定量だけシフトさせて出力する第２の移相器と、上記第１の位相ディバイダの第１出力端子から出力された第３の受信信号と上記第１の移相器から出力された位相が所定量だけシフトされた第１のローカル信号とを結合して出力する第１の結合回路と、上記第１の位相ディバイダの第２出力端子から出力された第４の受信信号と上記第２の移相器から出力された位相が所定量だけシフトされた第２のローカル信号とを結合して出力する第２の結合回路と、上記第１の結合回路から出力された信号レベルを検出する第１の信号レベル検出回路と、上記第２の結合回路から出力された信号レベルを検出する第２の信号レベル検出回路と、上記第１の分岐回路の第２出力端子から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、
受信信号のレベルを所望のレベルに調整して上記復調器の第１の信号入力端子に供給する利得制御回路と、
所望の発振周波数でローカル信号を発生し、上記復調器の第２の信号入力端子に供給するローカル信号発生回路と
を有する受信機。
【請求項２０１】
上記復調器の第１の信号レベル検出回路の出力信号を受けて平均信号電力を演算する平均信号電力演算回路と、
上記平均信号電力演算回路で求められた平均電力に基づいて、上記復調器に入力される受信信号レベルが一定となるように制御信号を上記可変利得回路に出力する利得制御信号生成回路と、
をさらに有し、
上記可変利得回路は、入力された受信信号を、上記利得制御信号生成回路による制御信号に応じたレベルに調整して上記復調器の第１の信号入力端子に供給する
請求項２００記載の受信機。
【請求項２０２】
復調器の変換回路で得られた複数の信号成分に基づいて周波数誤差を検出し、その結果を上記ローカル信号発生回路に供給する周波数誤差検出回路
をさらに有し、
上記ローカル信号発生回路は、上記周波数誤差検出回路において検出された周波数誤差値に基づいて、受信信号の搬送波周波数と略等しい周波数となるようにローカル信号の発振周波数を設定する
請求項２００記載の受信機。
【発明の詳細な説明】
技  術  分  野
本発明は、たとえば高周波信号を送受信する通信装置等に用いられ、また、ＧＨｚ帯のような高周波数帯におけるインピーダンス測定にも有効なダイレクトコンバージョン方式の復調器およびそれを用いた受信機に関するものである。
背  景  技  術
図１は、一般的な復調器の要部構成を示す回路図である。
図１に示すように、この復調器１０は、ローカル信号発生回路１１、＋４５度位相シフタ１２、−４５度位相シフタ１３、およびＲＦミキサ１４，１５を主構成要素として有している。
この復調器１０においては、ローカル信号発生回路１１により発生された所定周波数を有するローカル信号Ｓｌｏは、位相が＋４５度位相シフタ１２により４５度シフトされてＲＦミキサ１４に供給され、また−４５度位相シフタ１３により−４５度シフトされてＲＦミキサ１５に供給される。
そして、たとえば図示しないアンテナ素子やローノイズ増幅器を介した受信信号ＳｒがＲＦミキサ１４，１５に供給され、ＲＦミキサ１４において受信信号Ｓｒと＋４５度だけ位相シフトされたローカル信号とが乗算されて同相信号（Ｉ）が得られ、ＲＦミキサ１５において受信信号Ｓｒと−４５度だけ位相シフトされたローカル信号とが乗算されて直交信号（Ｑ）が得られる。
しかし、図１に示すようにミキサを用いた復調器１０では、広帯域化が困難であり、ミキサに高いローカルレベルを印加する必要がある。そして、ミキサは高いローカル電力により非線形な動作状態にあることから、低歪な復調が困難であるという不利益がある。
そこで、近年、電力検波回路（パワーディテクタ）を用いた図１とは異なる原理に基づく６ポート方式の復調器（マルチポート復調器）が提案されている。
この６ポート方式の復調器は、上述した復調方式で使用されているミキサに比較し、電力検波回路は広帯域化が容易である。このことから、マルチポート復調器は、マルチバンドまたはワイドバンド特性が要求されるソフトウェア無線との適応性がよいといえる。また、近年の無線通信では搬送波周波数としてより高い周波数を用いる傾向にあり、高周波化の要求に対しても答えることができる。
また、ミキサを用いた復調方式では、ミキサに高いローカルレベルを印加する必要がある。これに対して、マルチポート方式では、電力検波回路が線形な領域で動作している。したがって、マルチポート方式は低いローカル信号電力でも復調が可能である。
さらに、ミキサを用いた復調方式では、ミキサは高いローカル電力により非線形な動作状態にある。これに対してマルチポート方式では、電力検波回路が線形な領域で動作している。したがって、マルチポート方式は低歪な復調が可能である。
以下に、６ポート復調器の４つの例について図２〜図５に関連付けて説明する。
図２Ａは、６ポート復調器の第１の構成例を示すブロック図である（文献［１］：Ｊｉ  Ｌｉ，ｅｔ．ａｌ．：”Ｄｕａｌ  Ｔｏｎｅ  Ｃａｌｉｂｒａｔｉｏｎ  ｏｆ  Ｓｉｘ−ｐｏｒｔ  Ｊｕｎｃｔｉｏｎ  ａｎｄ  Ｉｔｓ  Ａｐｐｌｉｃａｔｉｏｎ  ｔｏ  ｔｈｅ  Ｓｉｘ−ｐｏｒｔ  Ｄｉｒｅｃｔ  Ｄｉｇｉｔａｌ  Ｍｉｌｌｉｍｅｔｒｉｃ  Ｒｅｃｅｉｖｅｒ”，ＩＥＥＥ  Ｔｒａｎｓ．Ｏｎ  ＭＴＴ，Ｖｏｌ．ＭＴＴ−４４，Ｎｏ．１，Ｊａｎ．’９６．、参照）。
この６ポート復調器２０は、図２Ａに示すように、直交ハイブリッド回路２１〜２４、分岐回路２５、アッテネータ２６、電力検波回路２７〜３０、および抵抗素子Ｒ２１を有している。
６ポート復調器２０においては、受信信号Ｓｒおよびローカル信号Ｓｌｏは直交ハイブリッド回路２１に入力され、信号ｊＳｒ＋Ｓｌｏ、Ｓｒ＋ｊＳｌｏが生成される。そして、信号ｊＳｒ＋Ｓｌｏは分岐回路２５で分岐されて直交ハイブリッド回路２２および２３に供給され、信号Ｓｒ＋ｊＳｌｏはアッテネータ２６を介して直交ハイブリッド回路２３に供給される。
直交ハイブリッド回路２２では、信号−Ｓｒ＋ｊＳｌｏ、Ｓｒ＋ｊＳｌｏが生成されて、それぞれ電力検波回路２７および直交ハイブリッド回路２４に供給される。また、直交ハイブリッド回路２３では、信号ｊ２Ｓｒ、ｊ２Ｓｌｏが生成され、直交ハイブリッド回路２４および電力検波回路３０に供給される。直交ハイブリッド回路２４の２つの出力信号は電力検波回路２８，２９にそれぞれ供給される。
そして、各電力検波回路２７〜３０において、たとえば入力信号の包絡線レベルまたは電力レベルが検波されて、信号Ｐ２１〜Ｐ２４としてそれぞれ出力される。
電力検波回路２７〜３０によるベースバンド出力信号である検波信号Ｐ２１〜Ｐ２４は、図２Ｂに示すように、マルチポート信号−ＩＱ信号変換回路３１に入力され、ここで受信信号に含まれる同相信号（Ｉ）と直交信号（Ｑ）に変換されて出力される。
図３Ａは、６ポート復調器の第２の構成例を示すブロック図である（文献［２］：Ｋａｎｇａｓｍａａ，ｅｔ．ａｌ．：”Ｓｉｘ−ｐｏｒｔ  Ｄｉｒｅｃｔ  Ｃｏｎｖｅｒｓｉｏｎ  Ｒｅｃｅｉｖｅｒ”，Ｅｕｒｏｐｅａｎ  Ｍｉｃｒｏｗａｖｅ  Ｃｏｎｆｅｒｅｎｃｅ  ’９７、参照）。
この６ポート復調器４０は、図３Ａに示すように、分岐回路４１、直交ハイブリッド回路４２、リングハイブリッド回路４３，４４、電力検波回路４５〜４８、および抵抗素子Ｒ４１を有している。
６ポート復調器４０においては、受信信号Ｓｒは分岐回路４１により分岐されて、リングハイブリッド回路４３および４４に供給される。また、ローカル信号Ｓｌｏは、直交ハイブリッド回路４２において所定の直交処理が施されて、リングハイブリッド回路４３および４４に供給される。
リングハイブリッド回路４３においては、入力された受信信号およびローカル信号に基づいて信号Ｓｒ＋ＳｌｏおよびＳｒ−Ｓｌｏが生成され、それぞれ電力検波回路４５、４６に供給される。また、リングハイブリッド回路４４においては、入力された受信信号およびローカル信号に基づいて信号Ｓｒ＋ｊＳｌｏおよびＳｒ−ｊＳｌｏが生成され、それぞれ電力検波回路４７、４８に供給される。
そして、各電力検波回路４５〜４８において、たとえば入力信号の包絡線レベルまたは電力レベルが検波されて、信号Ｐ４１〜Ｐ４４としてそれぞれ出力される。
電力検波回路４５〜４８によるベースバンド出力信号である検波信号Ｐ４１〜Ｐ４４は、図３Ｂに示すように、マルチポート信号−ＩＱ信号変換回路４９に入力され、ここで受信信号に含まれる同相信号（Ｉ）と直交信号（Ｑ）に変換されて出力される。
図４は、６ポート復調器の第３の構成例を示すブロック図である（文献［３］：ＥＰ９７１２２４３８．１（’９７．ＤＥＣ．１８）、参照）。
この６ポート復調器５０は、カップラ５１，５２、分岐回路５３，５４、移相器５５、電力検波回路５６〜５９、抵抗素子Ｒ５１，Ｒ５２および６ポート信号−ＩＱ信号変換回路６０を有している。
この６ポート復調器５０においては、受信信号Ｓｒは、カップラ５１により分岐回路５３に入力され、その一部は電力検波回路５６に入力される。分岐回路５３に入力された受信信号は、２つの信号に分岐される。分岐された一方の信号が電力検波回路５７に入力され、他方の信号が移相器５５に入力される。移相器５５では、分岐回路５３による受信信号に対して位相シフトθが与えられ、位相シフト作用を受けた信号が分岐回路５４に入力され、２つの信号に分岐される。分岐回路５４では、分岐された一方の信号が電力検波回路５８に入力され、他方の信号がカップラ５２に入力される。
また、ローカル信号Ｓｌｏは、カップラ５２により分岐回路５４に入力され、その一部は電力検波回路５９に入力される。分岐回路５４に入力されたローカル信号は、２つの信号に分岐される。分岐された一方の信号が電力検波回路５８に入力され、他方の信号が移相器５５に入力される。移相器５５では、分岐回路５４によるローカル信号に対して位相シフトθが与えられ、位相シフト作用を受けた信号が分岐回路５３に入力され、２つの信号に分岐される。分岐回路５３では、分岐された一方の信号が電力検波回路５７に入力され、他方の信号がカップラ５１に供給される。
電力検波回路５６には、受信信号が供給される。電力検波回路５６では、供給された信号の振幅成分が検波され、信号Ｐ５１として変換回路６０に供給される。
電力検波回路５７には、受信信号と位相シフトθが与えられたローカル信号が供給される。電力検波回路５７では、供給された信号の振幅成分が検波され、信号Ｐ５２として変換回路６０に供給される。
また、電力検波回路５８には、ローカル信号と位相シフトθが与えられた受信信号が供給される。電力検波回路５８では、供給された信号の振幅成分が検波され、信号Ｐ５３として変換回路６０に供給される。
また、電力検波回路５９には、ローカル信号が供給される。電力検波回路５９では、供給された信号の振幅成分が検波され、信号Ｐ５４として変換回路６０に供給される。
そして、変換回路６０において、入力信号が復調信号である同相信号（Ｉ）と直交信号（Ｑ）に変換されて出力される。
図５は、６ポート復調器の第４の構成例を示すブロック図である（文献［４］：Ｈｙｙｒｙｌａｉｎｅｎ，ｅｔ．ａｌ，”Ａｎ  ｉｍｐｒｏｖｅｄ  ｃｏｒｒｅｌａｔｏｒ  ｃｉｒｃｕｉｔ  ｆｏｒ  ａ  ｓｉｘ−ｐｏｒｔ  ｒｅｃｅｉｖｅｒ”，ＥＰ９７３０８９４５．１（ｆｉｌｉｎｇ  ｄａｔａ  ’９７  Ｎｏｖ．０７）、参照）。
この６ポート復調器７０は、分岐回路７１，７２、０度移相器７３、９０度移相器７４、１８０度移相器７５、２７０度移相器７６、結合回路７７〜８０、電力検波回路８１〜８４、および変換回路８５，８６を有している。
この６ポート復調器７０において、受信信号Ｓｒは、分岐回路７１により４つの信号に分岐される。分岐された４つの信号は、それぞれ異なる結合回路７７〜８０に供給される。
また、ローカル信号Ｓｌｏは、分岐回路７２により４つの信号に分岐される。分岐された第１のローカル信号は０度移相器７３に入力され、位相がそのまま保持されて結合回路７７に供給される。分岐された第２のローカル信号は９０度移相器７４に入力され、９０度位相シフトされて結合回路７８に供給される。分岐された第３のローカル信号は１８０度移相器７５に入力され、位相が１８０度シフトされて結合回路７９に供給される。そして、分岐された第４のローカル信号は２７０度移相器７６に入力され、位相が２７０度シフトされて結合回路８０に供給される。
結合回路７７では、受信信号とローカル信号が結合されて、電力検波回路８１に供給される。結合回路７８では、受信信号と９０度位相シフトされたローカル信号が結合されて、電力検波回路８２に供給される。結合回路７９では、受信信号と１８０度位相シフトされたローカル信号が結合されて、電力検波回路８３に供給される。結合回路８０では、受信信号と２７０度位相シフトされたローカル信号が結合されて、電力検波回路８４に供給される。
電力検波回路８１では、供給された信号の包絡線レベルまたは電力レベルが検波され、変換回路８５の非反転入力端子（＋）に供給される。電力検波回路８２では、供給された信号の包絡線レベルまたは電力レベルが検波され、変換回路８５の反転入力端子（−）に供給される。
電力検波回路８３では、供給された信号の包絡線レベルまたは電力レベルが検波され、変換回路８６の非反転入力端子（＋）に供給される。電力検波回路８４では、供給された信号の包絡線レベルまたは電力レベルが検波され、変換回路８６の反転入力端子（−）に供給される。
そして、変換回路８５では、供給された２つの信号から受信信号に含まれる同相信号（Ｉ）が生成される。変換回路８６では、供給された２つの信号から受信信号に含まれる直交信号（Ｑ）が生成される。
ところが、上述したマルチポート方式の復調器には、以下に示すような不利益がある。
図２Ａおよび図３Ａに示すマルチポート復調器は、直交ハイブリッド回路、リングハイブリッド回路を使用していることから、広帯域性の点で改善の余地がある。
また、図４に示すマルチポート復調器は、方向性カップラを用いていることから、同様に広帯域性の点で問題がある。
一般に、方向性カップラとしては、図６に示すホイートストンブリッヂを用いた方向性カップラが用いられる。図６の方向性カップラは、ポートＰＴ１から入力された信号は、ポートＰＴ３に出力されるが、ポートＰＴ２から入力された信号はポートＰＴ３には出力されない。
この方向性カップラは抵抗値Ｒ０〜Ｒ２の抵抗素子Ｒ６１〜Ｒ６４のみで構成されていることから、広帯域特性を有している。
しかしながら、ポートＰＴ３には平衡入力端子をもつ電力検波回路が接続される必要がある。または平衡−不平衡変換回路が必要となる。これらの回路は構成が複雑となり、回路サイズを増大させる。さらに、周波数帯域特性を制限する場合があり、特性が低下する。
また、図４に示すマルチポート復調器において、カップラに接続される電力検波回路と、分岐回路に接続される電力検波回路とは異なる回路構成をとる。このことは、温度や個体ばらつきなどの異なる検波特性変動を生じさせ、その結果復調性能を劣化させる。
また、図５に示すマルチポート復調器は、電力検波回路の特性の均一性についての課題が改善されているものの、次のような不利益がある。
すなわち、広帯域性の点で改善の余地がある。なぜならば、４つの移相器の値が０度、９０度、１８０度、および２７０度である必要があり、このことは使用周波数帯域を制限する。
また、４つの電力検波回路、４つの結合回路、４分岐の分岐回路が必要であり、回路の複雑性、サイズの点で改善の余地がある。
発明の開示
本発明は、かかる事情に鑑みてなされたものであり、その目的は、低消費電力、低歪、広帯域特性、および高性能の復調性能を実現でき、しかも回路の簡単化を図れ、また回路サイズの増大を防止できる復調器およびそれを用いた受信機を提供することにある。
本発明の第１の観点の復調器は、受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、上記第２の分岐回路の第１出力端子から出力された第１のローカル信号の位相を所定量だけシフトさせて出力する第１の移相器と、上記第２の分岐回路の第２出力端子から出力された第２のローカル信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第１の分岐回路の第３出力端子から出力された第３の受信信号と上記第２の移相器から出力された位相が所定量だけシフトされた第２のローカル信号とを結合して出力する第２の結合回路と、上記第１の分岐回路の第１出力端子から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路とを有する。
好適には、上記第１の信号レベル検出回路の出力信号、第２の信号レベル検出回路の出力信号、および第３の信号レベル検出回路の出力信号を、受信信号に含まれる複数の信号成分に変換する変換回路をさらに有する。
また、本発明に係る第１の観点に係る復調器では、上記変換回路は、上記第１の信号レベル検出回路の出力信号から所望のチャネルを選択する第１のチャネル選択手段と、上記第２の信号レベル検出回路の出力信号から所望のチャネルを選択する第２のチャネル選択手段と、上記第３の信号レベル検出回路の出力信号から所望のチャネルを選択する第３のチャネル選択手段と、上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路とを含む。
また、上記演算回路は、以下の式に基づいた演算により同相成分信号Ｉおよび直交成分信号Ｑを得る。
2002091564.tif 000003
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
また、好適には、上記第１のチャネル選択手段、第２のチャネル選択手段、および第３のチャネル選択手段のうちの少なくとも一つは、ローパスフィルタを含む。
本発明の第２の観点に係る復調器は、受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、上記第２の分岐回路の第１出力端子から出力された第１のローカル信号の位相を所定量だけシフトさせて出力する第１の移相器と、上記第２の分岐回路の第２出力端子から出力された第２のローカル信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第１の分岐回路の第３出力端子から出力された第３の受信信号と上記第２の移相器から出力された位相が所定量だけシフトされた第２のローカル信号とを結合して出力する第２の結合回路と、上記第１の分岐回路の第１出力端子から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号をアナログ信号からディジタル信号に変換する第１のアナログ／ディジタルコンバータと、上記第２の信号レベル検出回路の出力信号をアナログ信号からディジタル信号に変換する第２のアナログ／ディジタルコンバータと、上記第３の信号レベル検出回路の出力信号をアナログ信号からディジタル信号に変換する第３のアナログ／ディジタルコンバータと、上記第１のアナログ／ディジタルコンバータの出力ディジタル信号、第２のアナログ／ディジタルコンバータの出力ディジタル信号、および第３のアナログ／ディジタルコンバータの出力ディジタル信号を、受信信号に含まれる複数の信号成分に変換する変換回路とを有する。
好適には、本発明の第２の観点に係る復調器では、上記第１の信号レベル検出回路の出力信号の高域成分を除去して上記第１のアナログ／ディジタルコンバータに入力させる第１のフィルタと、上記第２の信号レベル検出回路の出力信号の高域成分を除去して上記第２のアナログ／ディジタルコンバータに入力させる第２のフィルタと、上記第３の信号レベル検出回路の出力信号の高域成分を除去して上記第３のアナログ／ディジタルコンバータに入力させる第３のフィルタと、をさらに有し、上記変換回路は、上記第１のアナログ／ディジタルコンバータの出力信号から所望のチャネルを選択する第１のチャネル選択手段と、上記第２のアナログ／ディジタルコンバータの出力信号から所望のチャネルを選択する第２のチャネル選択手段と、上記第３のアナログ／ディジタルコンバータの出力信号から所望のチャネルを選択する第３のチャネル選択手段と、上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路とを含む。
また、好適には、本発明の第２の観点に係る復調器では、上記第１の信号レベル検出回路の出力信号から所望のチャネルを選択して上記第１のアナログ／ディジタルコンバータに入力させる第１のチャネル選択手段と、上記第２の信号レベル検出回路の出力信号から所望のチャネルを選択して上記第２のアナログ／ディジタルコンバータに入力させる第２のチャネル選択手段と、上記第３の信号レベル検出回路の出力信号から所望のチャネルを選択して上記第３のアナログ／ディジタルコンバータに入力させる第３のチャネル選択手段と、をさらに有し、上記変換回路は、上記第１のアナログ／ディジタルコンバータの出力ディジタル信号、第２のアナログ／ディジタルコンバータの出力ディジタル信号、および第３のアナログ／ディジタルコンバータの出力ディジタル信号および所定の回路パラメータ定数に基づいて、同相成分信号Ｉおよび直交成分信号Ｑを復調する演算回路とを含む。
また、上記演算回路は、以下の式に基づいた演算により同相成分信号Ｉおよび直交成分信号Ｑを得る。
2002091564.tif 000004
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
また、好適には、上記第１のチャネル選択手段、第２のチャネル選択手段、および第３のチャネル選択手段のうちの少なくとも一つは、ローパスフィルタを含む。
本発明の第３の観点に係る復調器は、受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、第２出力端子および第３出力端子を有し、入力端子が上記第２の信号入力端子に接続され、入力端子に入力されたローカル信号を第１、第２および第３のローカル信号に分岐し、第１出力端子から第１のローカル信号を出力し、第２出力端子から第２のローカル信号を出力し、第３出力端子から第３のローカル信号を出力する第２の分岐回路と、上記第２の分岐回路の第１出力端子から出力された第１のローカル信号の位相を所定量だけシフトさせて出力する第１の移相器と、上記第２の分岐回路の第２出力端子から出力された第２のローカル信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第１の分岐回路の第３出力端子から出力された第３の受信信号と上記第２の移相器から出力された位相が所定量だけシフトされた第２のローカル信号とを結合して出力する第２の結合回路と、上記第１の分岐回路の第１出力端子から出力された第１の受信信号と上記第２の分岐回路の第３出力端子から出力された第３のローカル信号とを結合して出力する第３の結合回路と、上記第３の結合回路から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路とを有する。
好適には、上記第１の信号レベル検出回路の出力信号、第２の信号レベル検出回路の出力信号、および第３の信号レベル検出回路の出力信号を、受信信号に含まれる複数の信号成分に変換する変換回路をさらに有する。
また、本発明の第３の観点に係る復調器では、上記変換回路は、上記第１の信号レベル検出回路の出力信号から所望のチャネルを選択する第１のチャネル選択手段と、上記第２の信号レベル検出回路の出力信号から所望のチャネルを選択する第２のチャネル選択手段と、上記第３の信号レベル検出回路の出力信号から所望のチャネルを選択する第３のチャネル選択手段と、上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路とを含む。
また、上記演算回路は、以下の式に基づいた演算により同相成分信号Ｉおよび直交成分信号Ｑを得る。
2002091564.tif 000005
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
また、好適には、上記第１のチャネル選択手段、第２のチャネル選択手段、および第３のチャネル選択手段のうちの少なくとも一つは、ローパスフィルタを含む。
本発明の第４の観点に係る復調器は、受信信号が入力される第１の信号入力端子と、ローカル信号が入力される第２の信号入力端子と、入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する第１の分岐回路と、入力端子、第１出力端子、および第２出力端子を有し、入力端子が上記第１の分岐回路の第１出力端子に接続され、入力端子に入力された受信信号を第３および第４の受信信号に分岐し、第１出力端子から第３の受信信号を出力し、第２出力端子から第４の受信信号を出力する第２の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第３の分岐回路と、上記第３の分岐回路の第１出力端子から出力された第１のローカル信号の位相を所定量だけシフトさせて出力する第１の移相器と、上記第３の分岐回路の第２出力端子から出力された第２のローカル信号の位相を所定量だけシフトさせて出力する第２の移相器と、上記第２の分岐回路の第１出力端子から出力された第３の受信信号と上記第１の移相器から出力された位相が所定量だけシフトされた第１のローカル信号とを結合して出力する第１の結合回路と、上記第２の分岐回路の第２出力端子から出力された第４の受信信号と上記第２の移相器から出力された位相が所定量だけシフトされた第２のローカル信号とを結合して出力する第２の結合回路と、上記第１の結合回路から出力された信号レベルを検出する第１の信号レベル検出回路と、上記第２の結合回路から出力された信号レベルを検出する第２の信号レベル検出回路と、上記第１の分岐回路の第２出力端子から出力された信号レベルを検出する第３の信号レベル検出回路とを有する。
好適には、上記第１の信号レベル検出回路の出力信号、第２の信号レベル検出回路の出力信号、および第３の信号レベル検出回路の出力信号を、受信信号に含まれる複数の信号成分に変換する変換回路をさらに有する。
また、本発明の第４の観点に係る復調器では、上記変換回路は、上記第１の信号レベル検出回路の出力信号から所望のチャネルを選択する第１のチャネル選択手段と、上記第２の信号レベル検出回路の出力信号から所望のチャネルを選択する第２のチャネル選択手段と、上記第３の信号レベル検出回路の出力信号から所望のチャネルを選択する第３のチャネル選択手段と、上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路とを含む。
また、上記演算回路は、以下の式に基づいた演算により同相成分信号Ｉおよび直交成分信号Ｑを得る。
2002091564.tif 000006
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
また、好適には、上記第１のチャネル選択手段、第２のチャネル選択手段、および第３のチャネル選択手段のうちの少なくとも一つは、ローパスフィルタを含む。
また、本発明の第４の観点に係る復調器では、上記第１の分岐回路の第１出力端子および第２出力端子の少なくとも第１出力端子に、当該第１出力端子からの出力信号を増幅する増幅器が接続されている。
本発明の第５の観点に係る復調器は、受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、上記第２の分岐回路の第１出力端子から出力された第１のローカル信号の位相を所定量だけシフトさせて出力する第１の移相器と、上記第１の分岐回路の第３出力端子から出力された第３の受信信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第２の移相器から出力された位相が所定量だけシフトされた第３の受信信号と上記第２の分岐回路から出力された第２のローカル信号とを結合して出力する第２の結合回路と、上記第１の分岐回路の第１出力端子から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路とを有する。
好適には、上記第１の信号レベル検出回路の出力信号、第２の信号レベル検出回路の出力信号、および第３の信号レベル検出回路の出力信号を、受信信号に含まれる複数の信号成分に変換する変換回路をさらに有する。
また、本発明の第５の観点に係る復調器では、上記変換回路は、上記第１の信号レベル検出回路の出力信号から所望のチャネルを選択する第１のチャネル選択手段と、上記第２の信号レベル検出回路の出力信号から所望のチャネルを選択する第２のチャネル選択手段と、上記第３の信号レベル検出回路の出力信号から所望のチャネルを選択する第３のチャネル選択手段と、上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路とを含む。
また、上記演算回路は、以下の式に基づいた演算により同相成分信号Ｉおよび直交成分信号Ｑを得る。
2002091564.tif 000007
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
また、好適には、上記第１のチャネル選択手段、第２のチャネル選択手段、および第３のチャネル選択手段のうちの少なくとも一つは、ローパスフィルタを含む。
本発明の第６の観点に係る復調器は、受信信号が入力される第１の信号入力端子と、ローカル信号が入力される第２の信号入力端子と、入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する第１の分岐回路と、入力端子、第１出力端子、および第２出力端子を有し、入力端子が上記第１の分岐回路の第１出力端子に接続され、入力端子に入力された受信信号を第３および第４の受信信号に分岐し、第１出力端子から第３の受信信号を出力し、第２出力端子から第４の受信信号を出力する第２の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第３の分岐回路と、入力端子、第１出力端子、および第２出力端子を有し、入力端子が上記第３の分岐回路の第１の出力端子に接続され、入力端子に入力されたローカル信号を第３および第４のローカル信号に分岐し、第１出力端子から第３のローカル信号を出力し、第２出力端子から第４のローカル信号を出力する第４の分岐回路と、上記第４の分岐回路の第１出力端子から出力された第３のローカル信号の位相を所定量だけシフトさせて出力する第１の移相器と、上記第４の分岐回路の第２出力端子から出力された第４のローカル信号の位相を所定量だけシフトさせて出力する第２の移相器と、上記第２の分岐回路の第１の出力端子から出力された第３の受信信号と上記第１の移相器から出力された位相が所定量だけシフトされた第３のローカル信号とを結合して出力する第１の結合回路と、上記第２の分岐回路の第２出力端子から出力された第４の受信信号と上記第２の移相器から出力された位相が所定量だけシフトされた第４のローカル信号とを結合して出力する第２の結合回路と、上記第１の結合回路から出力された信号レベルを検出する第１の信号レベル検出回路と、上記第２の結合回路から出力された信号レベルを検出する第２の信号レベル検出回路と、上記第１の分岐回路の第２出力端子から出力された信号レベルを検出する第３の信号レベル検出回路と、上記第３の分岐回路の第２出力端子から出力された信号レベルを検出する第４の信号レベル検波回路とを有する。
好適には、上記第１の信号レベル検出回路の出力信号、第２の信号レベル検出回路の出力信号、第３の信号レベル検出回路の出力信号、および第４の信号レベル検出回路の出力信号を、受信信号に含まれる複数の信号成分に変換する変換回路をさらに有する。
また、本発明の第６の観点に係る復調器では、上記変換回路は、以下の式に基づいた演算により同相成分信号Ｉおよび直交成分信号Ｑを得る。
2002091564.tif 000008
ただし、Ｐ１は第１の信号レベル検出回路の出力信号、およびＰ４は第４の信号レベル検出回路の出力信号であり、ｈｉｋ、ｈｑｋ、ｋ＝０，１，２，３は本復調器の回路素子から求められる回路パラメータ定数である。
また、本発明の第６の観点に係る復調器では、上記第１の分岐回路の第１出力端子および第２出力端子の少なくとも第１出力端子に、当該第１出力端子からの出力信号を増幅する増幅器が接続されている。
本発明の第７の観点に係る復調器は、受信信号が入力される第１の信号入力端子と、ローカル信号が入力される第２の信号入力端子と、入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する分岐回路と、入力端子、第１出力端子、および第２出力端子を有し、入力端子が上記分岐回路の第１出力端子に接続され、入力端子に入力された受信信号をそれぞれ逆位相の関係を持つ第３および第４の受信信号に分岐し、第１出力端子から第３の受信信号を出力し、第２出力端子から第４の受信信号を出力する第１の位相ディバイダと、入力端子、第１出力端子、および第２出力端子を有し、入力端子が上記第２の信号入力端子に接続され、入力端子に入力されたローカル信号をそれぞれ逆位相の関係を持つ第１および第２のローカル信号に分岐し、第１出力端子から第１のローカル信号を出力し、第２出力端子から第２のローカル信号を出力する第２の位相ディバイダと、上記第２の位相ディバイダの第１出力端子から出力された第１のローカル信号の位相を所定量だけシフトさせて出力する第１の移相器と、上記第２の位相ディバイダの第２出力端子から出力された第２のローカル信号の位相を所定量だけシフトさせて出力する第２の移相器と、上記第１の位相ディバイダの第１出力端子から出力された第３の受信信号と上記第１の移相器から出力された位相が所定量だけシフトされた第１のローカル信号とを結合して出力する第１の結合回路と、上記第１の位相ディバイダの第２出力端子から出力された第４の受信信号と上記第２の移相器から出力された位相が所定量だけシフトされた第２のローカル信号とを結合して出力する第２の結合回路と、上記第１の結合回路から出力された信号レベルを検出する第１の信号レベル検出回路と、上記第２の結合回路から出力された信号レベルを検出する第２の信号レベル検出回路と、上記分岐回路の第２出力端子から出力された信号レベルを検出する第３の信号レベル検出回路とを有する。
好適には、上記第１の信号レベル検出回路の出力信号、第２の信号レベル検出回路の出力信号、および第３の信号レベル検出回路の出力信号を、受信信号に含まれる複数の信号成分に変換する変換回路をさらに有する。
また、本発明の第７の観点に係る復調器では、上記変換回路は、上記第１の信号レベル検出回路の出力信号から所望のチャネルを選択する第１のチャネル選択手段と、上記第２の信号レベル検出回路の出力信号から所望のチャネルを選択する第２のチャネル選択手段と、上記第３の信号レベル検出回路の出力信号から所望のチャネルを選択する第３のチャネル選択手段と、上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路とを含む。
また、上記演算回路は、以下の式に基づいた演算により同相成分信号Ｉおよび直交成分信号Ｑを得る。
2002091564.tif 000009
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
また、好適には、上記第１のチャネル選択手段、第２のチャネル選択手段、および第３のチャネル選択手段のうちの少なくとも一つは、ローパスフィルタを含む。
本発明の第８の観点に係る受信機は、受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、上記第２の分岐回路の第１出力端子から出力された第１のローカル信号の位相を所定量だけシフトさせて出力する第１の移相器と、上記第２の分岐回路の第２出力端子から出力された第２のローカル信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第１の分岐回路の第３出力端子から出力された第３の受信信号と上記第２の移相器から出力された位相が所定量だけシフトされた第２のローカル信号とを結合して出力する第２の結合回路と、上記第１の分岐回路の第１出力端子から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、受信信号のレベルを所望のレベルに調整して上記復調器の第１の信号入力端子に供給する利得制御回路と、所望の発振周波数でローカル信号を発生し、上記復調器の第２の信号入力端子に供給するローカル信号発生回路とを有する。
本発明の第８の観点に係る受信器では、上記復調器の第１の信号レベル検出回路の出力信号を受けて平均信号電力を演算する平均信号電力演算回路と、上記平均信号電力演算回路で求められた平均電力に基づいて、上記復調器に入力される受信信号レベルが一定となるように制御信号を上記可変利得回路に出力する利得制御信号生成回路と、をさらに有し、上記可変利得回路は、入力された受信信号を、上記利得制御信号生成回路による制御信号に応じたレベルに調整して上記復調器の第１の信号入力端子に供給する。
また、上記平均信号電力演算回路は、以下に信号に基づいた演算により平均信号電力を得る。
2002091564.tif 000010
ただし、ｄ２は受信信号電力、ｈｄｋ、ｋ＝０，１，２，３は上記復調器の回路素子から求められる回路パラメータ定数である。
また、好適には、復調器の変換回路で得られた複数の信号成分に基づいて周波数誤差を検出し、その結果を上記ローカル信号発生回路に供給する周波数誤差検出回路をさらに有し、上記ローカル信号発生回路は、上記周波数誤差検出回路において検出された周波数誤差値に基づいて、受信信号の搬送波周波数と略等しい周波数となるようにローカル信号の発振周波数を設定する。
また、好適には、上記復調器の変換回路は、上記第１の信号レベル検出回路の出力信号から所望のチャネルを選択する第１のチャネル選択手段と、上記第２の信号レベル検出回路の出力信号から所望のチャネルを選択する第２のチャネル選択手段と、上記第３の信号レベル検出回路の出力信号から所望のチャネルを選択する第３のチャネル選択手段と、上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路とを含む。
そして、上記演算回路は、以下の式に基づいた演算により同相成分信号Ｉおよび直交成分信号Ｑを得る。
2002091564.tif 000011
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
また、好適には、復調器の変換回路で得られた同相成分信号Ｉおよび直交成分信号Ｑに基づいて周波数誤差を検出し、その結果を上記ローカル信号発生回路に供給する周波数誤差検出回路をさらに有し、上記ローカル信号発生回路は、上記周波数誤差検出回路において検出された周波数誤差値に基づいて、受信信号の搬送波周波数と略等しい周波数となるようにローカル信号の発振周波数を設定する。
また、好適には、上記第１のチャネル選択手段、第２のチャネル選択手段、および第３のチャネル選択手段のうちの少なくとも一つは、ローパスフィルタを含む。
本発明の第９の観点に係る受信機は、受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、上記第２の分岐回路の第１出力端子から出力された第１のローカル信号の位相を所定量だけシフトさせて出力する第１の移相器と、上記第２の分岐回路の第２出力端子から出力された第２のローカル信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第１の分岐回路の第３出力端子から出力された第３の受信信号と上記第２の移相器から出力された位相が所定量だけシフトされた第２のローカル信号とを結合して出力する第２の結合回路と、上記第１の分岐回路の第１出力端子から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号をアナログ信号からディジタル信号に変換する第１のアナログ／ディジタルコンバータと、上記第２の信号レベル検出回路の出力信号をアナログ信号からディジタル信号に変換する第２のアナログ／ディジタルコンバータと、上記第３の信号レベル検出回路の出力信号をアナログ信号からディジタル信号に変換する第３のアナログ／ディジタルコンバータと、上記第１のアナログ／ディジタルコンバータの出力ディジタル信号、第２のアナログ／ディジタルコンバータの出力ディジタル信号、および第３のアナログ／ディジタルコンバータの出力ディジタル信号を、受信信号に含まれる複数の信号成分に変換する変換回路とを有する復調器と、受信信号のレベルを所望のレベルに調整して上記復調器の第１の信号入力端子に供給する利得制御回路と、所望の発振周波数でローカル信号を発生し、上記復調器の第２の信号入力端子に供給するローカル信号発生回路とを有する。
また、本発明の第９の観点に係る受信機では、上記復調器の第１の信号レベル検出回路の出力信号を受けて平均信号電力を演算する平均信号電力演算回路と、上記平均信号電力演算回路で求められた平均電力に基づいて、上記復調器に入力される受信信号レベルが一定となるように制御信号を上記可変利得回路に出力する利得制御信号生成回路と、をさらに有し、上記可変利得回路は、入力された受信信号を、上記利得制御信号生成回路による制御信号に応じたレベルに調整して上記復調器の第１の信号入力端子に供給する。
また、上記平均信号電力演算回路は、以下に信号に基づいた演算により平均信号電力を得る。
2002091564.tif 000012
ただし、ｄ２は受信信号電力、ｈｄｋ、ｋ＝０，１，２，３は上記復調器の回路素子から求められる回路パラメータ定数である。
また、好適には、復調器の変換回路で得られた複数の信号成分に基づいて周波数誤差を検出し、その結果を上記ローカル信号発生回路に供給する周波数誤差検出回路をさらに有し、上記ローカル信号発生回路は、上記周波数誤差検出回路において検出された周波数誤差値に基づいて、受信信号の搬送波周波数と略等しい周波数となるようにローカル信号の発振周波数を設定する。
また、本発明の第９の観点に係る受信機では、上記復調器は、上記第１の信号レベル検出回路の出力信号の高域成分を除去して上記第１のアナログ／ディジタルコンバータに入力させる第１のフィルタと、上記第２の信号レベル検出回路の出力信号の高域成分を除去して上記第２のアナログ／ディジタルコンバータに入力させる第２のフィルタと、上記第３の信号レベル検出回路の出力信号の高域成分を除去して上記第３のアナログ／ディジタルコンバータに入力させる第３のフィルタと、をさらに有し、上記変換回路は、上記第１のアナログ／ディジタルコンバータの出力信号から所望のチャネルを選択する第１のチャネル選択手段と、上記第２のアナログ／ディジタルコンバータの出力信号から所望のチャネルを選択する第２のチャネル選択手段と、上記第３のアナログ／ディジタルコンバータの出力信号から所望のチャネルを選択する第３のチャネル選択手段と、上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路とを含む。
また、本発明の第９の観点に係る受信機では、上記第１の信号レベル検出回路の出力信号から所望のチャネルを選択して上記第１のアナログ／ディジタルコンバータに入力させる第１のチャネル選択手段と、上記第２の信号レベル検出回路の出力信号から所望のチャネルを選択して上記第２のアナログ／ディジタルコンバータに入力させる第２のチャネル選択手段と、上記第３の信号レベル検出回路の出力信号から所望のチャネルを選択して上記第３のアナログ／ディジタルコンバータに入力させる第３のチャネル選択手段と、をさらに有し、上記変換回路は、上記第１のアナログ／ディジタルコンバータの出力ディジタル信号、第２のアナログ／ディジタルコンバータの出力ディジタル信号、および第３のアナログ／ディジタルコンバータの出力ディジタル信号および所定の回路パラメータ定数に基づいて、同相成分信号Ｉおよび直交成分信号Ｑを復調する演算回路とを含む。
そして、上記演算回路は、以下の式に基づいた演算により同相成分信号Ｉおよび直交成分信号Ｑを得る。
2002091564.tif 000013
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
また、好適には、復調器の変換回路で得られた同相成分信号Ｉおよび直交成分信号Ｑに基づいて周波数誤差を検出し、その結果を上記ローカル信号発生回路に供給する周波数誤差検出回路をさらに有し、上記ローカル信号発生回路は、上記周波数誤差検出回路において検出された周波数誤差値に基づいて、受信信号の搬送波周波数と略等しい周波数となるようにローカル信号の発振周波数を設定する。
また、好適には、上記第１のチャネル選択手段、第２のチャネル選択手段、および第３のチャネル選択手段のうちの少なくとも一つは、ローパスフィルタを含む。
本発明の第１０の観点に係る受信機は、受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、第２出力端子および第３出力端子を有し、入力端子が上記第２の信号入力端子に接続され、入力端子に入力されたローカル信号を第１、第２および第３のローカル信号に分岐し、第１出力端子から第１のローカル信号を出力し、第２出力端子から第２のローカル信号を出力し、第３出力端子から第３のローカル信号を出力する第２の分岐回路と、上記第２の分岐回路の第１出力端子から出力された第１のローカル信号の位相を所定量だけシフトさせて出力する第１の移相器と、上記第２の分岐回路の第２出力端子から出力された第２のローカル信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第１の分岐回路の第３出力端子から出力された第３の受信信号と上記第２の移相器から出力された位相が所定量だけシフトされた第２のローカル信号とを結合して出力する第２の結合回路と、上記第１の分岐回路の第１出力端子から出力された第１の受信信号と上記第２の分岐回路の第３出力端子から出力された第３のローカル信号とを結合して出力する第３の結合回路と、上記第３の結合回路から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、受信信号のレベルを所望のレベルに調整して上記復調器の第１の信号入力端子に供給する利得制御回路と、所望の発振周波数でローカル信号を発生し、上記復調器の第２の信号入力端子に供給するローカル信号発生回路とを有する。
本発明の第１０の観点に係る受信機では、上記復調器の第１の信号レベル検出回路の出力信号を受けて平均信号電力を演算する平均信号電力演算回路と、上記平均信号電力演算回路で求められた平均電力に基づいて、上記復調器に入力される受信信号レベルが一定となるように制御信号を上記可変利得回路に出力する利得制御信号生成回路と、をさらに有し、上記可変利得回路は、入力された受信信号を、上記利得制御信号生成回路による制御信号に応じたレベルに調整して上記復調器の第１の信号入力端子に供給する。
そして、上記平均信号電力演算回路は、以下に信号に基づいた演算により平均信号電力を得る。
2002091564.tif 000014
ただし、ｄ２は受信信号電力、ｈｄｋ、ｋ＝０，１，２，３は上記復調器の回路素子から求められる回路パラメータ定数である。
また、好適には、復調器の変換回路で得られた複数の信号成分に基づいて周波数誤差を検出し、その結果を上記ローカル信号発生回路に供給する周波数誤差検出回路をさらに有し、上記ローカル信号発生回路は、上記周波数誤差検出回路において検出された周波数誤差値に基づいて、受信信号の搬送波周波数と略等しい周波数となるようにローカル信号の発振周波数を設定する。
また、本発明の第１０の観点に係る受信機では、上記復調器の変換回路は、上記第１の信号レベル検出回路の出力信号から所望のチャネルを選択する第１のチャネル選択手段と、上記第２の信号レベル検出回路の出力信号から所望のチャネルを選択する第２のチャネル選択手段と、上記第３の信号レベル検出回路の出力信号から所望のチャネルを選択する第３のチャネル選択手段と、上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路とを含む。
そして、上記演算回路は、以下の式に基づいた演算により同相成分信号Ｉおよび直交成分信号Ｑを得る。
2002091564.tif 000015
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
また、好適には、復調器の変換回路で得られた同相成分信号Ｉおよび直交成分信号Ｑに基づいて周波数誤差を検出し、その結果を上記ローカル信号発生回路に供給する周波数誤差検出回路をさらに有し、上記ローカル信号発生回路は、上記周波数誤差検出回路において検出された周波数誤差値に基づいて、受信信号の搬送波周波数と略等しい周波数となるようにローカル信号の発振周波数を設定する。
また、好適には、上記第１のチャネル選択手段、第２のチャネル選択手段、および第３のチャネル選択手段のうちの少なくとも一つは、ローパスフィルタを含む。
本発明の第１１の観点に係る受信機は、受信信号が入力される第１の信号入力端子と、ローカル信号が入力される第２の信号入力端子と、入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する第１の分岐回路と、入力端子、第１出力端子、および第２出力端子を有し、入力端子が上記第１の分岐回路の第１出力端子に接続され、入力端子に入力された受信信号を第３および第４の受信信号に分岐し、第１出力端子から第３の受信信号を出力し、第２出力端子から第４の受信信号を出力する第２の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第３の分岐回路と、上記第３の分岐回路の第１出力端子から出力された第１のローカル信号の位相を所定量だけシフトさせて出力する第１の移相器と、上記第３の分岐回路の第２出力端子から出力された第２のローカル信号の位相を所定量だけシフトさせて出力する第２の移相器と、上記第２の分岐回路の第１の出力端子から出力された第３の受信信号と上記第１の移相器から出力された位相が所定量だけシフトされた第１のローカル信号とを結合して出力する第１の結合回路と、上記第２の分岐回路の第２出力端子から出力された第４の受信信号と上記第２の移相器から出力された位相が所定量だけシフトされた第２のローカル信号とを結合して出力する第２の結合回路と、上記第１の結合回路から出力された信号レベルを検出する第１の信号レベル検出回路と、上記第２の結合回路から出力された信号レベルを検出する第２の信号レベル検出回路と、上記第１の分岐回路の第２出力端子から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、受信信号のレベルを所望のレベルに調整して上記復調器の第１の信号入力端子に供給する利得制御回路と、所望の発振周波数でローカル信号を発生し、上記復調器の第２の信号入力端子に供給するローカル信号発生回路とを有する。
本発明の第１１の観点に係る受信機では、上記復調器の第１の信号レベル検出回路の出力信号を受けて平均信号電力を演算する平均信号電力演算回路と、上記平均信号電力演算回路で求められた平均電力に基づいて、上記復調器に入力される受信信号レベルが一定となるように制御信号を上記可変利得回路に出力する利得制御信号生成回路と、をさらに有し、上記可変利得回路は、入力された受信信号を、上記利得制御信号生成回路による制御信号に応じたレベルに調整して上記復調器の第１の信号入力端子に供給する。
また、上記上記平均信号電力演算回路は、以下に信号に基づいた演算により平均信号電力を得る。
2002091564.tif 000016
ただし、ｄ２は受信信号電力、ｈｄｋ、ｋ＝０，１，２，３は上記復調器の回路素子から求められる回路パラメータ定数である。
また、好適には、復調器の変換回路で得られた複数の信号成分に基づいて周波数誤差を検出し、その結果を上記ローカル信号発生回路に供給する周波数誤差検出回路をさらに有し、上記ローカル信号発生回路は、上記周波数誤差検出回路において検出された周波数誤差値に基づいて、受信信号の搬送波周波数と略等しい周波数となるようにローカル信号の発振周波数を設定する。
また、好適には、上記復調器の変換回路は、上記第１の信号レベル検出回路の出力信号から所望のチャネルを選択する第１のチャネル選択手段と、上記第２の信号レベル検出回路の出力信号から所望のチャネルを選択する第２のチャネル選択手段と、上記第３の信号レベル検出回路の出力信号から所望のチャネルを選択する第３のチャネル選択手段と、上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路とを含む。
そして、上記演算回路は、以下の式に基づいた演算により同相成分信号Ｉおよび直交成分信号Ｑを得る。
2002091564.tif 000017
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
また、本発明の第１１の観点に係る受信機では、復調器の変換回路で得られた同相成分信号Ｉおよび直交成分信号Ｑに基づいて周波数誤差を検出し、その結果を上記ローカル信号発生回路に供給する周波数誤差検出回路をさらに有し、上記ローカル信号発生回路は、上記周波数誤差検出回路において検出された周波数誤差値に基づいて、受信信号の搬送波周波数と略等しい周波数となるようにローカル信号の発振周波数を設定する。
また、好適には、上記第１のチャネル選択手段、第２のチャネル選択手段、および第３のチャネル選択手段のうちの少なくとも一つは、ローパスフィルタを含む。
また、本発明の第１１の観点に係る受信機では、上記第１の分岐回路の第１出力端子および第２出力端子の少なくとも第１出力端子に、当該第１出力端子からの出力信号を増幅する増幅器が接続されている。
本発明の第１２の観点に係る受信機では、受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、上記第２の分岐回路の第１出力端子から出力された第１のローカル信号の位相を所定量だけシフトさせて出力する第１の移相器と、上記第１の分岐回路の第３出力端子から出力された第３の受信信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第２の移相器から出力された位相が所定量だけシフトされた第３の受信信号と上記第２の分岐回路から出力された第２のローカル信号とを結合して出力する第２の結合回路と、上記第１の分岐回路の第１出力端子から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、受信信号のレベルを所望のレベルに調整して上記復調器の第１の信号入力端子に供給する利得制御回路と、所望の発振周波数でローカル信号を発生し、上記復調器の第２の信号入力端子に供給するローカル信号発生回路とを有する。
本発明の第１２の観点に係る受信機では、上記復調器の第１の信号レベル検出回路の出力信号を受けて平均信号電力を演算する平均信号電力演算回路と、上記平均信号電力演算回路で求められた平均電力に基づいて、上記復調器に入力される受信信号レベルが一定となるように制御信号を上記可変利得回路に出力する利得制御信号生成回路と、をさらに有し、上記可変利得回路は、入力された受信信号を、上記利得制御信号生成回路による制御信号に応じたレベルに調整して上記復調器の第１の信号入力端子に供給する。
また、上記平均信号電力演算回路は、以下に信号に基づいた演算により平均信号電力を得る。
2002091564.tif 000018
ただし、ｄ２は受信信号電力、ｈｄｋ、ｋ＝０，１，２，３は上記復調器の回路素子から求められる回路パラメータ定数である。
また、好適には、復調器の変換回路で得られた複数の信号成分に基づいて周波数誤差を検出し、その結果を上記ローカル信号発生回路に供給する周波数誤差検出回路をさらに有し、上記ローカル信号発生回路は、上記周波数誤差検出回路において検出された周波数誤差値に基づいて、受信信号の搬送波周波数と略等しい周波数となるようにローカル信号の発振周波数を設定する。
また、好適には、上記復調器の変換回路は、上記第１の信号レベル検出回路の出力信号から所望のチャネルを選択する第１のチャネル選択手段と、上記第２の信号レベル検出回路の出力信号から所望のチャネルを選択する第２のチャネル選択手段と、上記第３の信号レベル検出回路の出力信号から所望のチャネルを選択する第３のチャネル選択手段と、上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路とを含む。
そして、上記演算回路は、以下の式に基づいた演算により同相成分信号Ｉおよび直交成分信号Ｑを得る。
2002091564.tif 000019
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
また、好適には、復調器の変換回路で得られた同相成分信号Ｉおよび直交成分信号Ｑに基づいて周波数誤差を検出し、その結果を上記ローカル信号発生回路に供給する周波数誤差検出回路をさらに有し、上記ローカル信号発生回路は、上記周波数誤差検出回路において検出された周波数誤差値に基づいて、受信信号の搬送波周波数と略等しい周波数となるようにローカル信号の発振周波数を設定する。
また、好適には、上記第１のチャネル選択手段、第２のチャネル選択手段、および第３のチャネル選択手段のうちの少なくとも一つは、ローパスフィルタを含む。
本発明の第１３の観点に係る受信機は、受信信号が入力される第１の信号入力端子と、ローカル信号が入力される第２の信号入力端子と、入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する第１の分岐回路と、入力端子、第１出力端子、および第２出力端子を有し、入力端子が上記第１の分岐回路の第１出力端子に接続され、入力端子に入力された受信信号を第３および第４の受信信号に分岐し、第１出力端子から第３の受信信号を出力し、第２出力端子から第４の受信信号を出力する第２の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第３の分岐回路と、入力端子、第１出力端子、および第２出力端子を有し、入力端子が上記第３の分岐回路の第１出力端子に接続され、入力端子に入力されたローカル信号を第３および第４のローカル信号に分岐し、第１出力端子から第３のローカル信号を出力し、第２出力端子から第４のローカル信号を出力する第４の分岐回路と、上記第４の分岐回路の第１出力端子から出力された第３のローカル信号の位相を所定量だけシフトさせて出力する第１の移相器と、上記第４の分岐回路の第２出力端子から出力された第４のローカル信号の位相を所定量だけシフトさせて出力する第２の移相器と、上記第２の分岐回路の第１出力端子から出力された第３の受信信号と上記第１の移相器から出力された位相が所定量だけシフトされた第３のローカル信号とを結合して出力する第１の結合回路と、上記第２の分岐回路の第２出力端子から出力された第４の受信信号と上記第２の移相器から出力された位相が所定量だけシフトされた第４のローカル信号とを結合して出力する第２の結合回路と、上記第１の結合回路から出力された信号レベルを検出する第１の信号レベル検出回路と、上記第２の結合回路から出力された信号レベルを検出する第２の信号レベル検出回路と、上記第１の分岐回路の第２出力端子から出力された信号レベルを検出する第３の信号レベル検出回路と、上記第３の分岐回路の第２出力端子から出力された信号レベルを検出する第４の信号レベル検出回路と、上記第１の信号レベル検出回路の出力信号、第２の信号レベル検出回路の出力信号、第３の信号レベル検出回路の出力信号、および第４の信号レベル検出回路の出力信号を、受信信号に含まれる複数の信号成分に変換する変換回路とを有する復調器と、受信信号のレベルを所望のレベルに調整して上記復調器の第１の信号入力端子に供給する利得制御回路と、所望の発振周波数でローカル信号を発生し、上記復調器の第２の信号入力端子に供給するローカル信号発生回路とを有する。
本発明の第１３の観点に係る受信機では、上記復調器の第１の信号レベル検出回路の出力信号を受けて平均信号電力を演算する平均信号電力演算回路と、上記平均信号電力演算回路で求められた平均電力に基づいて、上記復調器に入力される受信信号レベルが一定となるように制御信号を上記可変利得回路に出力する利得制御信号生成回路と、をさらに有し、上記可変利得回路は、入力された受信信号を、上記利得制御信号生成回路による制御信号に応じたレベルに調整して上記復調器の第１の信号入力端子に供給する。
また、上記平均信号電力演算回路は、以下に信号に基づいた演算により平均信号電力を得る。
2002091564.tif 000020
ただし、ｄ２は受信信号電力、ｈｄｋ、ｋ＝０，１，２，３は上記復調器の回路素子から求められる回路パラメータ定数である。
また、好適にでは、復調器の変換回路で得られた複数の信号成分に基づいて周波数誤差を検出し、その結果を上記ローカル信号発生回路に供給する周波数誤差検出回路をさらに有し、上記ローカル信号発生回路は、上記周波数誤差検出回路において検出された周波数誤差値に基づいて、受信信号の搬送波周波数と略等しい周波数となるようにローカル信号の発振周波数を設定する。
そして、上記変換回路は、以下の式に基づいた演算により同相成分信号Ｉおよび直交成分信号Ｑを得る。
2002091564.tif 000021
ただし、Ｐ１は第１の信号レベル検出回路の出力信号、およびＰ４は第４の信号レベル検出回路の出力信号であり、ｈｉｋ、ｈｑｋ、ｋ＝０，１，２，３は本復調器の回路素子から求められる回路パラメータ定数である。
本発明の第１４の観点に係る受信機は、受信信号が入力される第１の信号入力端子と、ローカル信号が入力される第２の信号入力端子と、入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する分岐回路と、入力端子、第１出力端子、および第２出力端子を有し、入力端子が上記分岐回路の第１出力端子に接続され、入力端子に入力された受信信号をそれぞれ逆位相の関係を持つ第３および第４の受信信号に分岐し、第１出力端子から第３の受信信号を出力し、第２出力端子から第４の受信信号を出力する第１の位相ディバイダと、入力端子、第１出力端子、および第２出力端子を有し、入力端子が上記第２の信号入力端子に接続され、入力端子に入力されたローカル信号をそれぞれ逆位相の関係を持つ第１および第２のローカル信号に分岐し、第１出力端子から第１のローカル信号を出力し、第２出力端子から第２のローカル信号を出力する第２の位相ディバイダと、上記第２の位相ディバイダの第１出力端子から出力された第１のローカル信号の位相を所定量だけシフトさせて出力する第１の移相器と、上記第２の位相ディバイダの第２出力端子から出力された第２のローカル信号の位相を所定量だけシフトさせて出力する第２の移相器と、上記第１の位相ディバイダの第１出力端子から出力された第３の受信信号と上記第１の移相器から出力された位相が所定量だけシフトされた第１のローカル信号とを結合して出力する第１の結合回路と、上記第１の位相ディバイダの第２出力端子から出力された第４の受信信号と上記第２の移相器から出力された位相が所定量だけシフトされた第２のローカル信号とを結合して出力する第２の結合回路と、上記第１の結合回路から出力された信号レベルを検出する第１の信号レベル検出回路と、上記第２の結合回路から出力された信号レベルを検出する第２の信号レベル検出回路と、上記第１の分岐回路の第２出力端子から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、受信信号のレベルを所望のレベルに調整して上記復調器の第１の信号入力端子に供給する利得制御回路と、所望の発振周波数でローカル信号を発生し、上記復調器の第２の信号入力端子に供給するローカル信号発生回路とを有する。
本発明の第１４の観点に係る受信機では、上記復調器の第１の信号レベル検出回路の出力信号を受けて平均信号電力を演算する平均信号電力演算回路と、上記平均信号電力演算回路で求められた平均電力に基づいて、上記復調器に入力される受信信号レベルが一定となるように制御信号を上記可変利得回路に出力する利得制御信号生成回路と、をさらに有し、上記可変利得回路は、入力された受信信号を、上記利得制御信号生成回路による制御信号に応じたレベルに調整して上記復調器の第１の信号入力端子に供給する。
また、上記平均信号電力演算回路は、以下に信号に基づいた演算により平均信号電力を得る。
2002091564.tif 000022
ただし、ｄ２は受信信号電力、ｈｄｋ、ｋ＝０，１，２，３は上記復調器の回路素子から求められる回路パラメータ定数である。
また、好適には、復調器の変換回路で得られた複数の信号成分に基づいて周波数誤差を検出し、その結果を上記ローカル信号発生回路に供給する周波数誤差検出回路をさらに有し、上記ローカル信号発生回路は、上記周波数誤差検出回路において検出された周波数誤差値に基づいて、受信信号の搬送波周波数と略等しい周波数となるようにローカル信号の発振周波数を設定する。
また、好適には、上記復調器の変換回路は、上記第１の信号レベル検出回路の出力信号から所望のチャネルを選択する第１のチャネル選択手段と、上記第２の信号レベル検出回路の出力信号から所望のチャネルを選択する第２のチャネル選択手段と、上記第３の信号レベル検出回路の出力信号から所望のチャネルを選択する第３のチャネル選択手段と、上記第１のチャネル選択手段の出力信号、第２のチャネル選択手段の出力信号、および第３のチャネル選択手段の出力信号、および所定の回路パラメータ定数に基づいて、同相成分信号Ｉおよび直交成分信号Ｑを復調する演算回路とを含む。
そして、上記演算回路は、以下の式に基づいた演算により同相成分信号Ｉおよび直交成分信号Ｑを得る。
2002091564.tif 000023
ただし、Ｐ１は第１のチャネル選択手段の出力信号、Ｐ２は第２のチャネル選択手段の出力信号、およびＰ３は第３のチャネル選択手段の出力信号であり、ｈｉｋ、ｈｑｋ、ｋ＝０，１，２，３は本復調器の回路素子から求められる回路パラメータ定数である。
また、好適には、復調器の変換回路で得られた同相成分信号Ｉおよび直交成分信号Ｑに基づいて周波数誤差を検出し、その結果を上記ローカル信号発生回路に供給する周波数誤差検出回路をさらに有し、上記ローカル信号発生回路は、上記周波数誤差検出回路において検出された周波数誤差値に基づいて、受信信号の搬送波周波数と略等しい周波数となるようにローカル信号の発振周波数を設定する。
好適には、上記第１のチャネル選択手段、第２のチャネル選択手段、および第３のチャネル選択手段のうちの少なくとも一つは、ローパスフィルタを含む。
また、第１〜第７の観点に係る復調機および第８〜第１４の観点に係る受信機において、上記復調器の第１の信号レベル検出回路、第２の信号レベル検出回路、および第３の信号レベル検出回路のうちの少なくとも一つは、ゲートに入力信号が供給される第１の電界効果トランジスタと、ソースが上記第１の電界効果トランジスタのソースに接続された第２の電界効果トランジスタと、上記第１の電界効果トランジスタのゲートにゲートバイアス電圧を供給する第１のゲートバイアス供給回路と、上記第２の電界効果トランジスタのゲートにゲートバイアス電圧を供給する第２のゲートバイアス供給回路と、上記第１の電界効果トランジスタおよび第２の電界効果トランジスタのソース同士の接続点に接続された電流源と、上記第１の電界効果トランジスタおよび第２の電界効果トランジスタのドレインにドレインバイアス電圧を供給するドレインバイアス供給回路と、上記第１の電界効果トランジスタのドレインと基準電位間に接続された第１のキャパシタと、上記第２の電界効果トランジスタのドレインと基準電位間に接続された第２のキャパシタと、を有し、上記第１の電界効果トランジスタのドレイン電圧と第２の電界効果トランジスタのドレイン電圧間の電圧差を検波出力とする。
好適には、上記第１の電界効果トランジスタと第２の電界効果トランジスタは略同一特性を有し、上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、上記第１のドレインバイアス用抵抗素子の抵抗値と第２のドレインバイアス用抵抗素子の抵抗値が略等しい値に設定され、上記第１のキャパシタの容量値と第２のキャパシタの容量値が略等しい値に設定されている。
また、好適には、上記第１の電界効果トランジスタのゲート幅Ｗｇａと第２の電界効果トランジスタのゲート幅Ｗｇｂの比Ｗｇａ／ＷｇｂがＮに設定され、上記ドレインバイアス供給回路は、上記第１の電界効果トランジスタのドレインと電圧源との間に接続された第１のドレインバイアス用抵抗素子と、上記第２の電界効果トランジスタのドレインと電圧源との間に接続された第２のドレインバイアス用抵抗素子とを含み、上記第１のドレインバイアス用抵抗素子の抵抗値Ｒａと第２のドレインバイアス用抵抗素子の抵抗値ＲｂはＲａ／Ｒｂ＝１／Ｎの条件を満足するように設定され、上記第１のキャパシタの容量値と第２のキャパシタの容量値が略等しい値に設定されている。
本発明の第１５の観点に係る受信機は、無線信号を受信する複数のアンテナ素子と、上記各アンテナ素子で受信された信号の位相を所望の位相に制御する複数の位相可変回路と、上記複数の位相可変回路の出力信号を合成する信号合成回路とを含むフェーズドアレイアンテナ部と、上記フェーズドアレイアンテナ部の信号合成回路による合成受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、上記第２の分岐回路の第１出力端子から出力された第１のローカル信号の位相を所定量だけシフトさせて出力する第１の移相器と、上記第２の分岐回路の第２出力端子から出力された第２のローカル信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第１の分岐回路の第３出力端子から出力された第３の受信信号と上記第２の移相器から出力された位相が所定量だけシフトされた第２のローカル信号とを結合して出力する第２の結合回路と、上記第１の分岐回路の第１出力端子から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、受信信号のレベルを所望のレベルに調整して上記復調器の第１の信号入力端子に供給する利得制御回路と、所望の発振周波数でローカル信号を発生し、上記復調器の第２の信号入力端子に供給するローカル信号発生回路とを有する。
本発明の第１６の観点に係る受信機は、無線信号を受信する複数のアンテナ素子と、上記各アンテナ素子で受信された信号の位相を所望の位相に制御する複数の位相可変回路と、上記複数の位相可変回路の出力信号を合成する信号合成回路とを含むフェーズドアレイアンテナ部と、上記フェーズドアレイアンテナ部の信号合成回路による合成受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、上記第２の分岐回路の第１出力端子から出力された第１のローカル信号の位相を所定量だけシフトさせて出力する第１の移相器と、上記第２の分岐回路の第２出力端子から出力された第２のローカル信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第１の分岐回路の第３出力端子から出力された第３の受信信号と上記第２の移相器から出力された位相が所定量だけシフトされた第２のローカル信号とを結合して出力する第２の結合回路と、上記第１の分岐回路の第１出力端子から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号をアナログ信号からディジタル信号に変換する第１のアナログ／ディジタルコンバータと、上記第２の信号レベル検出回路の出力信号をアナログ信号からディジタル信号に変換する第２のアナログ／ディジタルコンバータと、上記第３の信号レベル検出回路の出力信号をアナログ信号からディジタル信号に変換する第３のアナログ／ディジタルコンバータと、上記第１のアナログ／ディジタルコンバータの出力ディジタル信号、第２のアナログ／ディジタルコンバータの出力ディジタル信号、および第３のアナログ／ディジタルコンバータの出力ディジタル信号を、受信信号に含まれる複数の信号成分に変換する変換回路とを有する復調器と、受信信号のレベルを所望のレベルに調整して上記復調器の第１の信号入力端子に供給する利得制御回路と、所望の発振周波数でローカル信号を発生し、上記復調器の第２の信号入力端子に供給するローカル信号発生回路とを有する。
本発明の第１７の観点に係る受信機は、無線信号を受信する複数のアンテナ素子と、上記各アンテナ素子で受信された信号の位相を所望の位相に制御する複数の位相可変回路と、上記複数の位相可変回路の出力信号を合成する信号合成回路とを含むフェーズドアレイアンテナ部と、上記フェーズドアレイアンテナ部の信号合成回路による合成受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、第２出力端子および第３出力端子を有し、入力端子が上記第２の信号入力端子に接続され、入力端子に入力されたローカル信号を第１、第２および第３のローカル信号に分岐し、第１出力端子から第１のローカル信号を出力し、第２出力端子から第２のローカル信号を出力し、第３出力端子から第３のローカル信号を出力する第２の分岐回路と、上記第２の分岐回路の第１出力端子から出力された第１のローカル信号の位相を所定量だけシフトさせて出力する第１の移相器と、上記第２の分岐回路の第２出力端子から出力された第２のローカル信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第１の分岐回路の第３出力端子から出力された第３の受信信号と上記第２の移相器から出力された位相が所定量だけシフトされた第２のローカル信号とを結合して出力する第２の結合回路と、上記第１の分岐回路の第１の出力端子から出力された第１の受信信号と上記第２の分岐回路の第３出力端子から出力された第３のローカル信号とを結合して出力する第３の結合回路と、上記第３の結合回路から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、受信信号のレベルを所望のレベルに調整して上記復調器の第１の信号入力端子に供給する利得制御回路と、所望の発振周波数でローカル信号を発生し、上記復調器の第２の信号入力端子に供給するローカル信号発生回路とを有する。
本発明の第１８の観点に係る受信機は、無線信号を受信する複数のアンテナ素子と、上記各アンテナ素子で受信された信号の位相を所望の位相に制御する複数の位相可変回路と、上記複数の位相可変回路の出力信号を合成する信号合成回路とを含むフェーズドアレイアンテナ部と、上記フェーズドアレイアンテナ部の信号合成回路による合成受信信号が入力される第１の信号入力端子と、ローカル信号が入力される第２の信号入力端子と、入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する第１の分岐回路と、入力端子、第１出力端子、および第２出力端子を有し、入力端子が上記第１の分岐回路の第１出力端子に接続され、入力端子に入力された受信信号を第３および第４の受信信号に分岐し、第１出力端子から第３の受信信号を出力し、第２出力端子から第４の受信信号を出力する第２の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第３の分岐回路と、上記第３の分岐回路の第１出力端子から出力された第１のローカル信号の位相を所定量だけシフトさせて出力する第１の移相器と、上記第３の分岐回路の第２出力端子から出力された第２のローカル信号の位相を所定量だけシフトさせて出力する第２の移相器と、上記第２の分岐回路の第１出力端子から出力された第３の受信信号と上記第１の移相器から出力された位相が所定量だけシフトされた第１のローカル信号とを結合して出力する第１の結合回路と、上記第２の分岐回路の第２出力端子から出力された第４の受信信号と上記第２の移相器から出力された位相が所定量だけシフトされた第２のローカル信号とを結合して出力する第２の結合回路と、上記第１の結合回路から出力された信号レベルを検出する第１の信号レベル検出回路と、上記第２の結合回路から出力された信号レベルを検出する第２の信号レベル検出回路と、上記第１の分岐回路の第２出力端子から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、受信信号のレベルを所望のレベルに調整して上記復調器の第１の信号入力端子に供給する利得制御回路と、所望の発振周波数でローカル信号を発生し、上記復調器の第２の信号入力端子に供給するローカル信号発生回路とを有する。
本発明の第１９の観点に係る受信機は、無線信号を受信する複数のアンテナ素子と、上記各アンテナ素子で受信された信号の位相を所望の位相に制御する複数の位相可変回路と、上記複数の位相可変回路の出力信号を合成する信号合成回路とを含むフェーズドアレイアンテナ部と、上記フェーズドアレイアンテナ部の信号合成回路による合成受信信号が入力される第１の信号入力端子と、ローカル信号が入力される第２の信号入力端子と、入力端子、第１出力端子、第２出力端子および第３出力端子を有し、入力端子が上記第１の信号入力端子に接続され、入力端子に入力された受信信号を第１、第２、および第３の受信信号に分岐し、第１出力端子から第１の受信信号を出力し、第２出力端子から第２の受信信号を出力し、第３出力端子から第３の受信信号を出力する第１の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第２の分岐回路と、上記第２の分岐回路の第１出力端子から出力された第１のローカル信号の位相を所定量だけシフトさせて出力する第１の移相器と、上記第１の分岐回路の第３出力端子から出力された第３の受信信号の位相を所定量だけシフトさせて出力する第２の移相器と、上記第１の分岐回路の第２出力端子から出力された第２の受信信号と上記第１の移相器から出力された位相が所定量だけシフトされた第１のローカル信号とを結合して出力する第１の結合回路と、上記第２の移相器から出力された位相が所定量だけシフトされた第３の受信信号と上記第２の分岐回路から出力された第２のローカル信号とを結合して出力する第２の結合回路と、上記第１の分岐回路の第１出力端子から出力された信号レベルを検出する第１の信号レベル検出回路と、上記第１の結合回路から出力された信号レベルを検出する第２の信号レベル検出回路と、上記第２の結合回路から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、受信信号のレベルを所望のレベルに調整して上記復調器の第１の信号入力端子に供給する利得制御回路と、所望の発振周波数でローカル信号を発生し、上記復調器の第２の信号入力端子に供給するローカル信号発生回路とを有する。
本発明の第２０の観点に係る受信機は、無線信号を受信する複数のアンテナ素子と、上記各アンテナ素子で受信された信号の位相を所望の位相に制御する複数の位相可変回路と、上記複数の位相可変回路の出力信号を合成する信号合成回路とを含むフェーズドアレイアンテナ部と、上記フェーズドアレイアンテナ部の信号合成回路による合成受信信号が入力される第１の信号入力端子と、ローカル信号が入力される第２の信号入力端子と、入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する第１の分岐回路と、入力端子、第１出力端子、および第２出力端子を有し、入力端子が上記第１の分岐回路の第１出力端子に接続され、入力端子に入力された受信信号を第３および第４の受信信号に分岐し、第１出力端子から第３の受信信号を出力し、第２出力端子から第４の受信信号を出力する第２の分岐回路と、入力端子、第１出力端子、および第２出力端子を有し、入力端子が上記第２の信号入力端子に接続され、入力端子に入力されたローカル信号を第１および第２のローカル信号に分岐し、第１出力端子から第１のローカル信号を出力し、第２出力端子から第２のローカル信号を出力する第３の分岐回路と、入力端子、第１出力端子、および第２出力端子を有し、入力端子が上記第３の分岐回路の第１出力端子に接続され、入力端子に入力されたローカル信号を第３および第４のローカル信号に分岐し、第１出力端子から第３のローカル信号を出力し、第２出力端子から第４のローカル信号を出力する第４の分岐回路と、上記第４の分岐回路の第１出力端子から出力された第３のローカル信号の位相を所定量だけシフトさせて出力する第１の移相器と、上記第４の分岐回路の第２出力端子から出力された第４のローカル信号の位相を所定量だけシフトさせて出力する第２の移相器と、上記第２の分岐回路の第１出力端子から出力された第３の受信信号と上記第１の移相器から出力された位相が所定量だけシフトされた第３のローカル信号とを結合して出力する第１の結合回路と、上記第２の分岐回路の第２出力端子から出力された第４の受信信号と上記第２の移相器から出力された位相が所定量だけシフトされた第４のローカル信号とを結合して出力する第２の結合回路と、上記第１の結合回路から出力された信号レベルを検出する第１の信号レベル検出回路と、上記第２の結合回路から出力された信号レベルを検出する第２の信号レベル検出回路と、上記第１の分岐回路の第２出力端子から出力された信号レベルを検出する第３の信号レベル検出回路と、上記第３の分岐回路の第２出力端子から出力された信号レベルを検出する第４の信号レベル検波回路と、上記第１の信号レベル検出回路の出力信号、第２の信号レベル検出回路の出力信号、第３の信号レベル検出回路の出力信号、および第４の信号レベル検出回路の出力信号を、受信信号に含まれる複数の信号成分に変換する変換回路とを有する復調器と、受信信号のレベルを所望のレベルに調整して上記復調器の第１の信号入力端子に供給する利得制御回路と、所望の発振周波数でローカル信号を発生し、上記復調器の第２の信号入力端子に供給するローカル信号発生回路とを有する。
本発明の第２１の観点に係る受信機は、無線信号を受信する複数のアンテナ素子と、上記各アンテナ素子で受信された信号の位相を所望の位相に制御する複数の位相可変回路と、上記複数の位相可変回路の出力信号を合成する信号合成回路とを含むフェーズドアレイアンテナ部と、上記フェーズドアレイアンテナ部の信号合成回路による合成受信信号が入力される第１の信号入力端子と、ローカル信号が入力される第２の信号入力端子と、入力端子、第１出力端子、および第２出力端子を有し、入力端子が上記第１の信号入力端子に接続され、入力端子に入力された受信信号を第１および第２の受信信号に分岐し、第１出力端子から第１の受信信号を出力し、第２出力端子から第２の受信信号を出力する分岐回路と、入力端子、第１出力端子、および第２出力端子を有し、入力端子が上記分岐回路の第１出力端子に接続され、入力端子に入力された受信信号をそれぞれ逆位相の関係を持つ第３および第４の受信信号に分岐し、第１出力端子から第３の受信信号を出力し、第２出力端子から第４の受信信号を出力する第１の位相ディバイダと、入力端子、第１出力端子、および第２出力端子を有し、入力端子が上記第２の信号入力端子に接続され、入力端子に入力されたローカル信号をそれぞれ逆位相の関係を持つ第１および第２のローカル信号に分岐し、第１出力端子から第１のローカル信号を出力し、第２出力端子から第２のローカル信号を出力する第２の位相ディバイダと、上記第２の位相ディバイダの第１出力端子から出力された第１のローカル信号の位相を所定量だけシフトさせて出力する第１の移相器と、上記第２の位相ディバイダの第２出力端子から出力された第２のローカル信号の位相を所定量だけシフトさせて出力する第２の移相器と、上記第１の位相ディバイダの第１出力端子から出力された第３の受信信号と上記第１の移相器から出力された位相が所定量だけシフトされた第１のローカル信号とを結合して出力する第１の結合回路と、上記第１の位相ディバイダの第２出力端子から出力された第４の受信信号と上記第２の移相器から出力された位相が所定量だけシフトされた第２のローカル信号とを結合して出力する第２の結合回路と、上記第１の結合回路から出力された信号レベルを検出する第１の信号レベル検出回路と、上記第２の結合回路から出力された信号レベルを検出する第２の信号レベル検出回路と、上記第１の分岐回路の第２出力端子から出力された信号レベルを検出する第３の信号レベル検出回路と、上記第１の信号レベル検出回路の出力信号、第２の信号レベル検出回路の出力信号、および第３の信号レベル検出回路の出力信号を、受信信号に含まれる複数の信号成分に変換する変換回路とを有する復調器と、受信信号のレベルを所望のレベルに調整して上記復調器の第１の信号入力端子に供給する利得制御回路と、所望の発振周波数でローカル信号を発生し、上記復調器の第２の信号入力端子に供給するローカル信号発生回路とを有する。
本発明の第１５〜第２１の観点に係る受信機では、上記復調器の第１の信号レベル検出回路の出力信号を受けて平均信号電力を演算する平均信号電力演算回路と、上記平均信号電力演算回路で求められた平均電力に基づいて、上記復調器に入力される受信信号レベルが一定となるように制御信号を上記可変利得回路に出力する利得制御信号生成回路と、をさらに有し、上記可変利得回路は、入力された受信信号を、上記利得制御信号生成回路による制御信号に応じたレベルに調整して上記復調器の第１の信号入力端子に供給する。
また、好適には、復調器の変換回路で得られた複数の信号成分に基づいて周波数誤差を検出し、その結果を上記ローカル信号発生回路に供給する周波数誤差検出回路をさらに有し、上記ローカル信号発生回路は、上記周波数誤差検出回路において検出された周波数誤差値に基づいて、受信信号の搬送波周波数と略等しい周波数となるようにローカル信号の発振周波数を設定する。
本発明によれば、復調器において、たとえば受信信号が第１の分岐回路の入力端子に供給され、３つの信号に分岐される。分岐された第１の受信信号は第１出力端子から第１の電力検波回路に供給される。分岐された第２の受信信号は第２出力端子から第１の結合回路に出力される。そして、分岐された第３の受信信号は第３出力端子から第２の結合回路に出力される。
一方、ローカル信号が第２の分岐回路の入力端子に供給され、２つの信号に分岐される。分岐された第１のローカル信号は第１出力端子から第１の移相器に出力される。分岐された第２のローカル信号は第２出力端子から第２の移相器に出力される。
第１の移相器では、第２の分岐回路の第１出力端子から出力されたローカル信号の位相が所定量だけシフトされて第１の結合回路に出力される。第２の移相器では、第２の分岐回路の第２出力端子から出力されたローカル信号の位相が所定量だけシフトされて第２の結合回路に出力される。
そして、第１の結合回路においては、第１の分岐回路の第２出力端子から出力された受信信号と第１の移相器により所定量だけ位相がシフトされたローカル信号とが結合され、第２の電力検波回路に出力される。第２の結合回路においては、第１の分岐回路の第３出力端子から出力された受信信号と第２の移相器により所定量だけ位相がシフトされたローカル信号とが結合され、第３の電力検波回路に出力される。
したがって、第１の電力検波回路には、受信信号が供給される。第１の電力検波回路では、入力された受信信号の振幅成分が検波信号Ｐ１として変換回路および平均信号電力生成回路に出力される。
同様に、第２の電力検波回路の入力には、受信信号と所定量の位相シフトが与えられたローカル信号のベクトル和信号が供給される。第２の電力検波回路では、入力された受信信号と所定量の位相シフトが与えられたローカル信号のベクトル和信号の振幅成分を検波信号Ｐ２として変換回路に出力される。
同様に、第３の電力検波回路の入力には、受信信号と所定量の位相シフトが与えられたローカル信号のベクトル和信号が印加される。第３の電力検波回路では、入力された受信信号と所定量の位相シフトが与えられたローカル信号のベクトル和信号の振幅成分を検波信号Ｐ３として変換回路に出力される。
第１〜第３の電力検波回路から出力されたベースバンド出力信号Ｐ１、Ｐ２およびＰ３は、変換回路において、たとえば上記式に基づいた計算が演算回路で行われ、復調信号である同相信号Ｉおよび直交信号Ｑに変換される。
また、第１〜第３の電力検波回路の出力検波信号Ｐ１、Ｐ２、およびＰ３は平均信号電力演算回路に供給され、ここで受信信号の平均信号電力が計算され、その結果が利得制御信号生成回路に出力される。
利得制御信号生成回路では、平均信号電力演算回路で求められた平均電力に基づいて、復調器に入力される受信信号レベルが一定となるように制御信号が可変利得回路に出力される。そして、可変利得回路においては、受信信号レベルが利得制御信号生成回路による制御信号に応じたレベルに調整されて復調器に供給される。
また、変換回路で復調された同相信号Ｉおよび直交信号Ｑは周波数誤差検出回路に出力される。出力復調信号ＩおよびＱを受けた周波数誤差検出回路では、信号ＩおよびＱより周波数誤差が検出され、その結果がローカル信号発生回路に供給される。ローカル信号発生回路では、周波数誤差検出回路において検出された周波数誤差値信号を受けて、受信信号周波数に発振周波数が略等しいローカル信号が発生されて復調器に供給される。
発明を実施するための最良の形態
以下、本発明の実施の形態を添付図面を参照して説明する。
図７は、本発明に係るダイレクトコンバージョン方式の復調器を採用した受信機の一実施形態を示すブロック図である。
本実施形態に係る受信機１００は、図７に示すように、マルチポート復調器１０１、平均信号電力演算回路１０２、ローカル信号発生回路１０３、可変利得回路１０４、利得制御信号生成回路１０５、周波数誤差検出回路１０６、およびベースバンド信号処理回路１０７を主構成要素として有している。
マルチポート復調器１０１は、５ポート復調器により構成され、可変利得回路１０４においてレベルが調整された受信信号Ｓｒとローカル信号発生回路１０３で生成されたローカル信号ＳＯを受けて、位相差を持った３つの信号を生成し、これら信号の信号レベル（振幅成分）をそれぞれ検波し、３つの電力検波信号Ｐ１，Ｐ２，Ｐ３に基づいて、受信信号に含まれる同相信号（Ｉ）と直交信号（Ｑ）に変換し、これら同相信号（Ｉ）と直交信号（Ｑ）を周波数誤差検出回路１０６、およびベースバンド信号処理回路１０７に供給する。
また、マルチポート復調器１０１は同一チップに集積化される平均電力演算回路１０２に電力検波信号（ベースバンド信号）Ｐ１を供給する。
図８は、マルチポート復調器１０１の具体的な構成例を示すブロック図である。
このマルチポート復調器１０１は、図８に示すように、受信信号用第１の信号入力端子Ｔ  ＩＮＳｒ、ローカル信号用第２の信号入力端子Ｔ  ＩＮＳｌｏ、第１の分岐回路１００１、第２の分岐回路１００２、第１の移相器１００３、第２の移相器１００４、第１の結合回路１００５、第２の結合回路１００６、第１の信号レベル検出回路としての第１の電力検波回路１００７、第２の信号レベル検出回路としての第２の電力検波回路１００８、第３の信号レベル検出回路としての第３の電力検波回路１００９、およびマルチポート信号−ＩＱ信号変換回路１０１０を有している。
そして、受信信号用第１の信号入力端子Ｔ  ＩＮＳｒ、ローカル信号用第２の信号入力端子Ｔ  ＩＮＳｌｏ、第１の分岐回路１００１、第２の分岐回路１００２、第１の移相器１００３、第２の移相器１００４、第１の結合回路１００５、および第２の結合回路１００６によりマルチポートジャンクション回路１０００が構成される。
第１の分岐回路１００１は、入力端子Ｉ１、第１出力端子Ｏ１、第２出力端子Ｏ２、および第３出力端子Ｏ３を有し、入力端子Ｉ１が第１の信号入力端子Ｔ  ＩＮＳｒに接続され、入力端子Ｉ１に入力された受信信号Ｓｒを３つの信号に分岐し、分岐した第１の受信信号を第１出力端子Ｏ１から第１の電力検波回路１００７に出力し、第２の受信信号を第２出力端子Ｏ２から第１の結合回路１００５に出力し、第３の受信信号を第３出力端子Ｏ３から第２の結合回路１００６に出力する。
１入力３出力の第１の分岐回路１００１は、たとえば図９〜図１２に示すような回路により構成される。
図９の分岐回路１００１ａは、それぞれ一端側が入力端子Ｉ１に対して並列に接続されたλｇ／４伝送線路１００１１，１００１２，１００１３、および抵抗素子Ｒ１０１，Ｒ１０２，Ｒ１０３により構成されている。ここで、λｇは実効的波長を表している。
λｇ／４伝送線路１００１１の他端が第１出力端子Ｏ１に接続され、λｇ／４伝送線路１００１２の他端が第１出力端子Ｏ２に接続され、λｇ／４伝送線路１００１３の他端が第１出力端子Ｏ３に接続されている。
そして、第１出力端子Ｏ１と第２出力端子Ｏ２間に抵抗素子Ｒ１０１が接続され、第２出力端子Ｏ２と第３出力端子Ｏ３間に抵抗素子Ｒ１０２が接続され、第１出力端子Ｏ１と第３出力端子Ｏ３間に抵抗素子Ｒ１０３が接続されている。
この分岐回路１００１ａでは、入力端子Ｉ１に入力された受信信号Ｓｒは、略均等に３分岐されて第１出力端子Ｏ１、第２出力端子Ｏ２、および第３出力端子Ｏ３から出力される。
図１０の分岐回路１００１ｂは、図９の回路の第１出力端子Ｏ１と第３出力端子Ｏ３間に抵抗素子Ｒ１０３を接続していない回路であり、この回路においても、良好に受信信号の３分岐信号を得ることができる。
図１１の分岐回路１００１ｃは、λｇ／４伝送線路１００１１，１００１２，１００１３の代わりに、それぞれインダクタＬ１０１とキャパシタＣ１０１、インダクタＬ１０２とキャパシタＣ１０２、およびインダクタＬ１０３とキャパシタＣ１０３からなる遅延線路１００１４，１００１５，１００１６を配置して構成されている。また、各インダクタＬ１０１〜Ｌ１０３の一端と入力端子Ｉ１との接続点は、第１電極が接地されたキャパシタＣ１０４の第２電極に接続されている。
この回路においても、良好に受信信号の３分岐信号を得ることができる。
図１２の分岐回路１００１ｄは、４つの抵抗素子Ｒ１０４，Ｒ１０５，Ｒ１０６、およびＲ１０７により構成されている。
分岐回路１００１ｄでは、入力端子Ｉ１に抵抗素子Ｒ１０４の一端が接続され、抵抗素子Ｒ１０４の他端に抵抗素子Ｒ１０５〜Ｒ１０７の一端が並列に接続されている。そして、抵抗素子Ｒ１０５の他端が第１出力端子Ｏ１に接続され、抵抗素子Ｒ１０６の他端が第２出力端子Ｏ２に接続され、抵抗素子Ｒ１０７の他端が第３出力端子Ｏ３に接続されている。
第２の分岐回路１００２は、入力端子Ｉ１、第１出力端子Ｏ１、および第２出力端子Ｏ２を有し、入力端子Ｉ１が第２の信号入力端子Ｔ  ＩＮＳｌｏに接続され、入力端子Ｉ１に入力されたローカル信号ＳＯを２つの信号に分岐し、分岐した第１のローカル信号を第１出力端子Ｏ１から第１の移相器１００３に出力し、第２のローカル信号を第２出力端子Ｏ２から第２の移相器１００４に出力する。
１入力２出力の第２の分岐回路１００２は、たとえば図１３〜図１６に示すような回路により構成される。
図１３の分岐回路１００２ａは、それぞれ一端側が入力端子Ｉ１に対して並列に接続されたλｇ／４伝送線路１００２１，１００２２、および抵抗素子Ｒ１０７により構成されている。ここで、λｇは実効的波長を表している。
λｇ／４伝送線路１００２１の他端が第１出力端子Ｏ１に接続され、λｇ／４伝送線路１００２２の他端が第２出力端子Ｏ２に接続されている。
そして、第１出力端子Ｏ１と第２出力端子Ｏ２間に抵抗素子Ｒ１０７が接続されている。
この分岐回路１００２ａでは、入力端子Ｉ１に入力された受信信号Ｓｒは、略均等に２分岐されて第１出力端子Ｏ１、および第２出力端子Ｏ２から出力される。
図１４の分岐回路１００２ｂは、λｇ／４伝送線路１００２１，１００２２の代わりに、それぞれインダクタＬ１０４とキャパシタＣ１０５、およびインダクタＬＩ０５とキャパシタＣ１０６からなる遅延線路１００２３，１００２４を配置して構成されている。また、各インダクタＬ１０４，Ｌ１０５の一端と入力端子１Ｉとの接続点は、第１電極が接地されたキャパシタＣ１０７の第２電極に接続されている。
この回路においても、良好に受信信号の２分岐信号を得ることができる。
図１５の分岐回路１００１ｃは、３つの抵抗素子Ｒ１０８，Ｒ１０９、およびＲ１１０により構成されている。
分岐回路１００２ｃでは、入力端子Ｉ１に抵抗素子Ｒ１０８の一端が接続され、抵抗素子Ｒ１０８の他端に抵抗素子Ｒ１０９，Ｒ１１０の一端が並列に接続されている。そして、抵抗素子Ｒ１０９の他端が第１出力端子Ｏ１に接続され、抵抗素子Ｒ１１０の他端が第２出力端子Ｏ２に接続されている。
図１６の分岐回路１００１ｄは、抵抗素子Ｒ１０８を抵抗素子Ｒ１０９およびＲ１１０の一端と入力端子Ｉ１間に接続する代わりに、第１出力端子Ｏ１と第２出力端子Ｏ２間に接続して構成されている。
第１の移相器１００３は、第２の結合回路１００２の第１出力端子Ｏ１から出力されたローカル信号の位相をθ１度だけシフトさせて第１の結合回路１００５に出力する。
第２の移相器１００４は、第２の結合回路１００２の第２出力端子Ｏ２から出力されたローカル信号の位相をθ２度だけシフトさせて第２の結合回路１００６に出力する。
第１および第２の移相器１００３，１００４は、たとえば図１７〜図１９に示すような回路により構成される。
図１７に示す移相器１００３ａ（１００４ａ）は、インダクタＬ１０６、およびキャパシタＣ１０８，Ｃ１０９からなるπ型ＬＣ移相器により構成されている。移相器１００３ａにおいて、第１端子ａと第２端子ｂ間にインダクタＬ１０６が接続され、第１端子ａと接地電位ＧＮＤ間にキャパシタＣ１０８が接続され、第２端子ｂと接地電位ＧＮＤ間にキャパシタＣ１０９が接続されている。
図１８に示す移相器１００３ｂ（１００４ｂ）は、第１端子ａと第２端子間に接続された伝送線路１００３１により構成されている。
図１９に示す移相器１００３ｃ（１００４ｃ）は、第１端子ａと第２端子ｂ間に接続された抵抗素子Ｒ１１１、および第２端子ｂと接地ＧＮＤ間に接続されたキャパシタＣ１１０からなるフィルタにより構成されている。
第１の結合回路１００５は、第１の分岐回路１００１の第２出力端子Ｏ２から出力された受信信号と第１の移相器１００３によりθ１度だけ位相がシフトされたローカル信号とを結合し、第２の電力検波回路１００８に出力する。
第２の結合回路１００６は、第１の分岐回路１００１の第３出力端子Ｏ３から出力された受信信号と第２の移相器１００４によりθ２度だけ位相がシフトされたローカル信号とを結合し、第３の電力検波回路１００９に出力する。
第１および第２の結合回路１００５，１００６は、たとえば図２０に示すような回路により構成される。
図２０に示す結合回路１００５ａ（１００６ａ）は、電界効果トランジスタ（以下、単にトランジスタという）Ｑ１０１，Ｑ１０２、電流源Ｉ１０１、および抵抗素子Ｒ１１２，Ｒ１１３，Ｒ１１４およびＲ１１５により構成されている。
トランジスタＱ１０１のゲートが信号ＦｉｎＡ（第１の移相器１００３または第２の移相器１００４の出力信号）の入力端子Ｔ  ＩＮＡに接続され、ソースが抵抗素子Ｒ１１２を介して電流源Ｉ１０１に接続され、ドレインが抵抗素子Ｒ１１３を介して電源電圧ＶＤＤの供給ラインに接続されている。
また、トランジスタＱ１０２のゲートがＲＦｉｎＢ（第１の分岐回路１００１で分岐された受信信号）の入力端子Ｔ  ＩＮＢに接続され、ソースが抵抗素子Ｒ１１４を介して電流源Ｉ１０１に接続され、ドレインが抵抗素子Ｒ１１５を介して電源電圧ＶＤＤの供給ラインに接続されている。そして、トランジスタＱ１０２のドレインが出力Ｔ  ＯＵＴに接続されている。
この結合回路１００５ａ（１００６ａ）では、入力端子Ｔ  ＩＮＢを介して受信信号がトランジスタＱ１０２のゲートに供給され、入力端子Ｔ  ＩＮＡを介して位相シフト作用を受けたローカル信号がトランジスタＱ１０２のゲートに供給され、両信号成分が結合されて、結合信号がトランジスタＱ１０２のドレインから出力される。
なおここで５ポートとは、受信信号用入力端子Ｔ  ＩＮＳｒ、ローカル信号用入力端子Ｔ  ＩＮＳｌｏの２ポートに、第１の分岐回路１００１の第１の電力検波回路１００７への出力端子（第１出力端子Ｏ１）、第２の結合回路１００５の第２の電力検波回路１００８への出力端子、および第２の結合回路１００６の第３の電力検波回路１００９への出力端子の３ポートを加えた５ポートのことである。
このような構成において、受信信号Ｓｒ（ｔ）が第１の信号入力端子Ｔ  ＩＮＳｒに入力される。なお、Ｓｒ（ｔ）は時間ｔにおける入力端子Ｔ  ＩＮＳｒの電圧である。受信信号Ｓｒ（ｔ）は第１の分岐回路１００１の入力端子Ｉ１に供給され、３つの信号に分岐される。分岐された第１の受信信号は第１出力端子Ｏ１から第１の電力検波回路１００７に供給される。分岐された第２の受信信号は第２出力端子Ｏ２から第１の結合回路１００５に出力される。そして、分岐された第３の受信信号は第３出力端子Ｏ３から第２の結合回路１００６に出力される。
一方、ローカル信号ＳＯ（ｔ）が第２の信号入力端子Ｔ  ＩＮＳｌｏに入力される。ＳＯ（ｔ）は時間ｔにおける入力端子Ｔ  ＩＮＳｌｏの電圧である。ローカルＳＯ（ｔ）は第２の分岐回路１００２の入力端子Ｉ１に供給され、２つの信号に分岐される。分岐された第１のローカル信号は第１出力端子Ｏ１から第１の移相器１００３に出力される。分岐された第２のローカル信号は第２出力端子Ｏ２から第２の移相器１００４に出力される。
第１の移相器１００３では、第２の分岐回路１００２の第１出力端子Ｏ１から出力されたローカル信号の位相がθ１度だけシフトされて第１の結合回路１００５に出力される。第２の移相器１００４では、第２の分岐回路１００２の第２出力端子Ｏ２から出力されたローカル信号の位相がθ２度だけシフトされて第２の結合回路１００６に出力される。
そして、第１の結合回路１００５においては、第１の分岐回路１００１の第２出力端子Ｏ２から出力された受信信号と第１の移相器１００３によりθ１度だけ位相がシフトされたローカル信号とが結合され、第２の電力検波回路１００８に出力される。第２の結合回路１００６においては、第１の分岐回路１００１の第３出力端子Ｏ３から出力された受信信号と第２の移相器１００４によりθ２度だけ位相がシフトされたローカル信号とが結合され、第３の電力検波回路１００９に出力される。
したがって、第１の電力検波回路１００７の入力には、受信信号Ｓｒ（ｔ）が供給される。第１の電力検波回路１００７は、入力された受信信号Ｓｒ（ｔ）の振幅成分を検波信号Ｐ１としてマルチポート信号−ＩＱ信号変換回路１０１０および平均信号電力生成回路１０２に出力する。
同様に、第２の電力検波回路１００８の入力には、受信信号Ｓｒ（ｔ）と位相シフトθ１が与えられたローカル信号ＳＯ（ｔ）のベクトル和信号が供給される。第２の電力検波回路１００８は、入力された受信信号Ｓｒ（ｔ）と位相シフトθ１が与えられたローカル信号ＳＯ（ｔ）のベクトル和信号の振幅成分を検波信号Ｐ２としてマルチポート信号−ＩＱ信号変換回路１０１０に出力する。
同様に、第３の電力検波回路１００９の入力には、受信信号Ｓｒ（ｔ）と位相シフトθ２が与えられたローカル信号ＳＯ（ｔ）のベクトル和信号が印加される。第３の電力検波回路１００９は、入力された受信信号Ｓｒ（ｔ）と位相シフトθ１が与えられたローカル信号ＳＯ（ｔ）のベクトル和信号の振幅成分を検波信号Ｐ３としてマルチポート信号−ＩＱ信号変換回路１０１０に出力する。
ここで、マルチポート復調器に適用可能な電力検波回路の具体的な構成について説明する。
図２１は、本発明に係る電力検波回路の一例を示す回路図である。
電力検波回路２００（ＰＤ１，ＰＤ２，ＰＤ３）は、能動素子としての２つの第１および第２のトランジスタ（電界効果トランジスタ）Ｑ２０１，Ｑ２０２、キャパシタＣ２０１，Ｃ２０２，Ｃ２０３、抵抗素子Ｒ２０１，Ｒ２０２，Ｒ２０３，Ｒ２０４，Ｒ２０５，Ｒ２０６，Ｒ２０７およびＲ２０８、電圧源Ｖ２０１、整合回路（ＭＴＲ）２０１、およびゲートバイアス供給回路２０２，２０３により構成されている。
整合回路２０１は、抵抗素子Ｒ２０８により構成されている。抵抗素子Ｒ２０８は、入力端子Ｔ  ＩＮ２０１および直流（ＤＣ）カットオフ用キャパシタＣ２０１の一方の電極の接続点と接地電位ＧＮＤとの間に接続されている。
ゲートバイアス供給回路２０２は、電圧源Ｖ２０１と接地電位ＧＮＤとの間に直列に接続された抵抗素子Ｒ２０１およびＲ２０２により構成されている。抵抗素子Ｒ２０１およびＲ２０２の接続点はキャパシタＣ２０１の他方の電極およびトランジスタＱ２０１のゲートに接続されている。
このような構成を有するゲートバイアス供給回路２０２は、抵抗素子Ｒ２０１およびＲ２０２により電圧源Ｖ２０１の電圧Ｖｄｄを抵抗分割することによりトランジスタＱ２０１のバイアス電圧を発生する。
ゲートバイアス供給回路２０３は、電圧源Ｖ２０１と接地電位ＧＮＤとの間に直列に接続された抵抗素子Ｒ２０３およびＲ２０４により構成されている。抵抗素子Ｒ２０３およびＲ２０４の接続点はトランジスタＱ２０２のゲートに接続されている。
このような構成を有するゲートバイアス供給回路２０３は、抵抗素子Ｒ２０３およびＲ２０４により電圧源Ｖ２０１の電圧Ｖｄｄを抵抗分割することによりトランジスタＱ２０２のバイアス電圧を発生する。
なお、ゲートバイアス供給回路は、抵抗分割ではなく、たとえばチョークコイル（十分大きなインダクタンス値をもつインダクタ）、チョークコイルとシャント結合キャパシタンス、または分布定数線路などで構成することも可能である。
そして、トランジスタＱ２０１のソースとトランジスタＱ２０２のソースが接続され、その接続点が電流源としての抵抗素子Ｒ２０５を介して接地電位ＧＮＤに接続されている。
トランジスタＱ２０１のドレインは抵抗素子Ｒ２０６の一端、キャパシタＣ２０２の一方の電極、および第１出力端子Ｔ  ＯＴ２０１に接続されている。抵抗素子Ｒ２０６の他端が電圧Ｖｄｄの電圧源Ｖ２０１に接続され、キャパシタＣ２０２の他方の電極は接地電位ＧＮＤに接続されている。
トランジスタＱ２０２のドレインは抵抗素子Ｒ２０７の一端、キャパシタＣ２０３の一方の電極、および第２出力端子Ｔ  ＯＴ２０２に接続されている。抵抗素子Ｒ２０７の他端が電圧Ｖｄｄの電圧源Ｖ２０１に接続され、キャパシタＣ２０３の他方の電極は接地電位ＧＮＤに接続されている。
トランジスタＱ２０１のドレインに抵抗素子Ｒ２０６を介してドレインバイアス電圧が供給され、トランジスタＱ２０２のドレインに抵抗素子Ｒ２０７を介してドレインバイアス電圧が供給される。
このような接続関係もって構成された電力検波回路２００において、能動素子としてのトランジスタＱ２０１とＱ２０２は、たとえば実質的に殆ど同特性を持つように、同一のデバイス構造を有している。
また、本実施形態に係る回路では、ゲートバイアス供給回路２０２，２０３を構成する抵抗素子Ｒ２０１，Ｒ２０２の抵抗値Ｒｇａ１，Ｒｇｂ１と抵抗素子Ｒ２０３，Ｒ２０４の抵抗値Ｒｇａ２，Ｒｇｂ２はＲｇａ１＝Ｒｇａ２、Ｒｇｂ１＝Ｒｇｂ２の条件を満足し、トランジスタＱ２０１とＱ２０２のゲートバイアス電圧をできるだけ等しくする必要がある。
また、トランジスタＱ２０１，Ｑ２０２のドレインに接続された抵抗素子Ｒ２０６の抵抗値Ｒｄａと抵抗素子Ｒ２０７の抵抗値ＲｄｂはＲｄａ＝Ｒｄｂの条件を満たす。
同様に、キャパシタＣ２０２の容量値ＣｏｕｔａとキャパシタＣ２０３の容量値Ｃｏｕｔｂは、Ｃｏｕｔａ＝Ｃｏｕｔｂの条件を満たすことが望ましく、容量値ＣｏｕｔａおよびＣｏｕｔｂは、入力周波数ｆｉｎの入力高周波信号を含むより高い周波数ではそのインピーダンスが殆ど０オームとなるような十分大きな容量値に設定される。
あるいは、電力検波回路２００において、トランジスタＱ２０１のゲート幅ＷｇａとトランジスタＱ２０２のゲート幅Ｗｇｂの比（Ｗｇａ／Ｗｇｂ）をＮとしたとき、Ｒｄａ／Ｒｄｂ＝１／Ｎ，Ｃｏｕｔａ＝Ｃｏｕｔｂの条件を満たすように構成される。
具体的には、トランジスタＱ２０２のゲート幅Ｗｇｂを、トランジスタＱ２０１のゲート幅Ｗｇａより小さく設定し、かつドレインバイアス用抵抗素子Ｒ２０７の抵抗値Ｒｄｂを、抵抗素子Ｒ２０６の抵抗値Ｒｄａより大きく設定することにより、消費電流を改善することができる。
たとえば、トランジスタＱ２０１のゲート幅ＷｇａとトランジスタＱ２０２のゲート幅Ｗｇｂとの比Ｗｇａ／ＷｇｂがＮに設定され、さらに、抵抗素子Ｒ２０７の抵抗値Ｒｄｂが、抵抗素子Ｒ２０６の抵抗値ＲｄａのＮ倍に設定されることにより、トランジスタＱ２０１，２０２に同特性のものを用いた場合に比較し、（Ｎ＋１）／（２Ｎ）倍に消費電流を低減することができる。
次に、上記構成を有する電力検波回路の動作を説明する。
入力端子Ｔ  ＩＮ２０１に入力された高周波信号ＲＦｉｎは、整合回路２０１およびＤＣカットオフ用キャパシタＣ２０１を介してトランジスタＱ２０１のゲートに供給される。
このとき、トランジスタＱ２０１のゲートには、ゲートバイアス供給回路２０２により生成されたゲートバイアス電圧が供給されている。同様に、トランジスタＱ２０２のゲートには、ゲートバイアス供給回路２０３により生成されたゲートバイアス電圧が供給されている。
また、トランジスタＱ２０１およびＱ２０２のドレインには、それぞれ抵抗素子Ｒ２０６，Ｒ２０７を介してドレインバイアス電圧が供給されている。
そして、トランジスタＱ２０１およびＱ２０２のドレインと接地電位ＧＮＤとの間に、それぞれ十分大きな容量値を有する結合キャパシタＣ２０２、Ｃ２０３が接続されていることから、トランジスタＱ２０１およびＱ２０２のドレインは高周波的に安定状態となる。
その結果、トランジスタＱ２０１のドレインの電圧、すなわち第１出力端子Ｔ  ＯＴ２０１の電圧と、トランジスタＱ２０２のドレインの電圧、すなわち第２出力端子Ｔ  ＯＴ２０２との電圧差が検波出力信号Ｖｏｕｔとして、図示しない後段の処理回路に供給される。
以下に、図２１の電力検波回路の検波特性について、図２２および図２３に関連付けて考察する。
図２２は、図２１の電力検波回路の検波特性の一例を示す図である。
図２２において、横軸は入力高周波電力Ｐｉｎを、縦軸は出力検波電圧Ｖｏｕｔを表している。入力高周波信号の周波数は５．５ＧＨｚである。
図２２からわるように、図２１の電力検波回路は直線性が良い。
図２３は、ゲートバイアス電圧をパラメータとしたときの図２１の電力検波回路の検波特性を示す図である。
図２３においても、横軸は入力高周波電力Ｐｉｎを、縦軸は出力検波電圧Ｖｏｕｔを表している。
図２３から、図２１の電力検波回路の特性は、ゲートバイアス変動に対してＰｉｎ対Ｖｏｕｔ特性の変動が小さいことがわかる。
すなわち、図２１の電力検波回路では、ＤＣオフセットは生じていない。
マルチポート信号−ＩＱ信号変換回路１０１０は、３つの電力検波回路１００７〜１００９の出力信号Ｐ１、Ｐ２およびＰ３を受けて、演算回路により、下記の式（１）および式（２）に基づいた計算を行い、復調信号である同相信号Ｉ（ｔ）および直交信号Ｑ（ｔ）に変換し、周波数誤差検出回路１０６およびベースバンド信号処理回路１０７に出力する。
2002091564.tif 000024
ここで、ｈｉ０、ｈｉ１、ｈｉ２、ｈｉ３、ｈｑ０、ｈｑ１、ｈｑ２、およびｈｑ３は、マルチポート復調器を構成する分岐回路１００１，１００２、移相器１００３，１００４、結合回路１００５，１００６，および電力検波回路１００７〜１００９のもつ回路定数から求められる。
マルチポート信号−ＩＱ信号変換回路１００９は、具体的には図２４に示すように、たとえばチャネル選択用ローパスフィルタ（ＬＰＦ）３０１、３０２、３０３、および演算回路３０４を有している。
演算回路３０４は、図２４に示すように、係数ｈｉ０発生器３００１、係数ｈｑ０発生器３００２、係数ｈｉ１用乗算器３００３、係数ｈｉ２用乗算器３００４、係数ｈｉ３用乗算器３００５、係数ｈｑ１用乗算器３００６、係数ｈｑ２用乗算器３００７、係数ｈｑ３用乗算器３００８、および加算器３００９〜３０１４により構成されている。
この演算回路３０４においては、ＬＰＦ３０１でチャネルが選択された電力検波回路１００７の出力信号Ｐ１が、乗算器３００３において係数ｈｉ１が乗算され、その乗算結果ｈｉ１Ｐ１が加算器３０１０に供給される。また、ＬＰＦ３０１でチャネルが選択された電力検波回路１００７の出力信号Ｐ１は、乗算器３００６において係数ｈｑ１が乗算され、その乗算結果ｈｑ１Ｐ１が加算器３０１２に供給される。
ＬＰＦ３０２でチャネルが選択された電力検波回路１００８の出力信号Ｐ２が、乗算器３００４において係数ｈｉ２が乗算され、その乗算結果ｈｉ２Ｐ２が加算器３００９に供給される。また、ＬＰＦ３０２でチャネルが選択された電力検波回路１００８の出力信号Ｐ２は、乗算器３００７において係数ｈｑ２が乗算され、その乗算結果ｈｑ２Ｐ２が加算器３０１２に供給される。
また、ＬＰＦ３０３でチャネルが選択された電力検波回路１００９の出力信号Ｐ３が、乗算器３００５において係数ｈｉ３が乗算され、その乗算結果ｈｉ３Ｐ３が加算器３００９に供給される。また、ＬＰＦ３０３でチャネルが選択された電力検波回路１００９の出力信号Ｐ３は、乗算器３００８において係数ｈｑ３が乗算され、その乗算結果ｈｑ３Ｐ３が加算器３０１３に供給される。
加算器３００９においては、乗算器３００４の出力ｈｉ２Ｐ２と乗算器３００５の出力ｈｉ３Ｐ３が加算され、その結果（ｈｉ２Ｐ２＋ｈｉ３Ｐ３）が加算器３０１０に供給される。加算器３０１０では、加算器３００３の出力ｈｉ１Ｐ１と加算器３００９の出力（ｈｉ２Ｐ２＋ｈｉ３Ｐ３）が加算され、その結果（ｈｉ１Ｐ１＋ｈｉ２Ｐ２＋ｈｉ３Ｐ３）が加算器３０１１に供給される。そして、加算器３０１１において、係数ｈｉ０発生器３００１による係数ｈｉ０と加算器３０１０の出力（ｈｉ１Ｐ１＋ｈｉ２Ｐ２＋ｈｉ３Ｐ３）が加算されて、上記（１）式に示す同相信号Ｉ（ｔ）＝ｈｉ０＋ｈｉ１Ｐ１＋ｈｉ２Ｐ２＋ｈｉ３Ｐ３が得られる。
一方、加算器３０１２においては、乗算器３００６の出力ｈｑ１Ｐ１と乗算器３００７の出力ｈｑ２Ｐ２が加算され、その結果（ｈｑ１Ｐ１＋ｈｑ２Ｐ２）が加算器３０１３に供給される。加算器３０１３では、乗算器３００８の出力ｈｑ３Ｐ３と加算器３０１２の出力（ｈｑ１Ｐ１＋ｈｑ２Ｐ２）が加算され、その結果（ｈｑ１Ｐ１＋ｈｑ２Ｐ２＋ｈｑ３Ｐ３）が加算器３０１４に供給される。そして、加算器３０１４において、係数ｈｑ０発生器３００２による係数ｈｑ０と加算器３０１３の出力（ｈｑ１Ｐ１＋ｈｑ２Ｐ２＋ｈｑ３Ｐ３）が加算されて、上記（２）式に示す直交信号Ｑ（ｔ）＝ｈｑ０＋ｈｑ１Ｐ１＋ｈｑ２Ｐ２＋ｈｑ３Ｐ３が得られる。
平均信号電力演算回路１０２は、第１の電力検波回路１００７の出力信号Ｐ１を受けて、下記の式（３）に基づいて受信信号の平均電力を求め、信号Ｓ１０２として利得制御信号生成回路１０５に出力する。
2002091564.tif 000025
ここで、ｄ２は受信信号電力、ｈｄ１はマルチポート復調器を構成する分岐回路１００１、および第１の電力検波回路１００７のもつ回路定数から求められる。
ローカル信号発生回路１０３は、周波数誤差検出回路１０６において検出された周波数誤差値を信号Ｓ１０６として受けて、受信信号周波数に発振周波数が略等しいローカル信号ＳＯを発生してマルチポート復調器１０１に供給する。
可変利得回路１０４は、図示しないアンテナ素子で受信され、プリセレクトＲＦフィルタ、低雑音増幅器を介した受信信号のレベルを利得制御信号生成回路１０５による制御信号Ｓ１０５に応じたレベルに調整してマルチポート復調器１０１に供給する。
利得制御信号生成回路１０５は、平均信号電力演算回路１０２で求められた平均電力信号Ｓ１０２に基づいて、マルチポート復調器１０１に入力される受信信号レベルが一定となるように制御信号Ｓ１０５を可変利得回路１０４に出力する。
周波数誤差検出回路１０６は、マルチポート復調器１０１の出力信号ＩおよびＱより周波数誤差を検出し、信号Ｓ１０６としてローカル信号発生回路１０３に供給する。
ベースバンド信号処理回路１０７は、マルチポート復調器１０１の出力信号ＩおよびＱに基づいて所定のベースバンド信号処理を行って復調情報を得、次段の図示しない処理回路に出力する。
次に、上記構成による動作を詳細に説明する。
可変利得回路１０４において所定レベルに調整された受信信号Ｓｒ（ｔ）が入力端子Ｔ  ＩＮＳｒに入力される。上述したように、Ｓｒ（ｔ）は時間ｔにおける入力端子Ｔ  ＩＮＳｒの電圧であり、下記の式（４）のように表される。なお、ここでは、受信信号Ｓｒ（ｔ）を位相および振幅に情報を与えた変調信号としている。周波数は位相の変化の割合であることから、周波数変調も位相に情報を与えた変調方式であるといえる。したがって、Ｓｒ（ｔ）は周波数変調信号でもよい。
2002091564.tif 000026
ここで、Ａは平均電圧振幅、ｄは振幅変調成分、ψは位相変調成分、ωｃは搬送波角周波数を表し、また、Ｉ（ｔ）＝ｄｃｏｓψ、Ｑ（ｔ）＝ｄｓｉｎψである。
また、ローカル信号発生回路１０３で発生されたローカル信号ＳＯ（ｔ）が入力端子Ｔ  ＩＮＳｌｏに入力される。上述したように、ＳＯ（ｔ）は時間ｔにおける入力端子Ｔ  ＩＮＳｌｏの電圧であり、下記の式（５）のように表される。
2002091564.tif 000027
また、上述したように、マルチポート復調器１０１に入力される受信信号レベルは一定となるように、可変利得回路１０４は制御信号Ｓ１０５に応じて動作していることから、Ａ／Ａ０の比は一定となる。ここでは簡単のため、Ａ＝Ａ０とした場合で説明を行う。
受信信号Ｓｒ（ｔ）は第１の分岐回路１００１の入力端子Ｉ１に供給され、３つの信号に分岐される。分岐された第１の受信信号は第１出力端子Ｏ１から第１の電力検波回路１００７に出力され、第２の受信信号は第２出力端子Ｏ２から第１の結合回路１００５に出力され、第３の受信信号は第３出力端子Ｏ３から第２の結合回路１００６に出力される。
一方、ローカルＳＯ（ｔ）は第２の分岐回路１００２の入力端子Ｉ１に供給され、２つの信号に分岐される。分岐された第１のローカル信号は第１出力端子Ｏ１から第１の移相器１００３に出力され、第２のローカル信号は第２出力端子Ｏ２から第２の移相器１００４に出力される。
第１の移相器１００３では、第２の結合回路１００２の第１出力端子Ｏ１から出力されたローカル信号の位相がθ１度だけシフトされて第１の結合回路１００５に出力される。第２の移相器１００４では、第２の結合回路１００２の第２出力端子Ｏ２から出力されたローカル信号の位相がθ２度だけシフトされて第２の結合回路１００６に出力される。
そして、第１の結合回路１００５においては、第１の分岐回路１００１の第２出力端子Ｏ２から出力された受信信号と第１の移相器１００３によりθ１度だけ位相がシフトされたローカル信号とが結合され、第２の電力検波回路１００８に出力される。第２の結合回路１００６においては、第１の分岐回路１００１の第３出力端子Ｏ３から出力された受信信号と第２の移相器１００４によりθ２度だけ位相がシフトされたローカル信号とが結合され、第３の電力検波回路１００９に出力される。
第１の分岐回路１００１、第１の結合回路１００５、および第２の結合回路１００６から出力された信号の第１の電力検波回路１００７、第２の電力検波回路１００８、および第３の電力検波回路１００９の入力電圧ν１、ν２、ν３はそれぞれ次式で表される。
2002091564.tif 000028
ここで、ｋｉｊは端子ｊを入力、ｉを出力としたときの電圧伝達係数（スカラー量）を示す。ｊ＝１が入力端子Ｔ  ＩＮＳｒ、ｊ＝２が入力端子Ｔ  ＩＮＳｌｏに相当する。ｉ＝１、２、および３は、それぞれ電力検波回路１００７、１００８、および１００９の入力端子に相当する。
電力検波回路のベースバンド出力信号電圧は次式で表される。
2002091564.tif 000029
ここで、Ｃｉは電力検波回路の係数である。
したがって、各電力検波回路１００７、１００８、および１００９のベースバンド出力信号電圧は次式で表される。
2002091564.tif 000030
３つの電力検波回路１００７、１００８、および１００９は同等の回路構成となることから、Ｃ＝Ｃ１＝Ｃ２＝Ｃ３とおくことができる。
以上から、上記式（１０）、（１１）、および（１２）は以下のように変形できる。
2002091564.tif 000031
これら式（１３）、（１４）、（１５）から得られるベースバンド出力信号Ｐ１、Ｐ２およびＰ３は、マルチポート信号−ＩＱ信号変換回路１０１０において、下記の式（１６）および式（１７）に基づいた計算が演算回路３０４で行われ、復調信号である同相信号Ｉ（ｔ）および直交信号Ｑ（ｔ）に変換されて、周波数誤差検出回路１０６およびベースバンド信号処理回路１０７に出力される。
2002091564.tif 000032
ここで、
2002091564.tif 000033
2002091564.tif 000034
以上の説明のように、本発明の回路により、受信信号から復調信号ＩおよびＱを得ることができる。
また、電力検波回路１００７の出力検波信号Ｐ１を受けた平均信号電力演算回路１０２において、下記の（２６）式に基づいて平均信号電力が計算され、その結果が利得制御信号生成回路１０５に信号Ｓ１０２として出力される。
2002091564.tif 000035
利得制御信号生成回路１０５では、平均信号電力演算回路１０２で求められた平均電力信号Ｓ１０２に基づいて、マルチポート復調器１０１に入力される受信信号レベルが一定となるように制御信号Ｓ１０５が可変利得回路１０４に出力される。
そして、可変利得回路１０４においては、図示しないアンテナ素子で受信され、プリセレクトＲＦフィルタ、低雑音増幅器を介した受信信号のレベルが利得制御信号生成回路１０５による制御信号Ｓ１０５に応じたレベルに調整されてマルチポート復調器１０１に供給される。
また、マルチポート復調器１０１の出力復調信号ＩおよびＱを受けた周波数誤差検出回路１０６では、信号ＩおよびＱより周波数誤差が検出され、信号Ｓ１０６としてローカル信号発生回路１０３に供給される。
ローカル信号発生回路１０３では、周波数誤差検出回路１０６において検出された周波数誤差値信号Ｓ１０６を受けて、受信信号周波数に発振周波数が略等しいローカル信号ＳＯが発生されてマルチポート復調器１０１に供給される。
以上説明したように、本実施形態によれば、マルチポート復調器１０１を、受信信号を第１〜第３の３つの信号に分岐する第１の分岐回路１００１と、ローカル信号を第１および第２の２つの信号に分岐する第２の分岐回路１００２と、第２の分岐回路１００２による第１のローカル信号をシフト量θ１をもって位相シフトする第１の移相器１００３と、第２の分岐回路１００２による第２のローカル信号をシフト量θ２をもって位相シフトする第２の移相器１００４と、第１の分岐回路１００１による第２の受信信号と第１の移相器１００３によりシフト量θ１をもって位相シフトされたローカル信号を結合する第１の結合回路１００５と、第１の分岐回路１００１による第３の受信信号と第２の移相器１００４によりシフト量θ２をもって位相シフトされたローカル信号を結合する第２の結合回路１００６と、第１の分岐回路１００１による第１の受信信号の振幅成分を検波する第１の電力検波回路１００７と、第１の結合回路１００５によるベクトル和信号の振幅成分を検波する第２の電力検波回路１００８と、第２の結合回路１００６によるベクトル和信号の振幅成分を検波する第３の電力検波回路１００９と、第１〜第３の電力検波回路１００７〜１００９の出力信号Ｐ１、Ｐ２およびＰ３を受けて、復調信号である同相信号Ｉ（ｔ）および直交信号Ｑ（ｔ）に変換するマルチポート信号−ＩＱ信号変換回路１００９とを含むように構成したことから、マルチポート方式復調器の特徴である、広帯域性、ローカル信号電力の低減に寄与するだけでなく、従来のマルチポート復調器に比較して以下の特徴を有する。
すなわち、従来のマルチポート復調器に比較して、更なる広帯域性、低歪特性、低消費電力を実現でき、温度変動、経時変動に対して特性変動が小さい高性能な受信機を実現できる。
また、３つの電力検波回路、１つの１入力３出力の結合回路、１つの１入力２出力の結合回路、２つの移相器により構成可能であることから、従来の回路より回路構成を簡単化でき、回路サイズの増大を防止できる利点がある。
図２５は、本発明に係るマルチポート復調器の他の実施形態を示すブロック図である。
図２５においては、図８のマルチポート復調器と同一構成部分は同一符号をもって表している。
図２５のマルチポート復調器１０１Ａと図８のマルチポート復調器１０１の異なる点は、マルチポート信号−ＩＱ信号変換回路１０１０Ａの処理をアナログ処理ではなくディジタル信号処理により行うようにしたことにある。
具体的には、図２５に示すように、第１の電力検波回路１００７、第２の電力検波回路１００８、および第３の電力検波回路１００９の出力に、ベースバンド信号Ｐ１、Ｐ２、およびＰ３から高域信号を除去する第１のＬＰＦ１０１１、第２のＬＰＦ１０１２、および第３のＬＰＦ１０１３が接続され、これらＬＰＦ１０１１、１０１２、および１０１３の出力に信号振幅を調整するための増幅器１０１４，１０１５、および１０１６が接続されている。
各増幅器１０１４〜１０１６の出力には、それぞれ適切なサンプリング周波数のもとアナログ信号をディジタル信号に変換する第１のアナログ／ディジタルコンバータ（ＡＤＣ）１０１７、第２のＡＤＣ１０１８、および第３のＡＤＣ１０１９が接続されている。
そして、第１〜第３のＡＤＣ１０１７、１０１８、および１０１９の出力は、それぞれＡＤＣ１０１７、１０１８、および１０１９によるディジタルベースバンド信号から希望チャネル信号のみを取り出し、他チャネル信号を除去するチャネル選択手段としての第１〜第３のディジタルＬＰＦ１０２０、１０２１、および１０２２に接続され、ディジタルＬＰＦ１０２０、１０２１、および１０２２の出力信号Ｐ１’、Ｐ２’、Ｐ３’がマルチポート信号−ＩＱ信号変換回路１０１０Ａに入力されるように構成されている。
なお、ＬＰＦ１０１１、１０１２、および１０１３は、ＡＤＣ１０１７、１０１８、および１０１９において生じるエイリアシングを防ぐために設けられている。
マルチポート信号−ＩＱ信号変換回路１０１０Ａは、ディジタルＬＰＦ１０２０、１０２１、および１０２２の出力信号Ｐ１’、Ｐ２’、Ｐ３’を受けて上述した（１）式、（２）式に基づいた計算を行って復調信号である同相信号Ｉ（ｔ）および直交信号Ｑ（ｔ）に変換する。
なお、このディジタル部であるマルチポート信号−ＩＱ信号変換回路１０１０Ａは、ＤＳＰ、ＦＰＧＡ、ロジック回路などで実現できる。
図２６は、図２５のマルチポート信号−ＩＱ信号変換回路の具体的な構成例を示す回路図である。
変換回路４００は、図２６に示すように、係数ｈｉ０発生器４００１、係数ｈｑ０発生器４００２、係数ｈｉ１用乗算器４００３、係数ｈｉ２用乗算器４００４、係数ｈｉ３用乗算器４００５、係数ｈｑ１用乗算器４００６、係数ｈｑ２用乗算器４００７、係数ｈｑ３用乗算器４００８、および加算器４００９〜４０１４により構成されている。
この演算回路４０４においては、ＬＰＦ１０２０でチャネルが選択されたディジタル信号Ｐ１’が、乗算器４００３において係数ｈｉ１が乗算され、その乗算結果ｈｉ１Ｐ１が加算器４０１０に供給される。また、ＬＰＦ１０２０でチャネルが選択されたディジタル信号Ｐ１’は、乗算器４００６において係数ｈｑ１が乗算され、その乗算結果ｈｑ１Ｐ１が加算器４０１２に供給される。
ＬＰＦ１０２１でチャネルが選択されたディジタル信号Ｐ２’が、乗算器４００４において係数ｈｉ２が乗算され、その乗算結果ｈｉ２Ｐ２が加算器４００９に供給される。また、ＬＰＦ１０２１でチャネルが選択されたディジタル信号Ｐ２’は、乗算器４００７において係数ｈｑ２が乗算され、その乗算結果ｈｑ２Ｐ２が加算器４０１２に供給される。
また、ＬＰＦ１０２３でチャネルが選択されたディジタル信号Ｐ３’が、乗算器４００５において係数ｈｉ３が乗算され、その乗算結果ｈｉ３Ｐ３が加算器４００９に供給される。また、ＬＰＦ１０２３でチャネルが選択されたディジタル信号Ｐ３’は、乗算器４００８において係数ｈｑ３が乗算され、その乗算結果ｈｑ３Ｐ３が加算器４０１３に供給される。
加算器４００９においては、乗算器４００４の出力ｈｉ２Ｐ２と乗算器４００５の出力ｈｉ３Ｐ３が加算され、その結果（ｈｉ２Ｐ２＋ｈｉ３Ｐ３）が加算器４０１０に供給される。加算器４０１０では、加算器４００３の出力ｈｉ１Ｐ１と加算器４００９の出力（ｈｉ２Ｐ２＋ｈｉ３Ｐ３）が加算され、その結果（ｈｉ１Ｐ１＋ｈｉ２Ｐ２＋ｈｉ３Ｐ３）が加算器４０１１に供給される。そして、加算器４０１１において、係数ｈｉ０発生器４００１による係数ｈｉ０と加算器４０１０の出力（ｈｉ１Ｐ１＋ｈｉ２Ｐ２＋ｈｉ３Ｐ３）が加算されて、上記（１）式に示す同相信号Ｉ（ｔ）＝ｈｉ０＋ｈｉ１Ｐ１＋ｈｉ２Ｐ２＋ｈｉ３Ｐ３が得られる。
一方、加算器４０１２においては、乗算器４００６の出力ｈｑ１Ｐ１と乗算器４００７の出力ｈｑ２Ｐ２が加算され、その結果（ｈｑ１Ｐ１＋ｈｑ２Ｐ２）が加算器４０１３に供給される。加算器４０１３では、乗算器４００８の出力ｈｑ３Ｐ３と加算器４０１２の出力（ｈｑ１Ｐ１＋ｈｑ２Ｐ２）が加算され、その結果（ｈｑ１Ｐ１＋ｈｑ２Ｐ２＋ｈｑ３Ｐ３）が加算器４０１４に供給される。そして、加算器４０１４において、係数ｈｑ０発生器４００２による係数ｈｑ０と加算器４０１３の出力（ｈｑ１Ｐ１＋ｈｑ２Ｐ２＋ｈｑ３Ｐ３）が加算されて、上記（２）式に示す直交信号Ｑ（ｔ）＝ｈｑ０＋ｈｑ１Ｐ１＋ｈｑ２Ｐ２＋ｈｑ３Ｐ３が得られる。
このマルチポート復調器１００Ａによれば、低消費電力、低歪、広帯域特性、および高性能の復調性能を実現できる利点がある。
なお、図２５の実施形態においては、ＬＰＦ１、ディジタルＬＰＦ２の２つのローパスフィルタを用いた例を示したが、ＡＤＣ前段のＬＰＦ１において、アナログ領域でチャンネルセレクトフィルタを行ってもよい。この場合、ＬＰＦ２は不要となる。
図２７は、本発明に係るマルチポート復調器の他の実施形態を示すブロック図である。
図２７においては、図８のマルチポート復調器と同一構成部分は同一符号をもって表している。
図２７のマルチポート復調器１０１Ｂと図８のマルチポート復調器１０１の異なる点は、第２の分岐回路１００２Ｂを１入力２出力の代わりに１入力３出力とし、第３のローカル信号と第１の分岐回路１００１の第１出力端子Ｏ１から出力された第１の受信信号を第３の結合回路１０２３で結合して第１の電力検波回路１００７に供給するように構成したことにある。
なお、図２７のマルチポート復調器１０１Ｂにおいては、受信信号用第１の信号入力端子Ｔ  ＩＮＳｒ、ローカル信号用第２の信号入力端子Ｔ  ＩＮＳｌｏ、第１の分岐回路１００１、第２の分岐回路１００２Ｂ、第１の移相器１００３、第２の移相器１００４、第１の結合回路１００５、第２の結合回路１００６、および第３の結合回路１０２３によりマルチポートジャンクション回路１０００Ｂが構成される。
このような構成を有するマルチポート復調器１０１Ｂにおいて、受信信号Ｓｒ（ｔ）が第１の信号入力端子Ｔ  ＩＮＳｒに入力される。受信信号Ｓｒ（ｔ）は第１の分岐回路１００１の入力端子Ｉ１に供給され、３つの信号に分岐される。分岐された第１の受信信号は第１出力端子Ｏ１から第３の結合回路１０２３に出力される。分岐された第２の受信信号は第２出力端子Ｏ２から第１の結合回路１００５に出力される。そして、分岐された第３の受信信号は第３出力端子Ｏ３から第２の結合回路１００６に出力される。
一方、ローカル信号ＳＯ（ｔ）が第２の信号入力端子Ｔ  ＩＮＳｌｏに入力される。ローカルＳＯ（ｔ）は第２の分岐回路１００２Ｂの入力端子Ｉ１に供給され、３つの信号に分岐される。分岐された第１のローカル信号は第１出力端子Ｏ１から第１の移相器１００３に出力される。分岐された第２のローカル信号は第２出力端子Ｏ２から第２の移相器１００４に出力される。分岐された第３のローカル信号は第３出力端子Ｏ３から第３の結合回路１０２３に出力する。
第１の移相器１００３では、第２の分岐回路１００２Ｂの第１出力端子Ｏ１から出力されたローカル信号の位相がθ１度だけシフトされて第１の結合回路１００５に出力される。第２の移相器１００４では、第２の分岐回路１００２Ｂの第２出力端子Ｏ２から出力されたローカル信号の位相がθ２度だけシフトされて第２の結合回路１００６に出力される。
そして、第１の結合回路１００５においては、第１の分岐回路１００１の第２出力端子Ｏ２から出力された受信信号と第１の移相器１００３によりθ１度だけ位相がシフトされたローカル信号とが結合され、第２の電力検波回路１００８に出力される。第２の結合回路１００６においては、第１の分岐回路１００１の第３出力端子Ｏ３から出力された受信信号と第２の移相器１００４によりθ２度だけ位相がシフトされたローカル信号とが結合され、第３の電力検波回路１００９に出力される。第３の結合回路１０２３においては、第１の分岐回路１００１の第１出力端子Ｏ１から出力された受信信号と第２の分岐回路１００２Ｂの第３出力端子Ｏ３から出力されたローカル信号とが結合され、第１の電力検波回路１００７に出力される。
したがって、第１の電力検波回路１００７の入力には、受信信号Ｓｒ（ｔ）とローカル信号ＳＯ（ｔ）のベクトル和信号が供給される。第１の電力検波回路１００７では、入力された受信信号Ｓｒ（ｔ）とローカル信号ＳＯ（ｔ）のベクトル和信号の振幅成分が検波信号Ｐ１としてマルチポート信号−ＩＱ信号変換回路１０１０Ｂおよび平均信号電力生成回路１０２に出力される。
同様に、第２の電力検波回路１００８の入力には、受信信号Ｓｒ（ｔ）と位相シフトθ１が与えられたローカル信号ＳＯ（ｔ）のベクトル和信号が供給される。第２の電力検波回路１００８では、入力された受信信号Ｓｒ（ｔ）と位相シフトθ１が与えられたローカル信号ＳＯ（ｔ）のベクトル和信号の振幅成分が検波信号Ｐ２としてマルチポート信号−ＩＱ信号変換回路１０１０Ｂに出力される。
同様に、第３の電力検波回路１００９の入力には、受信信号Ｓｒ（ｔ）と位相シフトθ２が与えられたローカル信号ＳＯ（ｔ）のベクトル和信号が印加される。第３の電力検波回路１００９では、入力された受信信号Ｓｒ（ｔ）と位相シフトθ２が与えられたローカル信号ＳＯ（ｔ）のベクトル和信号の振幅成分が検波信号Ｐ３としてマルチポート信号−ＩＱ信号変換回路１０１０Ｂに出力される。
なお、マルチポート信号−ＩＱ信号変換回路１０１０Ｂは、第１の電力検波回路１００７〜１００９の出力信号Ｐ１、Ｐ２、Ｐ３を受けて上述した（１）式、（２）式に基づいた計算を行って復調信号である同相信号Ｉ（ｔ）および直交信号Ｑ（ｔ）に変換する。
図２７のマルチポート復調器によれば、図８の復調器と同様の効果、すなわち、従来のマルチポート復調器に比較して、更なる広帯域性、低歪特性、低消費電力を実現でき、温度変動、経時変動に対して特性変動が小さい高性能な受信機を実現できるという効果を得ることができる。
また、３つの電力検波回路、１つの１入力３出力の結合回路、１つの１入力２出力の結合回路、２つの移相器により構成可能であることから、従来の回路より回路構成を簡単化でき、回路サイズの増大を防止できる利点がある。
図２８は、本発明に係るマルチポート復調器の他の実施形態を示すブロック図である。
図２８においては、図８のマルチポート復調器と同一構成部分は同一符号をもって表している。
図２８のマルチポート復調器１０１Ｃと図８のマルチポート復調器１０１の異なる点は、第１の分岐回路１００１Ｃを１入力３出力の代わりに、１入力２出力の分岐回路１０２４，１０２５を縦続接続した構成を採用したことにある。
具体的には、分岐回路（第１の分岐回路）１０２４の入力端子Ｉ１が受信信号用信号入力端子Ｔ  ＩＮＳｒに接続され、分岐回路１０２４は、入力端子Ｉ１を介して入力した受信信号を２つの信号に分岐し、分岐した第１の受信信号を第１出力端子Ｏ１から分岐回路１０２５に出力する。分岐回路１０２４は分岐した第２の受信信号を第２の出力端子Ｏ２から第３の電力検波回路１００９に供給する。
分岐回路（第２の分岐回路）１０２５は、入力端子Ｉ１から入力した第１の受信信号を２つの信号に分岐する。分岐回路１０２５は、分岐した第３の受信信号を第１出力端子Ｏ１から第１の結合回路１００５に出力する。分岐回路１０２５は、分岐した第４の受信信号を第２出力端子Ｏ２から第２の結合回路１００６に出力する。
なお、図２８のマルチポート復調器１０１Ｃにおいては、受信信号用第１の信号入力端子Ｔ  ＩＮＳｒ、ローカル信号用第２の信号入力端子Ｔ  ＩＮＳｌｏ、第１の分岐回路１００１Ｃを構成する分岐回路１０２４、分岐回路１０２５、第２の分岐回路１００２、第１の移相器１００３、第２の移相器１００４、第１の結合回路１００５、および第２の結合回路１００６によりマルチポートジャンクション回路１０００Ｃが構成される。
このような構成を有するマルチポート復調器１０１Ｃにおいて、受信信号Ｓｒ（ｔ）が第１の信号入力端子Ｔ  ＩＮＳｒに入力される。受信信号Ｓｒ（ｔ）は第１の分岐回路１００１Ｃを構成する分岐回路１０２４の入力端子Ｉ１に供給され、２つの信号に分岐される。分岐された第１の受信信号は第１出力端子Ｏ１から分岐回路１０２５の入力端子Ｉ１に出力される。分岐された第２の受信信号は第２出力端子Ｏ２から第３の電力検波回路１００９に供給される。
分岐回路１０２５では、入力端子Ｉ１から入力した分岐受信信号が２つの信号に分岐される。分岐された第３の受信信号は第１出力端子Ｏ１から第１の結合回路１００５に出力される。分岐された第４の受信信号は第２出力端子Ｏ２から第２の結合回路１００６に出力される。
一方、ローカル信号ＳＯ（ｔ）が第２の信号入力端子Ｔ  ＩＮＳｌｏに入力される。ローカルＳＯ（ｔ）は第２の分岐回路１００２の入力端子Ｉ１に供給され、２つの信号に分岐される。分岐された第１のローカル信号は第１出力端子Ｏ１から第１の移相器１００３に出力される。分岐された第２のローカル信号は第２出力端子Ｏ２から第２の移相器１００４に出力される。
第１の移相器１００３では、第２の分岐回路１００２の第１出力端子Ｏ１から出力されたローカル信号の位相がθ１度だけシフトされて第１の結合回路１００５に出力される。第２の移相器１００４では、第２の分岐回路１００２の第２出力端子Ｏ２から出力されたローカル信号の位相がθ２度だけシフトされて第２の結合回路１００６に出力される。
そして、第１の結合回路１００５においては、分岐回路１０２５の第１出力端子Ｏ１から出力された受信信号と第１の移相器１００３によりθ１度だけ位相がシフトされたローカル信号とが結合され、第１の電力検波回路１００７に出力される。第２の結合回路１００６においては、分岐回路１０２５の第２出力端子Ｏ２から出力された受信信号と第２の移相器１００４によりθ２度だけ位相がシフトされたローカル信号とが結合され、第２の電力検波回路１００８に出力される。
したがって、第１の電力検波回路１００７の入力には、受信信号Ｓｒ（ｔ）と位相シフトθ１が与えられたローカル信号ＳＯ（ｔ）のベクトル和信号が供給される。第１の電力検波回路１００７では、入力された受信信号Ｓｒ（ｔ）と位相シフトθ１が与えられたローカル信号ＳＯ（ｔ）のベクトル和信号の振幅成分が検波信号Ｐ１としてマルチポート信号−ＩＱ信号変換回路１０１０Ｃに出力される。
同様に、第２の電力検波回路１００８の入力には、受信信号Ｓｒ（ｔ）と位相シフトθ２が与えられたローカル信号ＳＯ（ｔ）のベクトル和信号が印加される。第２の電力検波回路１００８では、入力された受信信号Ｓｒ（ｔ）と位相シフトθ２が与えられたローカル信号ＳＯ（ｔ）のベクトル和信号の振幅成分が検波信号Ｐ２としてマルチポート信号−ＩＱ信号変換回路１０１０Ｃに出力される。
同様に、第３の電力検波回路１００９の入力には、受信信号Ｓｒ（ｔ）が印加される。第３の電力検波回路１００９では、入力された受信信号Ｓｒ（ｔ）の振幅成分が検波信号Ｐ３としてマルチポート信号−ＩＱ信号変換回路１０１０Ｃに出力される。
なお、マルチポート信号−ＩＱ信号変換回路１０１０Ｃは、第１の電力検波回路１００７〜１００９の出力信号Ｐ１、Ｐ２、Ｐ３を受けて上述した（１）式、（２）式に基づいた計算を行って復調信号である同相信号Ｉ（ｔ）および直交信号Ｑ（ｔ）に変換する。
図２８のマルチポート復調器によれば、図８の復調器と同様の効果、すなわち、従来のマルチポート復調器に比較して、更なる広帯域性、低歪特性、低消費電力を実現でき、温度変動、経時変動に対して特性変動が小さい高性能な受信機を実現できるという効果を得ることができる。
また、３つの電力検波回路、１つの１入力３出力の結合回路、１つの１入力２出力の結合回路、２つの移相器により構成可能であることから、従来の回路より回路構成を簡単化でき、回路サイズの増大を防止できる利点がある。
図２９は、本発明に係るマルチポート復調器の他の実施形態を示すブロック図である。
図２９においては、図２８のマルチポート復調器と同一構成部分は同一符号をもって表している。
図２９のマルチポート復調器１０１Ｄと図２８のマルチポート復調器１０１Ｃの異なる点は、受信信号用信号入力端子Ｔ  ＩＮＳｒとローカル信号用信号入力端子Ｔ  ＩＮＳｌｏ間のアイソレーションをより大きくとるために、分岐回路１０２４の第１出力端子Ｏ１と分岐回路１０２５の入力端子Ｉ１との間に増幅器１０２６を配置したことにある。
さらに、増幅器１０２６を用いた場合、第１の電力検波回路１００７および１００８の入力信号レベルに比較し第３の電力電波回路１００９の入力信号レベルが低くなる。電力検波回路の非線形特性を考慮した場合、３つの電力検波回路１００７〜１００９の入力信号レベルが均等であることが望ましい。このことから、図２９に示すように、増幅器１０２７を分岐回路１０２４の出力側に配置しても良い。
なお、図２９のマルチポート復調器１０１Ｄにおいては、受信信号用第１の信号入力端子Ｔ  ＩＮＳｒ、ローカル信号用第２の信号入力端子Ｔ  ＩＮＳｌｏ、第１の分岐回路１００１Ｃを構成する分岐回路１０２４、分岐回路１０２５、第２の分岐回路１００２、第１の移相器１００３、第２の移相器１００４、第１の結合回路１００５、第２の結合回路１００６、および増幅器１０２６，１０２７によりマルチポートジャンクション回路１０００Ｄが構成される。
このような構成を有するマルチポート復調器１０１Ｄのマルチポート信号−ＩＱ信号変換回路１０１０Ｄは、第１の電力検波回路１００７〜１００９の出力信号Ｐ１、Ｐ２、Ｐ３を受けて上述した（１）式、（２）式に基づいた計算を行って復調信号である同相信号Ｉ（ｔ）および直交信号Ｑ（ｔ）に変換する。
図２９のマルチポート復調器によれば、図２８の復調器と同様の効果、すなわち、従来のマルチポート復調器に比較して、更なる広帯域性、低歪特性、低消費電力を実現でき、温度変動、経時変動に対して特性変動が小さい高性能な受信機を実現できるという効果を得ることができる。
また、３つの電力検波回路、１つの１入力３出力の結合回路、１つの１入力２出力の結合回路、２つの移相器により構成可能であることから、従来の回路より回路構成を簡単化でき、回路サイズの増大を防止できる利点がある。
図３０は、本発明に係るマルチポート復調器の他の実施形態を示すブロック図である。
図３０においては、図８のマルチポート復調器と同一構成部分は同一符号をもって表している。
図３０のマルチポート復調器１０１Ｅと図２８のマルチポート復調器１０１Ｃの異なる点は、第２の結合回路１００６において、θ２だけ位相シフトされたローカル信号と受信信号を結合する代わりに、第２の分岐回路１００２で分岐された第２のローカル信号と、θ１だけ位相シフトされた受信信号を結合して、第３の電力検波回路１００９に出力するように構成したことにある。
具体的には、第１の分岐回路１００１の第３の出力端子Ｏ３と第２の結合回路１００６の一入力端子との間に、位相シフト量がθ１の第２の移相器１０２８を配置している。
なお、図３０のマルチポート復調器１０１Ｅにおいては、受信信号用第１の信号入力端子Ｔ  ＩＮＳｒ、ローカル信号用第２の信号入力端子Ｔ  ＩＮＳｌｏ、第１の分岐回路１００１、第２の分岐回路１００２、第１の移相器１００３、第１の結合回路１００５、および第２の移相器１０２８によりマルチポートジャンクション回路１０００Ｅが構成される。
このような構成を有するマルチポート復調器１０１Ｅにおいて、受信信号Ｓｒ（ｔ）が第１の信号入力端子Ｔ  ＩＮＳｒに入力される。受信信号Ｓｒ（ｔ）は第１の分岐回路１００１の入力端子Ｉ１に供給され、３つの信号に分岐される。分岐された第１の受信信号は第１出力端子Ｏ１から第１の電力検波回路１００７に出力される。分岐された第２の受信信号は第２出力端子Ｏ２から第１の結合回路１００５に出力される。そして、分岐された第３の受信信号は第３出力端子Ｏ３から第２の移相器１０２８に出力される。
一方、ローカル信号ＳＯ（ｔ）が第２の信号入力端子Ｔ  ＩＮＳｌｏに入力される。ローカルＳＯ（ｔ）は第２の分岐回路１００２に入力端子Ｉ１に供給され、２つの信号に分岐される。分岐された第１のローカル信号は第１出力端子Ｏ１から第１の位相器１００３に出力される。分岐された第２のローカル信号は第２出力端子Ｏ２から第２の結合回路１００６に出力される。
第１の移相器１００３では、第２の分岐回路１００２の第１出力端子Ｏ１から出力されたローカル信号の位相がθ１度だけシフトされて第１の結合回路１００５に出力される。第２の移相器１０２８では、第１の分岐回路１００１の第３出力端子Ｏ３から出力された受信信号の位相がθ１度だけシフトされて第２の結合回路１００６に出力される。
そして、第１の結合回路１００５においては、第１の分岐回路１００１の第２出力端子Ｏ２から出力された受信信号と第１の移相器１００３によりθ１度だけ位相がシフトされたローカル信号とが結合され、第２の電力検波回路１００８に出力される。第２の結合回路１００６においては、第２の分岐回路１００２の第２出力端子Ｏ２から出力されたローカル信号と第２の移相器１０２８によりθ１度だけ位相がシフトされた受信信号とが結合され、第３の電力検波回路１００９に出力される。
したがって、第１の電力検波回路１００７の入力には、受信信号Ｓｒ（ｔ）が供給される。第１の電力検波回路１００７では、入力された受信信号Ｓｒ（ｔ）の振幅成分が検波信号Ｐ１としてマルチポート信号−ＩＱ信号変換回路１０１０Ｅおよび平均信号電力生成回路１０２に出力される。
同様に、第２の電力検波回路１００８の入力には、受信信号Ｓｒ（ｔ）と位相シフトθ１が与えられたローカル信号ＳＯ（ｔ）のベクトル和信号が供給される。第２の電力検波回路１００８では、入力された受信信号Ｓｒ（ｔ）と位相シフトθ１が与えられたローカル信号ＳＯ（ｔ）のベクトル和信号の振幅成分が検波信号Ｐ２としてマルチポート信号−ＩＱ信号変換回路１０１０Ｅに出力される。
同様に、第３の電力検波回路１００９の入力には、位相シフトθ１が与えられた受信信号Ｓｒ（ｔ）とローカル信号ＳＯ（ｔ）のベクトル和信号が印加される。第３の電力検波回路１００９では、入力された位相シフトθ１が与えられた受信信号Ｓｒ（ｔ）とローカル信号ＳＯ（ｔ）のベクトル和信号の振幅成分が検波信号Ｐ３としてマルチポート信号−ＩＱ信号変換回路１０１０Ｅに出力される。
なお、マルチポート信号−ＩＱ信号変換回路１０１０Ｅは、第１の電力検波回路１００７〜１００９の出力信号Ｐ１、Ｐ２、Ｐ３を受けて上述した（１）式、（２）式に基づいた計算を行って復調信号である同相信号Ｉ（ｔ）および直交信号Ｑ（ｔ）に変換する。
図３０のマルチポート復調器によれば、図８の復調器と同様の効果、すなわち、従来のマルチポート復調器に比較して、更なる広帯域性、低歪特性、低消費電力を実現でき、温度変動、経時変動に対して特性変動が小さい高性能な受信機を実現できるという効果を得ることができる。
また、３つの電力検波回路、１つの１入力３出力の結合回路、１つの１入力２出力の結合回路、２つの移相器により構成可能であることから、従来の回路より回路構成を簡単化でき、回路サイズの増大を防止できる利点がある。
図３１は、本発明に係るマルチポート復調器の他の実施形態を示すブロック図である。
図３１においては、図２８のマルチポート復調器と同一構成部分は同一符号をもって表している。
図３１のマルチポート復調器１０１Ｆと図２８のマルチポート復調器１０１Ｃと異なる点は、第２の分岐回路１００２Ｆを１入力２出力の分岐回路一つで構成する代わりに、１入力２出力の分岐回路１００２の前段に１入力２出力の分岐回路１０２９を縦続接続した構成を採用し、さらに第４の電力検波回路１０３０を設け、分岐回路１０２９により分岐したローカル信号の振幅成分を検波信号Ｐ４として、マルチポート信号−ＩＱ信号変換回路１０１０Ｆに出力するように構成したことにある。
具体的には、分岐回路（第３の分岐回路）１０２９の入力端子Ｉ１がローカル信号用信号入力端子Ｔ  ＩＮｌｏに接続され、分岐回路１０２９は、入力端子Ｉ１を介して入力したローカル信号を２つの信号に分岐し、分岐した第１のローカル信号を第１出力端子Ｏ１から分岐回路（第４の分岐回路）１００２に出力する。分岐回路１０２９は分岐した第２のローカル信号を第２の出力端子Ｏ２から第４の電力検波回路１０３０に供給する。
なお、図３０のマルチポート復調器１０１Ｆにおいては、受信信号用第１の信号入力端子Ｔ  ＩＮＳｒ、ローカル信号用第２の信号入力端子Ｔ  ＩＮＳｌｏ、第１の分岐回路１００１を構成する分岐回路１０２４，１０２５、第２の分岐回路を構成する分岐回路１００２，１０２９、第１の移相器１００３、第２の移相器１００４、第１の結合回路１００５、および第２の結合回路１００６によりマルチポートジャンクション回路１０００Ｆが構成される。
このような構成を有するマルチポート復調器１０１Ｆにおいて、受信信号Ｓｒ（ｔ）が第１の信号入力端子Ｔ  ＩＮＳｒに入力される。受信信号Ｓｒ（ｔ）は第１の分岐回路１００１Ｅを構成する分岐回路１０２４の入力端子Ｉ１に供給され、２つの信号に分岐される。分岐された第１の受信信号は第１出力端子Ｏ１から分岐回路１０２５の入力端子Ｉ１に出力される。分岐された第２の受信信号は第２出力端子Ｏ２から第３の電力検波回路１００９に供給される。
分岐回路１０２５では、入力端子Ｉ１から入力した分岐受信信号が２つの信号に分岐される。分岐された第３の受信信号は第１出力端子から第１の結合回路１００５に出力される。分岐された第４の受信信号は第２出力端子Ｏ２から第２の結合回路１００６に出力される。
一方、ローカル信号ＳＯ（ｔ）が第２の信号入力端子Ｔ  ＩＮＳｌｏに入力される。ローカルＳＯ（ｔ）は分岐回路１０２９の入力端子に供給され、２つの信号に分岐される。分岐された第１のローカル信号が第１出力端子０１から分岐回路１００２の入力端子Ｉ１に出力される。分岐された第２のローカル信号は第２の出力端子Ｏ２から第４の電力検波回路１０３０に出力される。
分岐回路１００２では、入力端子Ｉ１から入力した分岐ローカル信号が２つの信号に分岐される。分岐された第３のローカル信号は第１出力端子Ｏ１から第１の移相器１００３に出力される。分岐された第４のローカル信号は第２出力端子Ｏ２から第２の移相器１００４に出力される。
第１の移相器１００３では、分岐回路１００２の第１出力端子Ｏ１から出力されたローカル信号の位相がθ１度だけシフトされて第１の結合回路１００５に出力される。第２の移相器１００４では、分岐回路１００２の第２出力端子Ｏ２から出力されたローカル信号の位相がθ２度だけシフトされて第２の結合回路１００６に出力される。
そして、第１の結合回路１００５においては、分岐回路１０２５の第１出力端子Ｏ１から出力された受信信号と第１の移相器１００３によりθ１度だけ位相がシフトされたローカル信号とが結合され、第１の電力検波回路１００７に出力される。第２の結合回路１００６においては、分岐回路１０２５の第２出力端子Ｏ２から出力された受信信号と第２の移相器１００４によりθ２度だけ位相がシフトされたローカル信号とが結合され、第２の電力検波回路１００８に出力される。
したがって、第１の電力検波回路１００７の入力には、受信信号Ｓｒ（ｔ）と位相シフトθ１が与えられたローカル信号ＳＯ（ｔ）のベクトル和信号が供給される。第１の電力検波回路１００７では、入力された受信信号Ｓｒ（ｔ）と位相シフトθ１が与えられたローカル信号ＳＯ（ｔ）のベクトル和信号の振幅成分が検波信号Ｐ１としてマルチポート信号−ＩＱ信号変換回路１０１０Ｆに出力される。
同様に、第２の電力検波回路１００８の入力には、受信信号Ｓｒ（ｔ）と位相シフトθ２が与えられたローカル信号ＳＯ（ｔ）のベクトル和信号が印加される。第２の電力検波回路１００８では、入力された受信信号Ｓｒ（ｔ）と位相シフトθ２が与えられたローカル信号ＳＯ（ｔ）のベクトル和信号の振幅成分が検波信号Ｐ２としてマルチポート信号−ＩＱ信号変換回路１０１０Ｆに出力される。
同様に、第３の電力検波回路１００９の入力には、受信信号Ｓｒ（ｔ）が印加される。第３の電力検波回路１００９では、入力された受信信号Ｓｒ（ｔ）の振幅成分が検波信号Ｐ３としてマルチポート信号−ＩＱ信号変換回路１０１０Ｆに出力される。
同様に、第４の電力検波回路１０３０の入力には、ローカル信号ＳＯ（ｔ）が印加される。第４の電力検波回路１０３０では、入力されたローカル信号ＳＯ（ｔ）の振幅成分が検波信号Ｐ４としてマルチポート信号−ＩＱ信号変換回路１０１０Ｆに出力される。
なお、マルチポート信号−ＩＱ信号変換回路１０１０Ｆは、第１の電力検波回路１００７〜１００９の出力信号Ｐ１、Ｐ２、Ｐ３、Ｐ４を受けて下記の（２７）式に基づいた計算を行って復調信号である同相信号Ｉ（ｔ）および直交信号Ｑ（ｔ）に変換する。
2002091564.tif 000036
図３１のマルチポート復調器によれば、図８の復調器と同様の効果、すなわち、従来のマルチポート復調器に比較して、更なる広帯域性、低歪特性、低消費電力を実現でき、温度変動、経時変動に対して特性変動が小さい高性能な受信機を実現できるという効果を得ることができる。
また、図３１のマルチポート復調器によれば、回路の複雑性、消費電力の点で犠牲になるが、たとえば、経年変化、温度変化などによるローカル電力レベルの変動が生じても高精度の復調性能を維持できるという利点がある。
図３２は、本発明に係るマルチポート復調器の他の実施形態を示すブロック図である。
図３２においては、図２８のマルチポート復調器と同一構成部分は同一符号をもって表している。
図３２のマルチポート復調器１０１Ｇと図２８のマルチポート復調器１０１Ｃと異なる点は、第１の分岐回路１００１Ｇを構成する１入力２出力の分岐回路１０２５および第２の分岐回路１００２の代わりに、１８０度位相ディバイダ１０３１，１０３２を用いたことにある。
１８０度位相ディバイダ１０３１，１０３２は、出力される２つの信号が等振幅、逆位相の関係となるように出力信号を送出する機能を有する。
図３３は、１８０度位相ディバイダ１０３１，１０３２の具体的な構成例を示す回路図である。
この１８０度位相ディバイダは、図３３に示すように、トランジスタＱ１０３、抵抗素子Ｒ１１６，Ｒ１１７，Ｒ１１８、およびキャパシタＣ１１１，Ｃ１１２を有している。
トランジスタＱ１０３のゲートが信号ＲＦｉｎの入力端子Ｔ  ＩＮＲＦに接続され、また、抵抗素子Ｒ１１６を介して接地ラインＧＮＤに接続されている。トランジスタＱ１０３のドレインは抵抗素子Ｒ１１７を介して電源電圧ＶＤＤに供給ラインに接続され、かつ、キャパシタＣ１１１の第１電極に接続されている。キャパシタＣ１１１の第２電極が第１出力端子Ｏ１に接続されている。トランジスタのソースは抵抗素子Ｒ１１８を介して接地ラインＧＮＤに接続され、かつ、キャパシタＣ１１２の第１電極に接続されている。キャパシタＣ１１２の第２電極が第２出力端子Ｏ２に接続されている。
１８０度位相ディバイダでは、入力端子Ｔ  ＩＮＲＦに入力された受信信号またはローカル信号ＲＦｉｎがトランジスタＱ１０３のゲートに印加される。そして、トランジスタのドレインおよびソース側に接続された大きな容量値に設定されたキャパシタによりそれぞれ等振幅、逆位相の関係を持つ２つの信号が生成され、第１出力端子Ｏ１から信号ＯｕｔＡが出力され、第２出力端子Ｏ２から信号ＯｕｔＢが出力される。
なお、図３２のマルチポート復調器１０１Ｇにおいては、受信信号用第１の信号入力端子Ｔ  ＩＮＳｒ、ローカル信号用第２の信号入力端子Ｔ  ＩＮＳｌｏ、第１の移相器１００３、第２の移相器１００４、第１の結合回路１００５、第２の結合回路１００６、分岐回路１０２４、および１８０度位相ディバイダ１０３１，１０３２によりマルチポートジャンクション回路１０００Ｇが構成される。
このような構成を有するマルチポート復調器１０１Ｇにおいて、受信信号Ｓｒ（ｔ）が第１の信号入力端子Ｔ  ＩＮＳｒに入力される。受信信号Ｓｒ（ｔ）は第１の分岐回路１００１Ｇを構成する分岐回路１０２４の入力端子Ｉ１に供給され、２つの信号に分岐される。分岐された第１の受信信号は第１出力端子Ｏ１から１８０度位相ディバイダ１０３１の入力端子Ｉ１に出力される。分岐された第２の受信信号は第２出力端子Ｏ２から第３の電力検波回路１００９に供給される。
１８０度位相でディバイダ１０３１では、入力端子Ｉ１から入力した分岐受信信号から等振幅、逆位相の関係を持つ２つの信号が生成される。生成された第３の受信信号は第１出力端子Ｏ１から第１の結合回路１００５に出力される。生成された第３の受信信号とは位相が１８０度異なる第４の受信信号は第２出力端子Ｏ２から第２の結合回路１００６に出力される。
一方、ローカル信号ＳＯ（ｔ）が第２の信号入力端子Ｔ  ＩＮＳｌｏに入力される。ローカルＳＯ（ｔ）は１８０度位相ディバイダ１０３２の入力端子Ｉ１に供給される。１８０度位相でディバイダ１０３２では、入力端子Ｉ１から入力したローカル信号から等振幅、逆位相の関係を持つ２つの信号が生成される。生成された第１のローカル信号は第１出力端子Ｏ１から第１の移相器１００３に出力される。生成された第１のローカル信号とは位相が１８０度異なる第２のローカル信号は第２出力端子Ｏ２から第２の移相器１００４に出力される。
第１の移相器１００３では、１８０度位相ディバイダ１０３２の第１出力端子Ｏ１から出力されたローカル信号の位相がθ１度だけシフトされて第１の結合回路１００５に出力される。第２の移相器１００４では、１８０度位相ディバイダ１０３２の第２出力端子Ｏ２から出力されたローカル信号の位相がθ２度だけシフトされて第２の結合回路１００６に出力される。
そして、第１の結合回路１００５においては、分岐回路１０２５の第１出力端子Ｏ１から出力された受信信号と第１の移相器１００３によりθ１度だけ位相がシフトされたローカル信号とが結合され、第１の電力検波回路１００７に出力される。第２の結合回路１００６においては、分岐回路１０２５の第２出力端子Ｏ２から出力された受信信号と第２の移相器１００４によりθ２度だけ位相がシフトされたローカル信号とが結合され、第２の電力検波回路１００８に出力される。
したがって、第１の電力検波回路１００７の入力には、受信信号Ｓｒ（ｔ）と位相シフトθ１が与えられたローカル信号ＳＯ（ｔ）のベクトル和信号が供給される。第１の電力検波回路１００７では、入力された受信信号Ｓｒ（ｔ）と位相シフトθ１が与えられたローカル信号ＳＯ（ｔ）のベクトル和信号の振幅成分が検波信号Ｐ１としてマルチポート信号−ＩＱ信号変換回路１０１０Ｇに出力される。
同様に、第２の電力検波回路１００８の入力には、受信信号Ｓｒ（ｔ）と位相シフトθ２が与えられたローカル信号ＳＯ（ｔ）のベクトル和信号が印加される。第２の電力検波回路１００８では、入力された受信信号Ｓｒ（ｔ）と位相シフトθ２が与えられたローカル信号ＳＯ（ｔ）のベクトル和信号の振幅成分が検波信号Ｐ２としてマルチポート信号−ＩＱ信号変換回路１０１０Ｇに出力される。
同様に、第３の電力検波回路１００９の入力には、受信信号Ｓｒ（ｔ）が印加される。第３の電力検波回路１００９では、入力された受信信号Ｓｒ（ｔ）の振幅成分が検波信号Ｐ３としてマルチポート信号−ＩＱ信号変換回路１０１０Ｇに出力される。
なお、マルチポート信号−ＩＱ信号変換回路１０１０Ｇは、第１の電力検波回路１００７〜１００９の出力信号Ｐ１、Ｐ２、Ｐ３を受けて上述した（１）式、（２）式に基づいた計算を行って復調信号である同相信号Ｉ（ｔ）および直交信号Ｑ（ｔ）に変換する。
図３２のマルチポート復調器によれば、図８の復調器と同様の効果、すなわち、従来のマルチポート復調器に比較して、更なる広帯域性、低歪特性、低消費電力を実現でき、温度変動、経時変動に対して特性変動が小さい高性能な受信機を実現できるという効果を得ることができる。
また、３つの電力検波回路、１つの１入力３出力の結合回路、１つの１入力２出力の結合回路、２つの移相器により構成可能であることから、従来の回路より回路構成を簡単化でき、回路サイズの増大を防止できる利点がある。
次に、フェーズドアレイアンテナ部を備え、本発明に係る復調を採用したダイレクトコンバージョン方式により復調を行う受信機について説明する。
図３４は、本発明に係るフェーズドアレイアンテナ部を備え、かつダイレクトコンバージョン方式により復調を行う受信機の一実施形態を示す構成図である。
この受信機１００Ａは、図７に示す受信機の可変利得回路１０４の前段にフェーズドアレイアンテナ部５００が配置されている。
フェーズドアレイアンテナ部５００は、ｍ（ｍは２以上の整数）個のアンテナ素子５０１−１〜５０１−ｍ、ｍ個のプリセレクトフィルタ５０２−１〜５０２−ｍ、ｍ個のＲＦ増幅器５０３−１〜５０３−ｍ、ｍ個の位相可変回路５０４−１〜５０４−ｍ、および信号合成回路５０５により構成されている。
そして、フェーズドアレイアンテナ部５００においては、基本的（受信モード時）には、アンテナ素子５０１−１〜５０１−ｍに対して、プリセレクトフィルタ５０２−１〜５０２−ｍ、ＲＦ増幅器５０３−１〜５０３−ｍ、位相可変回路５０４−１〜５０４−ｍが縦続接続され、各位相可変回路５０４−１〜５０４−ｍの出力信号が信号合成回路５０５のｍ個の入力端子に直接供給されるように構成されている。
ｍ個の位相可変回路５０４−１〜５０４−ｍは、受信モードにおいて、それぞれ異なる値をもって受信信号の位相を変化させるように構成される。
なお、位相可変回路５０４−１〜５０４−ｍには、たとえばＰＩＮダイオードやＦＥＴを用いたものが利用される（たとえば文献［５］：Ｓ．Ｋ  Ｋｏｕｌ，ｅｔ．ａｌ．Ｍｉｃｒｏｗａｖｅ  ａｎｄ  Ｍｉｌｌｉｍｅｔｅｒ  Ｗａｖｅ  Ｐｈａｓｅ  Ｓｈｉｆｔｅｒｓ；Ｖｏｌｕｍｅ  ＩＩ  Ｓｅｍｉｃｏｎｄｕｃｔｏｒ  ａｎｄ  Ｄｅｌａｙ  Ｌｉｎｅ  Ｐｈａｓｅ  Ｓｈｉｆｔｅｒｓ，Ａｒｔｅｃｈ  Ｈｏｕｓｅ，１９９１．参照）。
このような構成において、たとえば受信モード時には、フェーズドアレイアンテナ部２のアンテナ素子５０１−１〜５０１−ｍにより受信された信号は、それぞれアンテナ素子５０１−１〜５０１−ｍに対して縦続接続されたプリセレクトフィルタ５０２−１〜２２−ｍ、ＲＦ増幅器５０３−１〜５０３−ｍ、位相可変回路５０４−１〜５０４−ｍを通り信号合成回路５０５で合成される。
フェーズドアレイアンテナ部２の位相可変回路５０４−１〜５０４−ｍは、図示しない位相制御回路によりそれぞれ異なる値をもって受信信号の位相を変化させるように制御される。
信号合成回路２５で合成され出力された合成受信信号Ｓｒは、マルチポート復調器１０１（あるいは１０１Ａ〜１０１Ｇのいずれか）のマルチポートジャンクション回路１０００（あるいは１０００Ａ〜１０００Ｇのいずれか）に、その受信信号用信号入力端子Ｔ  ＩＮＳｒから入力される。
また、マルチポートジャンクション回路１０００（あるいは１０００Ａ〜１０００Ｇのいずれか）には、ローカル信号用信号入力端子Ｔ  ＩＮＳｌｏからローカル信号発生回路１０６で発生された所定周波数のローカル信号ＳＯが入力されている。
たとえばマルチポート復調器１０１において、受信信号Ｓｒ（ｔ）は第１の分岐回路１００１の入力端子Ｉ１に供給され、３つの信号に分岐される。分岐された第１の受信信号は第１出力端子Ｏ１から第１の電力検波回路１００７に供給される。分岐された第２の受信信号は第２出力端子Ｏ２から第１の結合回路１００５に出力される。そして、分岐された第３の受信信号は第３出力端子Ｏ３から第２の結合回路１００６に出力される。
一方、ローカル信号ＳＯ（ｔ）が第２の信号入力端子Ｔ  ＩＮＳｌｏに入力される。ＳＯ（ｔ）は時間ｔにおける入力端子Ｔ  ＩＮＳｌｏの電圧である。ローカルＳＯ（ｔ）は第２の分岐回路１００２の入力端子Ｉ１に供給され、２つの信号に分岐される。分岐された第１のローカル信号は第１出力端子Ｏ１から第１の移相器１００３に出力される。分岐された第２のローカル信号は第２出力端子Ｏ２から第２の移相器１００４に出力される。
第１の移相器１００３では、第２の分岐回路１００２の第１出力端子Ｏ１から出力されたローカル信号の位相がθ１度だけシフトされて第１の結合回路１００５に出力される。第２の移相器１００４では、第２の分岐回路１００２の第２出力端子Ｏ２から出力されたローカル信号の位相がθ２度だけシフトされて第２の結合回路１００６に出力される。
そして、第１の結合回路１００５においては、第１の分岐回路１００１の第２出力端子Ｏ２から出力された受信信号と第１の移相器１００３によりθ１度だけ位相がシフトされたローカル信号とが結合され、第２の電力検波回路１００８に出力される。第２の結合回路１００６においては、第１の分岐回路１００１の第３出力端子Ｏ３から出力された受信信号と第２の移相器１００４によりθ２度だけ位相がシフトされたローカル信号とが結合され、第３の電力検波回路１００９に出力される。
したがって、第１の電力検波回路１００７の入力には、受信信号Ｓｒ（ｔ）が供給される。第１の電力検波回路１００７では、入力された受信信号Ｓｒ（ｔ）の振幅成分が検波信号Ｐ１としてマルチポート信号−ＩＱ信号変換回路１０１０および平均信号電力生成回路１０２に出力される。
同様に、第２の電力検波回路１００８の入力には、受信信号Ｓｒ（ｔ）と位相シフトθ１が与えられたローカル信号ＳＯ（ｔ）のベクトル和信号が供給される。第２の電力検波回路１００８では、入力された受信信号Ｓｒ（ｔ）と位相シフトθ１が与えられたローカル信号ＳＯ（ｔ）のベクトル和信号の振幅成分が検波信号Ｐ２としてマルチポート信号−ＩＱ信号変換回路１０１０に出力される。
同様に、第３の電力検波回路１００９の入力には、受信信号Ｓｒ（ｔ）と位相シフトθ２が与えられたローカル信号ＳＯ（ｔ）のベクトル和信号が印加される。第３の電力検波回路１００９では、入力された受信信号Ｓｒ（ｔ）と位相シフトθ１が与えられたローカル信号ＳＯ（ｔ）のベクトル和信号の振幅成分が検波信号Ｐ３としてマルチポート信号−ＩＱ信号変換回路１０１０に出される。
マルチポート信号−ＩＱ信号変換回路１０１０では、ベースバンド出力信号Ｐ１、Ｐ２およびＰ３が、式（１６）および式（１７）に基づいた計算が演算回路３０４で行われ、復調信号である同相信号Ｉ（ｔ）および直交信号Ｑ（ｔ）に変換されて、周波数誤差検出回路１０６およびベースバンド信号処理回路１０７に出力される。
また、電力検波回路１００７の出力検波信号Ｐ１を受けた平均信号電力演算回路１０２において、上記の（２６）式に基づいて平均信号電力が計算され、その結果が利得制御信号生成回路１０５に信号Ｓ１０２として出力される。
利得制御信号生成回路１０５では、平均信号電力演算回路１０２で求められた平均電力信号Ｓ１０２に基づいて、マルチポート復調器１０１に入力される受信信号レベルが一定となるように制御信号Ｓ１０５が可変利得回路１０４に出力される。
そして、可変利得回路１０４においては、アンテナ素子で受信され、プリセレクトＲＦフィルタ、低雑音増幅器を介した受信信号のレベルが利得制御信号生成回路１０５による制御信号Ｓ１０５に応じたレベルに調整されてマルチポート復調器１０１に供給される。
また、マルチポート復調器１０１の出力復調信号ＩおよびＱを受けた周波数誤差検出回路１０６では、信号ＩおよびＱより周波数誤差が検出され、信号Ｓ１０６としてローカル信号発生回路１０３に供給される。
ローカル信号発生回路１０３では、周波数誤差検出回路１０６において検出された周波数誤差値信号Ｓ１０６を受けて、受信信号周波数に発振周波数が略等しいローカル信号ＳＯが発生されてマルチポート復調器１０１に供給される。
以上説明したように、フェーズドアレイアンテナ部を備え、本発明に係る復調を採用したダイレクトコンバージョン方式により復調を行う受信機においても、従来のマルチポート復調器に比較して、更なる広帯域性、低歪特性、低消費電力を実現でき、温度変動、経時変動に対して特性変動が小さい高性能な受信機を実現できるという効果を得ることができる。
また、３つの電力検波回路、１つの１入力３出力の結合回路、１つの１入力２出力の結合回路、２つの移相器により構成可能であることから、従来の回路より回路構成を簡単化でき、回路サイズの回路サイズの増大を防止できる利点がある。
産業上の利用可能性
以上のように、本発明に係る復調器およびそれを用いた受信機によれば、マルチポート方式復調器の特徴である、広帯域性、ローカル信号電力の低減に寄与するだけでなく、従来のマルチポート復調器に比較して、更なる広帯域性、低歪特性、低消費電力を実現でき、温度変動、経時変動に対して特性変動が小さい高性能な復調器および受信機を実現できる。
また、本発明に係る復調器およびそれを用いた受信機によれば、従来の回路より回路構成を簡単化でき、回路サイズの増大を防止できる。
【図面の簡単な説明】
図１は一般的な復調器の要部構成を示す回路図である。
図２Ａおよび図２Ｂは、６ポート復調器の第１の構成例を示すブロック図である。
図３Ａおよび図３Ｂは、６ポート復調器の第２の構成例を示すブロック図である。
図４は６ポート復調器の第３の構成例を示すブロック図である。
図５は６ポート復調器の第４の構成例を示すブロック図である。
図６はホイートストンブリッヂを用いた方向性カップラを示す回路図である。
図７は本発明に係るダイレクトコンバージョン方式の復調器を採用した受信機の一実施形態を示すブロック図である。
図８は本発明に係るマルチポート復調器の具体的な構成例を示すブロック図である。
図９は本発明に係る１入力３出力分岐回路の具体的な構成例を示す回路図である。
図１０は本発明に係る１入力３出力分岐回路の具体的な他の構成例を示す回路図である。
図１１は本発明に係る１入力３出力分岐回路の具体的な他の構成例を示す回路図である。
図１２は本発明に係る１入力３出力分岐回路の具体的な他の構成例を示す回路図である。
図１３は本発明に係る１入力２出力分岐回路の具体的な構成例を示す回路図である。
図１４は本発明に係る１入力２出力分岐回路の具体的な他の構成例を示す回路図である。
図１５は本発明に係る１入力２出力分岐回路の具体的な他の構成例を示す回路図である。
図１６は本発明に係る１入力２出力分岐回路の具体的な他の構成例を示す回路図である。
図１７は本発明に係る移相器の具体的な構成例を示す回路図である。
図１８は本発明に係る移相器の具体的な他の構成例を示す回路図である。
図１９は本発明に係る移相器の具体的な他の構成例を示す回路図である。
図２０は本発明に係る結合回路の具体的な構成例を示す回路図である。
図２１は本発明に係る電力検波回路の一例を示す回路図である。
図２２は図２１の電力検波回路の検波特性の一例を示す図である。
図２３は図２１の回路においてゲートバイアス電圧をパラメータとしたときの高周波入力電力Ｐｉｎ対出力検波電圧Ｖｏｕｔ特性を示す図である。
図２４は図７のマルチポート信号−ＩＱ信号変換回路の具体的な構成例を示す回路図である。
図２５は本発明に係るマルチポート復調器の他の実施形態を示すブロック図である。
図２６は図２５のマルチポート信号−ＩＱ信号変換回路の構成例を示す回路図である。
図２７は本発明に係るマルチポート復調器の他の実施形態を示すブロック図である。
図２８は本発明に係るマルチポート復調器の他の実施形態を示すブロック図である。
図２９は本発明に係るマルチポート復調器の他の実施形態を示すブロック図である。
図３０は本発明に係るマルチポート復調器の他の実施形態を示すブロック図である。
図３１は本発明に係るマルチポート復調器の他の実施形態を示すブロック図である。
図３２は本発明に係るマルチポート復調器の他の実施形態を示すブロック図である。
図３３は図３２の１８０度位相ディバイダの具体的な構成例を示す回路図である。
図３４はフェーズドアンテナアレイ部を備え、本発明に係るマルチポート復調器を採用しダイレクトコンバージョン方式により復調を行う受信機の一実施形態を示す構成図である。
符号リスト
１００，１００Ａ…受信機
１０１，１０１Ａ〜１０１Ｇ…マルチポート復調器
１００１…第１の分岐回路
１００２…第２の分岐回路
１００３…第１の移相器
１００４…第２の移相器
１００５…第１の結合回路
１００６…第２の結合回路
１００７…第１の電力検波回路
１００８…第２の電力検波回路
１００９…第３の電力検波回路
１０１０，１０１０Ｂ〜１０１０Ｇ…マルチポート信号−ＩＱ信号変換回路
１０１１〜１０１３…ローパスフィルタ
１０１４〜１０１６…増幅器
１０１７…第１のアナログ／ディジタル変換回路（ＡＤＣ）
１０１８…第２のアナログ／ディジタル変換回路（ＡＤＣ）
１０１９…第２のアナログ／ディジタル変換回路（ＡＤＣ）
１０２０〜１０２２…ローパスフィルタ
１０２３…第３の結合回路
１０２４，１０２５…分岐回路
１０２６，１０２７…増幅器
１０２８…移相器
１０２９…分岐回路
１０３０…第４の電力検波回路
１０３１，１０３２…１８０度位相ディバイダ
１０２…平均信号電力演算回路
１０３…ローカル信号発生回路
１０４…可変利得回路
１０５…利得制御信号生成回路
１０６…周波数誤差検出回路
１０７…ベースバンド信号処理回路
２００…電力検波回路
２０１…整合回路
２０２，２０３…ゲートバイアス供給回路
Ｑ２０１…第１の電界効果トランジスタ
Ｑ２０２…第２の電界効果トランジスタ
Ｃ２０１〜Ｃ２０３…キャパシタ
Ｒ２０１〜Ｒ２０８…抵抗素子
Ｖ２０１…電圧源
３０１〜３０３…ローパスフィルタ
３０４…演算回路
４００…演算回路
【図１】
2002091564.tif 000068
【図２Ａ】
2002091564.tif 000069
【図２Ｂ】
2002091564.tif 000070
【図３Ａ】
2002091564.tif 000071
【図３Ｂ】
2002091564.tif 000072
【図４】
2002091564.tif 000073
【図５】
2002091564.tif 000074
【図６】
2002091564.tif 000075
【図７】
2002091564.tif 000076
【図８】
2002091564.tif 000077
【図９】
2002091564.tif 000078
【図１０】
2002091564.tif 000079
【図１１】
2002091564.tif 000080
【図１２】
2002091564.tif 000081
【図１３】
2002091564.tif 000082
【図１４】
2002091564.tif 000083
【図１５】
2002091564.tif 000084
【図１６】
2002091564.tif 000085
【図１７】
2002091564.tif 000086
【図１８】
2002091564.tif 000087
【図１９】
2002091564.tif 000088
【図２０】
2002091564.tif 000089
【図２１】
2002091564.tif 000090
【図２２】
2002091564.tif 000091
【図２３】
2002091564.tif 000092
【図２４】
2002091564.tif 000093
【図２５】
2002091564.tif 000094
【図２６】
2002091564.tif 000095
【図２７】
2002091564.tif 000096
【図２８】
2002091564.tif 000097
【図２９】
2002091564.tif 000098
【図３０】
2002091564.tif 000099
【図３１】
2002091564.tif 000100
【図３２】
2002091564.tif 000101
【図３３】
2002091564.tif 000102
【図３４】
2002091564.tif 000103
【国際調査報告】
2002091564.tif 000104
2002091564.tif 000105
2002091564.tif 000106
2002091564.tif 000107
2002091564.tif 000108